(57)【要約】ワイヤレス通信のための装置が開示される。装置は、単一チャネルフレーム、ボンデッドチャネルフレーム、またはＭＩＭＯチャネルフレームを生成するように構成された処理システムを含む。フレームタイプの各々は、第１の部分および第２の部分を含み、該第１の部分は、第１のプロトコルに従って動作する第１のデバイスによって復号可能であり、該第２の部分は、第１のデバイスによって復号不能であり、第１の部分および第２の部分は、第２のプロトコルに従って動作する第２のデバイスによって復号可能であり、送信のためのフレームを出力するように構成されたインターフェースとを含み、送信のためのフレームを出力するように構成されたインターフェース。第２の部分は、ＡＧＣのための周波数領域ＰＲＢＳを含む第１のフィールドと、ＦＦＴ処理のための入力サンプルウィンドウのタイミングのための時間領域シーケンスを含む第２のフィールドと、チャネル推定のための周波数領域パイロットを含む第３のフィールドを含む。ＭＩＭＯについて、異なる送信チェーンのためのこれらのフィールドは、時間アラインされた手法で送信される。【選択図】図4
2019512923.tif 000002
【特許請求の範囲】
【請求項１】
ワイヤレス通信のための装置であって、
第１の部分および第２の部分を備えるフレームを生成することを行うように構成される処理システム、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能である、と、
送信のための前記フレームを出力することを行うように構成されたインターフェースと
を備える、装置。
【請求項２】
前記処理システムは、ＯＦＤＭ送信のサブキャリアを介する送信のための周波数領域疑似ランダムバイナリシーケンス（ＰＲＢＳ）データを含むように、前記第２の部分を構成することを行うように構成される、
請求項１に記載の装置。
【請求項３】
前記処理システムは、特定の原始多項式のための特定のシードに基づいて前記ＰＲＢＳデータを生成することを行うように構成される、
請求項２に記載の装置。
【請求項４】
前記処理システムは、時間領域シーケンスを含むように前記第２の部分を構成することを行うように構成される、
請求項１に記載の装置。
【請求項５】
前記処理システムは、ゴーレイシーケンスを含むように前記時間領域シーケンスを構成することを行うように構成される、
請求項４に記載の装置。
【請求項６】
前記処理システムは、ＯＦＤＭ送信のサブキャリアを介する送信のための周波数領域パイロットのシーケンスを含むように、前記第２の部分を構成することを行うように構成される、
請求項１に記載の装置。
【請求項７】
前記処理システムは、特定のしきい値でまたはそれ未満で、ピーク対平均電力比（ＰＡＰＲ）を持つ前記ＯＦＤＭ送信を生成するように前記周波数領域パイロットのシーケンスを構成することを行うように構成される、
請求項６に記載の装置。
【請求項８】
前記処理システムは、
前記第２のデバイスで自動利得制御（ＡＧＣ）を容易にするように構成される第１のフィールドと、
前記第２のデバイスで高速フーリエ変換（ＦＦＴ）中に前記フレームのＯＦＤＭ送信のサンプルを入力するためのタイミング制御を容易にするように構成される第２のフィールドと、
前記第２のデバイスで受信した前記フレームに関連付けられたチャネル推定を容易にするように構成される第３のフィールドと
を含むように前記第２の部分を構成することを行うように構成される、請求項１に記載の装置。
【請求項９】
前記処理システムは、
前記ＯＦＤＭ送信のサブキャリアを介する送信ためのの周波数領域ＰＲＢＳデータを含むように前記第１のフィールドを構成することと、
時間領域シーケンスを含むように前記第２のフィールドを構成することと、
前記ＯＦＤＭ送信のサブキャリアを介する送信のための周波数領域パイロットのシーケンスを含むように第３のフィールドを構成することと
を行うように構成される、請求項８に記載の装置。
【請求項１０】
前記処理システムは、前記第１および第２の部分を備える第１のサブフレームを含むように前記フレームを生成すること、ここにおいて、前記処理システムは、第３の部分および第４の部分を備える第２のサブフレームを含むように前記フレームを生成することを行うように構成され、前記第３の部分は、前記第１のプロトコルに従って動作する前記第１のデバイスによって復号可能であり、前記第４の部分は、前記第１のデバイスによって復号不能であり、前記第３および第４の部分は、前記第２のプロトコルに従って動作する前記第２のデバイスによって復号可能である、
請求項１に記載の装置。
【請求項１１】
前記インターフェースは、実質的に時間アラインされた手法での送信のための前記第２の部分および前記第４の部分を出力するように構成される、
請求項１０に記載の装置。
【請求項１２】
前記インターフェースは、時間オフセット手法での送信のための前記第１の部分および第３の部分を出力するように構成される、
請求項１０に記載の装置。
【請求項１３】
前記処理システムは、
第１のＯＦＤＭ送信のサブキャリアの第１のセットを介する送信のために構成される周波数領域ＰＲＢＳデータの第１のセットを含むように前記第２の部分を構成することと、
第２のＯＦＤＭ送信のサブキャリアの第２のセットを介する送信のために構成される周波数領域ＰＲＢＳデータの第２のセットを含むように前記第４の部分を構成することと
を行うように構成され、
前記インターフェースは、実質的に時間アラインされた手法での送信のための前記周波数領域ＰＲＢＳデータの第１および第２のセットを出力するように構成される、
請求項１０に記載の装置。
【請求項１４】
前記処理システムは、
特定の原始多項式のための第１のシードに基づいて前記周波数領域ＰＲＢＳデータの第１のセットを生成することと、
前記特定の原始多項式のための第２のシードに基づいて前記周波数領域ＰＲＢＳデータの第２のセットを生成することと
を行うように構成される、請求項１３に記載の装置。
【請求項１５】
前記処理システムは、
第１の時間領域シーケンスを含むように前記第２の部分を構成することと、
第２の時間領域シーケンスを含むように前記第４の部分を構成すること、ここにおいて、前記第１の時間領域シーケンスは、前記第２の時間領域シーケンスに直交である、と
を行うように構成され、
前記インターフェースは、実質的に時間アラインされた手法での送信のための前記第１および第２の時間領域シーケンスを出力するように構成される、
請求項１０に記載の装置。
【請求項１６】
前記処理システムは、
第１のＯＦＤＭ送信のサブキャリアの第１のセットを介する送信のための周波数領域パイロットの第１のシーケンスを含むように前記第２の部分を構成することと、
第２のＯＦＤＭ送信のサブキャリアの第２のセットを介する送信のための周波数領域パイロットの第２のシーケンスを含むように前記第４の部分を構成することと
を行うように構成され、
前記インターフェースは、実質的に時間アラインされた手法での送信のための前記周波数領域パイロットの第１および第２のシーケンスを出力するように構成される、
請求項１０に記載の装置。
【請求項１７】
前記処理システムは、前記第１の部分と前記第２の部分との間の時間に位置している第１のパッドフィールドを含むように前記第１のサブフレームを構成することを行うように構成され、前記処理システムは、前記第３の部分と前記第４の部分との間の時間に位置している第２のパッドフィールドを含むように前記第２のサブフレームを構成することを行うように構成され、前記第１のパッドフィールドの長さは、前記第２のパッドフィールドの長さより大きい、
請求項１０に記載の装置。
【請求項１８】
前記処理システムは、第１のゴーレイシーケンスを含むように前記第１のパッドフィールドを構成することと、第２のゴーレイシーケンスを含むように前記第２のパッドフィールドを構成することとを行うように構成される、
請求項１７に記載の装置。
【請求項１９】
前記処理システムは、前記第１および第２の部分を備える第１のサブフレームを含むように前記フレームを生成することを行うように構成され、前記処理システムは、
第３の部分および第４の部分を備える第２のサブフレームと
第５の部分および第６の部分を備える第３のサブフレームと
を含むように前記フレームを生成することを行うように構成される、請求項１に記載の装置。
【請求項２０】
前記処理システムは、
第１の時間領域シーケンスを含むように前記第２の部分を構成することと、
前記第１の時間領域シーケンスに直交する第２の時間領域シーケンスを含むように前記第４の部分を構成することと、
第３の時間領域シーケンスを含むように前記第６の部分を構成することと
を行うように構成される請求項１９に記載の装置。
【請求項２１】
前記インターフェースは、第１のＯＦＤＭシンボル間隔の間に時間アラインされた手法での送信のための前記第１および第２の時間領域シーケンスを出力するように構成され、前記インターフェースは、第２のＯＦＤＭシンボル間隔の間の送信のための前記第３の時間領域シーケンスを出力するように構成される、
請求項２０に記載の装置。
【請求項２２】
前記処理システムは、
前記インターフェースが前記第２のＯＦＤＭシンボル間隔の間の送信ために前記第１および第２のサブフレームから出力を生み出さないように前記第１および第２のサブフレームを構成することと、
前記インターフェースが前記第１のＯＦＤＭシンボル間隔の間の送信のために前記第３のサブフレームから出力を生み出さないように前記第３の送信サブフレームを構成することを行うように構成される、
請求項２１に記載の装置。
【請求項２３】
前記処理システムは、前記第１および第２の部分を備える第１のサブフレームを含むように前記フレームを生成することを行うように構成され、前記処理システムは、
第３の部分および第４の部分を備える第２のサブフレームと
第５の部分および第６の部分を備える第３のサブフレームと、
第７の部分および第８の部分を備える第４のサブフレームと
を含むように前記フレームを生成することを行うように構成される、請求項１に記載の装置。
【請求項２４】
前記処理システムは、
第１の時間領域シーケンスを含むように前記第２の部分を構成することと、
前記第１の時間領域シーケンスに直交する第２の時間領域シーケンスを含むように前記第４の部分を構成すること、ここにおいて、前記インターフェースは、前記第１のＯＦＤＭシンボル間隔の間に時間アラインされた手法での送信のための前記第１の時間領域シーケンスおよび第２の時間領域シーケンスを出力するように構成される、と、
第３の時間領域シーケンスを含むように前記第６の部分を構成することと、
前記第３の時間領域シーケンスに直交する第４の時間領域シーケンスを含むように前記第８の部分を構成すること、ここにおいて、前記インターフェースは、第２のＯＦＤＭシンボル間隔の間に時間アラインされた手法での送信のための前記第３の時間領域シーケンスおよび前記第４の時間領域シーケンスを出力するように構成される、と
を行うように構成される請求項２３に記載の装置。
【請求項２５】
前記処理システムは、
前記インターフェースが前記第１のシンボル間隔の間の送信ために前記第３および第４のサブフレームから出力を生み出さないように第３および第４のサブフレームを構成することと、
前記インターフェースが前記第２のシンボル間隔の間の送信ために前記第１および第２のサブフレームから出力を生み出さないように前記第１および第２のサブフレームを構成することと
を行うように構成される請求項２４に記載の装置。
【請求項２６】
前記処理システムは、第１の周波数チャネルを介する送信のための前記第１の部分を構成することを行うように構成され、前記処理システムは、前記第１の周波数チャネルから周波数において離れた間隔に置かれた第２の周波数チャネルを介する送信のための第３の部分を含むように前記フレームを生成するように構成され、前記処理システムは、前記第１のデバイスおよび前記第２のデバイスによって復号可能な前記第３の部分を構成することを行うように構成され、前記処理システムは、前記第１の周波数チャネルの少なくとも一部および前記第２の周波数チャネルの少なくとも一部を含むボンデッド周波数チャネルを介する送信のための前記第２の部分を構成することを行うように構成される、
請求項１に記載の装置。
【請求項２７】
前記処理システムは、ＯＦＤＭ送信のサブキャリアを介する送信のための周波数領域疑似ランダムバイナリシーケンス（ＰＲＢＳ）データを含むように、前記第２の部分を構成することを行うように構成される、
請求項２６に記載の装置。
【請求項２８】
前記処理システムは、時間領域シーケンスを含むように前記第２の部分を構成することを行うように構成される、
請求項２６に記載の装置。
【請求項２９】
前記処理システムは、ＯＦＤＭ送信のサブキャリアを介する送信のための周波数領域パイロットのシーケンスを含むように、前記第２の部分を構成することを行うように構成される、
請求項２６に記載の装置。
【請求項３０】
ワイヤレス通信のための方法であって、
第１の部分および第２の部分を備えるフレームを生成すること、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能である、と、
送信のための前記フレームを出力することと
を備える方法。
【請求項３１】
前記フレームは、ＯＦＤＭ送信のサブキャリアを介する送信のための周波数領域疑似ランダムバイナリシーケンス（ＰＲＢＳ）データを含むように、前記第２の部分を構成することを備える、
請求項３０に記載の方法。
【請求項３２】
前記フレームは、特定の原始多項式のための特定のシードに基づいて前記ＰＲＢＳデータを生成することを備える、
請求項３１に記載の方法。
【請求項３３】
前記フレームは、時間領域シーケンスを含むように前記第２の部分を構成することを備える、
請求項３０に記載の方法。
【請求項３４】
前記フレームは、ゴーレイシーケンスを含むように前記時間領域シーケンスを構成することを備える、
請求項３３に記載の方法。
【請求項３５】
前記フレームを生成することは、ＯＦＤＭ送信のサブキャリアを介する送信のための周波数領域パイロットのシーケンスを含むように、前記第２の部分を構成することを備える、
請求項３０に記載の方法。
【請求項３６】
前記フレームを生成することは、特定のしきい値でまたはそれ未満で、ピーク対平均電力比（ＰＡＰＲ）を持つ前記ＯＦＤＭ送信を生成するように前記周波数領域パイロットのシーケンスを構成することを備える、
請求項３５に記載の方法。
【請求項３７】
前記フレームを生成することは、
前記第２のデバイスで自動利得制御（ＡＧＣ）を容易にするように構成される第１のフィールドと、
前記第２のデバイスで高速フーリエ変換（ＦＦＴ）中に前記フレームのＯＦＤＭ送信のサンプルを入力するためのタイミング制御を容易にするように構成される第２のフィールドと、
前記第２のデバイスで受信した前記フレームに関連付けられたチャネル推定を容易にするように構成される第３のフィールドと
を含むように前記第２の部分を構成することを備える、請求項３０に記載の方法。
【請求項３８】
前記フレームを生成することは、
前記ＯＦＤＭ送信のサブキャリアを介する送信ための周波数領域ＰＲＢＳデータを含むように前記第１のフィールドと、
時間領域シーケンスを含むように前記第２のフィールドと、
前記ＯＦＤＭ送信のサブキャリアを介する送信のための周波数領域パイロットのシーケンスを含むように前記第３のフィールドと
を構成することを備える、請求項３７に記載の方法。
【請求項３９】
前記フレームを生成することは、前記第１および第２の部分を備える第１のサブフレームを生成することと、第３の部分および第４の部分を備える第２のサブフレームを生成することとを備え、前記第３の部分は、前記第１のプロトコルに従って動作する前記第１のデバイスによって復号可能であり、前記第４の部分は、前記第１のデバイスによって復号不能であり、前記第３および第４の部分は、前記第２のプロトコルに従って動作する前記第２のデバイスによって復号可能である、
請求項３０に記載の方法。
【請求項４０】
送信のために前記フレームを出力することは、実質的に時間アラインされた手法での送信のための前記第２の部分および前記第４の部分を出力するように構成される、
請求項３９に記載の方法。
【請求項４１】
送信のために前記フレームを出力することは、時間オフセット手法での送信のための前記第１の部分および前記第３の部分を出力することを備える、
請求項３９に記載の方法。
【請求項４２】
前記フレームを生成することは、
第１のＯＦＤＭ送信のサブキャリアの第１のセットを介する送信のために構成される周波数領域ＰＲＢＳデータの第１のセットを含むように前記第２の部分を構成することと、
第２のＯＦＤＭ送信のサブキャリアの第２のセットを介する送信のために構成される周波数領域ＰＲＢＳデータの第２のセットを含むように前記第４の部分を構成することと
を備え、
送信のための前記フレームを出力することは、実質的に時間アラインされた手法での送信のための前記周波数領域ＰＲＢＳデータの第１および第２のセットを出力するように構成される、
請求項３９に記載の方法。
【請求項４３】
前記フレームを生成することは、
特定の原始多項式のための第１のシードに基づいて前記周波数領域ＰＲＢＳデータの第１のセットを生成することと、
特定の原始多項式のための第２のシードに基づいて前記周波数領域ＰＲＢＳデータの第２のセットを生成することと
を備える、請求項４２に記載の方法。
【請求項４４】
前記フレームを生成することは、
第１の時間領域シーケンスを含むように前記第２の部分を構成することと、
第２の時間領域シーケンスを含むように前記第４の部分を構成すること、ここにおいて、前記第１の時間領域シーケンスは、前記第２の時間領域シーケンスに直交である、と
を備え、
前記インターフェースは、実質的に時間アラインされた手法での送信のための前記第１および第２の時間領域シーケンスを出力するように構成される、
請求項３９に記載の方法。
【請求項４５】
前記フレームを生成することは、
第１のＯＦＤＭ送信のサブキャリアの第１のセットを介する送信のための周波数領域パイロットの第１のシーケンスを含むように前記第２の部分を構成することと、
第２のＯＦＤＭ送信のサブキャリアの第２のセットを介する送信のための周波数領域パイロットの第２のシーケンスを含むように前記第４の部分を構成することと
を備え、
前記インターフェースは、実質的に時間アラインされた手法での送信のための前記周波数領域パイロットの第１および第２のシーケンスを出力するように構成される、
請求項３９に記載の方法。
【請求項４６】
前記フレームを生成することは、前記第１の部分と第２の部分との間の時間に位置している第１のパッドフィールドを含むように前記第１のサブフレームを構成することと、位置している第２のパッドフィールドを含むように前記第２のサブフレームを構成することとを備え、前記第１のパッドフィールドの長さは、前記第２のパッドフィールドの長さより大きく、送信のための前記フレームを出力することは、前記第１の部分と前記第２の部分との間の送信のための前記第１のパッドフィールドを出力することと、前記第３の部分と前記第４の部分との間の送信のための前記第２のパッドフィールドを出力することとを備える、
請求項３９に記載の方法。
【請求項４７】
前記フレームを生成することは、第１のゴーレイシーケンスを含むように前記第１のパッドフィールドを構成することと、第２のゴーレイシーケンスを含むように前記第２のパッドフィールドを構成することとを備える、
請求項４６に記載の方法。
【請求項４８】
前記フレームを生成することは、前記第１および第２の部分を備える第１のサブフレームを含むように前記フレームを生成することと、第３の部分および第４の部分を含むように第２のサブフレームを生成することと、第５の部分および第６の部分を含むように第３のサブフレームを生成することとを備える、
請求項３０に記載の方法。
【請求項４９】
前記フレームを生成することは、
第１の時間領域シーケンスを含むように前記第２の部分を構成することと、
前記第１の時間領域シーケンスに直交する第２の時間領域シーケンスを含むように前記第４の部分を構成することと、
第３の時間領域シーケンスを含むように前記第６の部分を構成することと
を備える、請求項４８に記載の方法。
【請求項５０】
送信のために前記フレームを出力することは、第１のＯＦＤＭシンボル間隔の間に時間アラインされた手法での送信のための前記第１および第２の時間領域シーケンスを出力することと、第２のＯＦＤＭシンボル間隔の間の送信のための前記第３の時間領域シーケンスを出力することとを備える、
請求項４９に記載の方法。
【請求項５１】
前記フレームを生成することは、
前記インターフェースが前記第２のＯＦＤＭシンボル間隔の間の送信ために前記第１および第２のサブフレームから出力を生み出さないように前記第１および第２のサブフレームを構成することと、
前記インターフェースが前記第１のＯＦＤＭシンボル間隔の間の送信のために前記第３のサブフレームから出力を生み出さないように前記第３の送信サブフレームを構成することを備える、
請求項５０に記載の方法。
【請求項５２】
前記フレームを生成することは、
前記第１および第２の部分を備える第１のサブフレームを含むように前記フレームを生成することと、
第３の部分および第４の部分を備える第２のサブフレームを生成することと
第５の部分および第６の部分を備える第３のサブフレームを生成することと、
第７の部分および第８の部分を備える第４のサブフレームを生成することと
を備える、請求項３０に記載の方法。
【請求項５３】
前記フレームを生成することは、
第１の時間領域シーケンスを含むように前記第２の部分を構成することと、
前記第１の時間領域シーケンスに直交する第２の時間領域シーケンスを含むように前記第４の部分を構成すること、ここにおいて、送信のための前記フレームを出力することは、第１のＯＦＤＭシンボル間隔の間に時間アラインされた手法での送信のための前記第１の時間領域シーケンスおよび第２の時間領域シーケンスを出力することを備える、と、
第３の時間領域シーケンスを含むように前記第６の部分を構成することと、
前記第３の時間領域シーケンスに直交する第４の時間領域シーケンスを含むように前記第８の部分を構成すること、ここにおいて、送信のための前記フレームを出力することは、前記第２のＯＦＤＭシンボル間隔の間に時間アラインされた手法での送信のための前記第３の時間領域シーケンスおよび第４の時間領域シーケンスを出力することを備える、と
を備える、請求項５２に記載の方法。
【請求項５４】
前記フレームを生成することは、
前記インターフェースが前記第１のシンボル間隔の間の送信ために前記第３および第４のサブフレームから出力を生み出さないように前記第３および第４のサブフレームを構成することと、
前記インターフェースが前記第２のシンボル間隔の間の送信ために前記第１および第２のサブフレームから出力を生み出さないように前記第１および第２のサブフレームを構成することと
を備える、請求項５３に記載の方法。
【請求項５５】
前記フレームを生成することは、
第１の周波数チャネルを介する送信のための前記第１の部分を構成することと、
前記第１の周波数チャネルから周波数において離れた間隔に置かれた第２の周波数チャネルを介する送信のための第３の部分を含むように前記フレームを生成することと、
前記第１のデバイスおよび前記第２のデバイスによって復号可能な前記第３の部分を構成することと、
前記第１の周波数チャネルの少なくとも一部および前記第２の周波数チャネルの少なくとも一部を含むボンデッド周波数チャネルを介する送信のための前記第２の部分を構成することと
を備える、請求項３０に記載の方法。
【請求項５６】
前記フレームを生成することは、ＯＦＤＭ送信のサブキャリアを介する送信のための周波数領域疑似ランダムバイナリシーケンス（ＰＲＢＳ）データを含むように、前記第２の部分を構成することを備える、
請求項５５に記載の方法。
【請求項５７】
前記フレームを生成することは、時間領域シーケンスを含むように前記第２の部分を構成することを備える、
請求項５５に記載の方法。
【請求項５８】
前記フレームを生成することは、ＯＦＤＭ送信のサブキャリアを介する送信のための周波数領域パイロットのシーケンスを含むように、前記第２の部分を構成することを備える、
請求項５５に記載の方法。
【請求項５９】
ワイヤレス通信のための装置であって、
第１の部分および第２の部分を備えるフレームを生成するための手段、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能である、と、
送信のための前記フレームを出力するための手段と
を備える、装置。
【請求項６０】
前記フレームを前記生成するための手段は、ＯＦＤＭ送信のサブキャリアを介する送信のための周波数領域疑似ランダムバイナリシーケンス（ＰＲＢＳ）データを含むように、前記第２の部分を構成するための手段を備える、
請求項５９に記載の装置。
【請求項６１】
前記フレームを前記生成するための手段は、特定の原始多項式のための特定のシードに基づいて前記ＰＲＢＳデータを生成するための手段を備える、
請求項６０に記載の装置。
【請求項６２】
前記フレームを前記生成するための手段は、時間領域シーケンスを含むように前記第２の部分を構成するための手段を備える、
請求項５９に記載の装置。
【請求項６３】
前記フレームを前記生成するための手段は、ゴーレイシーケンスを含むように前記時間領域シーケンスを構成するための手段を備える、
請求項６２に記載の装置。
【請求項６４】
前記フレームを前記生成するための手段は、ＯＦＤＭ送信のサブキャリアを介する送信のための周波数領域パイロットのシーケンスを含むように、前記第２の部分を構成するための手段を備える、
請求項５９に記載の装置。
【請求項６５】
前記フレームを前記生成するための手段は、特定のしきい値でまたはそれ未満で、ピーク対平均電力比（ＰＡＰＲ）を持つ前記ＯＦＤＭ送信を生成するように前記周波数領域パイロットのシーケンスを構成するための手段を備える、
請求項６４に記載の装置。
【請求項６６】
前記フレームを前記生成するための手段は、
前記第２のデバイスで自動利得制御（ＡＧＣ）を容易にするように構成される第１のフィールドと、
前記第２のデバイスで高速フーリエ変換（ＦＦＴ）中に前記フレームのＯＦＤＭ送信のサンプルを入力するためのタイミング制御を容易にするように構成される第２のフィールドと、
前記第２のデバイスで受信した前記フレームに関連付けられたチャネル推定を容易にするように構成される第３のフィールドと
を含むように前記第２の部分を構成するための手段を備える、請求項５９に記載の装置。
【請求項６７】
前記フレームを前記生成するための手段は、
前記ＯＦＤＭ送信のサブキャリアを介する送信ためのの周波数領域ＰＲＢＳデータを含むように前記第１のフィールドを構成するための手段と、
時間領域シーケンスを含むように前記第２のフィールドを構成するための手段と、
前記ＯＦＤＭ送信のサブキャリアを介する送信のための周波数領域パイロットのシーケンスを含むように第３のフィールドを構成するための手段と
を備える、請求項６６に記載の装置。
【請求項６８】
前記フレームを前記生成するための手段は、前記第１および第２の部分を備える第１のサブフレームを生成するための手段と、第３の部分および第４の部分を備える第２のサブフレームを生成するための手段とを備え、前記第３の部分は、前記第１のプロトコルに従って動作する前記第１のデバイスによって復号可能であり、前記第４の部分は、前記第１のデバイスによって復号不能であり、前記第３および第４の部分は、前記第２のプロトコルに従って動作する前記第２のデバイスによって復号可能である、
請求項５９に記載の装置。
【請求項６９】
前記送信のために前記フレームを出力するための手段は、実質的に時間アラインされた手法での送信のための前記第２の部分および前記第４の部分を出力するための手段を備える、
請求項６８に記載の装置。
【請求項７０】
前記送信のために前記フレームを出力するための手段は、時間オフセット手法での送信のための前記第１の部分および第３の部分を出力するための手段を備える、
請求項６８に記載の装置。
【請求項７１】
前記フレームを前記生成するための手段は、
第１のＯＦＤＭ送信のサブキャリアの第１のセットを介する送信のために構成される周波数領域ＰＲＢＳデータの第１のセットを含むように前記第２の部分を構成するための手段と、
第２のＯＦＤＭ送信のサブキャリアの第２のセットを介する送信のために構成される周波数領域ＰＲＢＳデータの第２のセットを含むように前記第４の部分を構成するための手段と
を備え、
前記送信のための前記フレームを出力することは、実質的に時間アラインされた手法での送信のための前記周波数領域ＰＲＢＳデータの第１および第２のセットを出力するように構成される、
請求項６８に記載の装置。
【請求項７２】
前記フレームを前記生成するための手段は、
特定の原始多項式のための第１のシードに基づいて前記周波数領域ＰＲＢＳデータの第１のセットを生成するための手段と、
前記特定の原始多項式のための第２のシードに基づいて前記周波数領域ＰＲＢＳデータの第２のセットを生成するための手段と
を備える、請求項７１に記載の装置。
【請求項７３】
前記フレームを前記生成するための手段は、
第１の時間領域シーケンスを含むように前記第２の部分を構成するための手段と、
第２の時間領域シーケンスを含むように前記第４の部分を構成するための手段、ここにおいて、前記第１の時間領域シーケンスは、前記第２の時間領域シーケンスに直交である、と
を備え、
前記フレームを前記出力するための手段は、実質的に時間アラインされた手法での送信のための前記第１および第２の時間領域シーケンスを出力するための手段を備える、
請求項６８に記載の装置。
【請求項７４】
前記フレームを前記生成するための手段は、
第１のＯＦＤＭ送信のサブキャリアの第１のセットを介する送信のための周波数領域パイロットの第１のシーケンスを含むように前記第２の部分を構成するための手段と、
第２のＯＦＤＭ送信のサブキャリアの第２のセットを介する送信のための周波数領域パイロットの第２のシーケンスを含むように前記第４の部分を構成するための手段と
を備え、
前記フレームを前記出力するための手段は、実質的に時間アラインされた手法での送信のための前記周波数領域パイロットの第１および第２のセットを出力するための手段を備える、
請求項６８に記載の装置。
【請求項７５】
前記フレームを前記生成するための手段は、
前記第１の部分と前記第２の部分との間の時間において位置される第１のパッドフィールドを含むように前記第１のサブフレームを構成するための手段と、
前記第３の部分と第４の部分との間に位置される第２のパッドフィールドを含むように前記第２のサブフレームを構成するための手段、ここにおいて、前記第１のパッドフィールドは、前記第２のパッドフィールドの長さより大きい、
請求項６８に記載の装置。
【請求項７６】
前記フレームを前記生成するための手段は、第１のゴーレイシーケンスを含むように前記第１のパッドフィールドを構成するための手段と、第２のゴーレイシーケンスを含むように前記第２のパッドフィールドを構成するための手段とを備える、
請求項７５に記載の装置。
【請求項７７】
前記フレームを前記生成するための手段は、
前記第１および第２の部分を備える第１のサブフレームを含むように前記フレームを生成するための手段と、
第３の部分および第４の部分を含むように第２のサブフレームを生成するための手段と、
第５の部分および第６の部分を含むように第３のサブフレームを生成するための手段と
を備える請求項５９に記載の装置。
【請求項７８】
前記フレームを前記生成するための手段は、
第１の時間領域シーケンスを含むように前記第２の部分を構成するための手段と、
前記第１の時間領域シーケンスに直交する第２の時間領域シーケンスを含むように前記第４の部分を構成するための手段と、
第３の時間領域シーケンスを含むように前記第６の部分を構成するための手段と
を備える請求項７７に記載の装置。
【請求項７９】
送信のための前記フレームを前記出力するための手段は、
第１のＯＦＤＭシンボル間隔の間に時間アラインされた手法での送信のための前記第１および第２の時間領域シーケンスを出力するための手段と、
第２のＯＦＤＭシンボル間隔の間の送信のための前記第３の時間領域シーケンスを出力するための手段と
を備える、請求項７８に記載の装置。
【請求項８０】
前記フレームを前記生成するための手段は、
前記第１および第２のサブフレームが前記第２のＯＦＤＭシンボル間隔の間の無送信をもたらすように前記第１および第２のサブフレームを構成するための手段と、
前記第３のサブフレームが前記第１のＯＦＤＭシンボル間隔の間の無送信をもたらすように前記第３のサブフレームを構成するための手段と
を備える、請求項７９に記載の装置。
【請求項８１】
前記フレームを前記生成するための手段は、
前記第１および第２の部分を備える第１のサブフレームを含むように前記フレームを生成するための手段と、
第３の部分および第４の部分を備える第２のサブフレームを生成するための手段と、
第５の部分および第６の部分を備える第３のサブフレームを生成するための手段と、
第７の部分および第８の部分を備える第４のサブフレームを生成するための手段と
を備える、請求項５９に記載の装置。
【請求項８２】
前記フレームを前記生成するための手段は、
第１の時間領域シーケンスを含むように前記第２の部分を構成するための手段と、
前記第１の時間領域シーケンスに直交する第２の時間領域シーケンスを含むように前記第４の部分を構成するための手段、ここにおいて、送信のための前記フレームを出力するための手段は、前記第１のＯＦＤＭシンボル間隔の間に時間アラインされた手法での送信のための前記第１の時間領域シーケンスおよび第２の時間領域シーケンスを出力するための手段を備える、と、
第３の時間領域シーケンスを含むように前記第６の部分を構成するための手段と、
前記第３の時間領域シーケンスに直交する第４の時間領域シーケンスを含むように前記第８の部分を構成するための手段、ここにおいて、送信のための前記フレームを出力するための手段は、前記第２のＯＦＤＭシンボル間隔の間に時間アラインされた手法での送信のための前記第３の時間領域シーケンスおよび前記第４の時間領域シーケンスを出力するための手段を備える、と
を備える、請求項８１に記載の装置。
【請求項８３】
前記フレームを前記生成するための手段は、
前記第３および第４のサブフレームが前記第１のシンボル間隔の間の無送信を生み出すように前記第３および第４のサブフレームを構成するための手段と、
前記第１および第２のサブフレームが前記第２のシンボル間隔の間の無送信を生み出すように前記第１および第２のサブフレームを構成するための手段と
を備える、請求項８２に記載の装置。
【請求項８４】
前記フレームを前記生成するための手段は、
第１の周波数チャネルを介する送信のための前記第１の部分を構成するための手段と、
前記第１の周波数チャネルから周波数において離れた間隔に置かれた第２の周波数チャネルを介する送信のための第３の部分を含むように前記フレームを生成するための手段と、
前記第１のデバイスおよび前記第２のデバイスによって復号可能な前記第３の部分を構成するための手段と、
前記第１の周波数チャネルの少なくとも一部および前記第２の周波数チャネルの少なくとも一部を含むボンデッド周波数チャネルを介する送信のための前記第２の部分を構成するための手段と
を備える、請求項５９に記載の装置。
【請求項８５】
前記フレームを前記生成するための手段は、ＯＦＤＭ送信のサブキャリアを介する送信のための周波数領域疑似ランダムバイナリシーケンス（ＰＲＢＳ）データを含むように、前記第２の部分を構成するための手段を備える、
請求項８４に記載の装置。
【請求項８６】
前記フレームを生成するための手段は、時間領域シーケンスを含むように前記第２の部分を構成するための手段を備える、
請求項８４に記載の装置。
【請求項８７】
前記フレームを前記生成するための手段は、ＯＦＤＭ送信のサブキャリアを介する送信のための周波数領域パイロットのシーケンスを含むように、前記第２の部分を構成するための手段を備える、
請求項８４に記載の装置。
【請求項８８】
第１の部分および第２の部分を備えるフレームを生成すること、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能である、と、
送信のための前記フレームを出力することと
を行うためにその上に記憶された命令を有するコンピュータ可読媒体。
【請求項８９】
ワイヤレスノードであって、
少なくとも１つの受信アンテナと、
第１の部分および第２の部分を備えるフレームを生成することを行うように構成される処理システム、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能である、と、
前記少なくとも１つのアンテナを介する送信のために前記フレームを出力するように構成されたインターフェースと
を備える、ワイヤレスノード。
【発明の詳細な説明】
【関連出願の相互参照】
【０００１】
[0001]本出願は、２０１６年３月２日に米国特許商標庁に出願された仮特許出願番号６２／３０２，７５４と、２０１７年２月２２日に米国特許商標庁に出願された特許出願番号１５／４３９，０４８の優先権および利益を主張し、そのコンテンツ全体は、参照によって本明細書に組み込まれている。
【技術分野】
【０００２】
[0002]本開示のある態様は、一般に、ワイヤレス通信に関し、より詳細には、単一チャネル直交周波数分割多重（ＯＦＤＭ）フレーム、ボンデッドチャネルＯＦＤＭフレーム、単一チャネル多入力多出力（ＭＩＭＯ）ＯＦＤＭフレーム、およびボンデッドチャネルＭＩＭＯ  ＯＦＤＭフレームを送信するための装置および方法に関し、各々が自動利得制御（ＡＧＣ）、高速フーリエ変換（ＦＦＴ）を実行することに関連付けられたタイミング、および受信フレームに関連付けられたチャネル推定を実行する際に支援する１つまたは複数のフィールドを有する。
【背景技術】
【０００３】
[0003]成功裏の送信、受信、および復号のための直交周波数分割多重（ＯＦＤＭ）フレームの送信は、ある情報を含まなければならない。例えば、こうしたフレームは、送信機および／または受信機が望まれる線形領域においてそのフロントエンドコンポーネントを動作するように自動利得制御（ＡＧＣ）を実行するように情報を含むべきである。こうしたフレームはまた、受信機が処理のために高速フーリエ変換（ＦＦＴ）中に受信された信号のサンプルを入力するために最適時間ウィンドウを決定することができるように情報を含むべきである。追加として、こうしたフレームは、適切な等化が受信フレームに対して実行され得るように、フレームが伝搬されるチャネルを受信機が推定するのを可能にするように情報を含むべきである。
【０００４】
[0004]ＯＦＤＭフレームにおいて送信されるべき前述の情報は、ボンデッドチャネル（bonded channel）を介してＯＦＤＭ送信を送ったフレームに適用する。同様に、前述の情報はまた、受信した送信チェーンサブフレームのチャネル推定／等化、並列ＦＦＴ処理、および独立したＡＧＣを実行するためにフレームの送信チェーンサブフレームに付随している様々な情報を受信機が区別することを可能にするような多入力多出力（ＭＩＭＯ）ＯＦＤＭフレーム中で送信されるべきである。
【発明の概要】
【０００５】
[0005]本開示のある特定の態様は、ワイヤレス通信のための装置を提供する。装置は、第１の部分および第２の部分を備えるフレームを生成するように構成された処理システム、該第１の部分は、第１のプロトコルに従って動作する第１のデバイスによって復号可能であり、該第２の部分は、第１のデバイスによって復号不能であり、第１の部分および第２の部分は、第２のプロトコルに従って動作する第２のデバイスによって復号可能である、と、送信のためのフレームを出力するように構成されたインターフェースとを含む。
【０００６】
[0006]本開示のある特定の態様は、ワイヤレス通信のための方法を提供する。方法は、第１の部分および第２の部分を備えるフレームを生成すること、該第１の部分は、第１のプロトコルに従って動作する第１のデバイスによって復号可能であり、該第２の部分は、第１のデバイスによって復号不能であり、第１の部分および第２の部分は、第２のプロトコルに従って動作する第２のデバイスによって復号可能である、と、送信のためのフレームを出力することとを含む。
【０００７】
[0007]本開示のある特定の態様は、ワイヤレス通信のための装置を提供する。装置は、第１の部分および第２の部分を備えるフレームを生成するための手段、該第１の部分は、第１のプロトコルに従って動作する第１のデバイスによって復号可能であり、該第２の部分は、第１のデバイスによって復号不能であり、第１の部分および第２の部分は、第２のプロトコルに従って動作する第２のデバイスによって復号可能である、と、送信のためのフレームを出力するための手段とを含む。
【０００８】
[0008]本開示のある態様は、第１の部分および第２の部分を備えるフレームを生成すること、該第１の部分は、第１のプロトコルに従って動作する第１のデバイスによって復号可能であり、該第２の部分は、第１のデバイスによって復号不能であり、第１の部分および第２の部分は、第２のプロトコルに従って動作する第２のデバイスによって復号可能である、と、送信のためのフレームを出力することとを行うための命令を有するコンピュータ可読媒体を提供する。
【０００９】
[0009]本開示のある特定の態様は、ワイヤレスノードを提供する。ワイヤレスノードは、少なくとも１つのアンテナと、第１の部分および第２の部分を備えるフレームを生成するように構成された処理システム、該第１の部分は、第１のプロトコルに従って動作する第１のデバイスによって復号可能であり、該第２の部分は、第１のデバイスによって復号不能であり、第１の部分および第２の部分は、第２のプロトコルに従って動作する第２のデバイスによって復号可能である、と、少なくとも１つのアンテナを介する送信のためのフレームを出力するように構成されたインターフェースとを含む。
【００１０】
[0010]本開示の態様はまた、上で説明された装置および動作に対応する様々な方法、手段、およびコンピュータプログラム製品を提供する。
【図面の簡単な説明】
【００１１】
【図１】本開示のある特定の態様に従って、実例的なワイヤレス通信ネットワークの図である。
【図２】本開示のある特定の態様に従って、アクセスポイント（一般に、第１のワイヤレスノード）およびユーザデバイス（一般に、第２のワイヤレスノード）のブロック図を例示する図。
【図３Ａ】本開示のある特定の態様に従って、実例的なフレームまたはフレーム部分を例示する。
【図３Ｂ】本開示のある特定の態様に従って、実例的な拡張ディレクショナルマルチギガビット（ＥＤＭＧ：Ｅｘｔｅｎｄｅｄ  Ｄｉｒｅｃｔｉｏｎａｌ  Ｍｕｌｔｉｇｉｇａｂｉｔ）を例示する。
【図４】本開示のある特定の態様に従って、実例的な単一チャネルフレームを例示する。
【図５】本開示のある特定の態様に従って、実例的なボンデッドチャネルフレームを例示する。
【図６】本開示のある特定の態様に従って、実例的な２つの送信チェーンサブフレームＭＩＭＯフレームを例示する。
【図７】本開示のある特定の態様に従って、実例的な３つの送信チェーンサブフレームＭＩＭＯフレームを例示する。
【図８】本開示のある特定の態様に従って、実例的な第４の送信チェーンサブフレームＭＩＭＯフレームを例示する。
【図９】本開示のある特定の態様に従って、実例的な６つの送信チェーンサブフレームＭＩＭＯフレームを例示する。
【図１０】本開示のある特定の態様に従って、実例的な２つの送信チェーンサブフレームチャネルボンデッドＭＩＭＯフレームを例示する。
【図１１】本開示のある特定の態様に従って、様々な送信チェーンおよびチャネルボンディング構成のための疑似ランダムバイナリシーケンスを生成するために使用される原始多項式のための実例的なシーズ（seeds）のテーブルを例示する。
【図１２】本開示のある特定の態様にしたがった、実例的なワイヤレスノードのブロック図を例示する。
【発明を実施するための形態】
【００１２】
[0024]本開示の態様は、複数のチャネルの各々において送信されたシーケンスをトレーニングするチャネル推定を使用することで、複数のチャネルをボンドすることによって形成されるボンデッドチャネルのチャネル推定を実行するための技法を提供する。
【００１３】
[0025]本開示の様々な態様が、添付の図面を参照して以下でより十分に説明される。しかしながら、本開示は、多くの異なる形態で具現化され、本開示全体を通して提示されるあらゆる指定の構造または機能に限定されるものとして解釈されるべきではない。むしろ、これらの態様は、本開示が徹底的で完全であり、当業者に本開示の範囲を十分に伝えることになるように提供される。本明細書における教示に基づいて、本開示のいずれの他の態様からも独立して実装されようと、本開示のいずれの他の態様と組み合わされようと、本開示の範囲が本明細書で開示される開示のいずれの態様もカバーするように意図されていることを、当業者は認識すべきである。たとえば、本明細書で述べられる態様のあらゆる数を使用して、装置が実装されうる、または方法がインプリメントされ得る。加えて本開示の範囲は、本明細書で述べられる本開示の様々な態様の他に、または本開示の様々な態様に加えて、他の構造、機能、または構造および機能を使用して実施されるそのような装置または方法をカバーするように意図されている。本明細書で開示される開示のいずれの態様も、請求項の１つまたは複数の要素によって具現化されうることは理解されるべきである。
【００１４】
[0026]「実例的な」という用語は、本明細書では、「例、事例、または例示としての役割を果たす」という意味で使用されている。「実例的な」ものとして、本明細書で説明されている任意の態様は、必ずしも他の態様に対して好ましいまたは有利なものとして解釈されるべきではない。
【００１５】
[0027]特定の態様が本明細書で説明されているが、これらの態様の多くの変形および交換が、本開示の範囲内に入る。好まれる態様のいくつかの利益および利点が言及されるものの、本開示の範囲は、特定の利益、使用、または目的に限定されるようには意図されていない。むしろ、本開示の態様は、異なるワイヤレス技術、システム構成、ネットワーク、および送信プロトコルに広く適用可能であるように意図されており、そのうちのいくつかは、例として、好まれる態様の以下の説明および図中で例示されている。詳細な説明および図面は、限定するよりむしろ、本開示を単に例示しているものであり、本開示の範囲は、添付の特許請求の範囲およびそれらの均等物により定義されている。  
例となるワイヤレス通信システム
【００１６】
[0028]本明細書で説明される技術は、直交多重化スキームに基づく通信システムを含む、様々なブロードバンドワイヤレス通信システムのために使用されうる。このような通信システムの例は、空間分割多元接続（ＳＤＭＡ）、時分割多元接続（ＴＤＭＡ）、直交周波数分割多元接続（ＯＦＤＭＡ）システム、単一キャリア周波数分割多元接続（ＳＣ−ＦＤＭＡ）システム等を含む。ＳＤＭＡシステムは、複数のユーザ端末に属するデータを同時に送信するために、十分に異なる方向を利用し得る。ＴＤＭＡシステムは、複数のユーザ端末が、送信信号を異なる時間スロットに分割することによって同じ周波数チャネルを共有することを可能にし得、各時間スロットは異なるユーザ端末に割り当てられる。ＯＦＤＭＡシステムは、全システム帯域幅を複数の直交サブキャリアに区分化する変調技法である直交周波数分割多重化（ＯＦＤＭ）を利用する。これらのサブキャリアは、トーン、ビン等とも呼ばれ得る。ＯＦＤＭでは、各サブキャリアは、データで独立して変調され得る。ＳＣ−ＦＤＭＡシステムは、システム帯域幅中で分配されるサブキャリア上で送信するためにインターリーブされたＦＤＭＡ（ＩＦＤＭＡ）を、隣接するサブキャリアのブロック上で送信するために局所化された（localized）ＦＤＭＡ（ＬＦＤＭＡ）を、または隣接するサブキャリアの複数のブロック上で送信するために強化されたＦＤＭＡ（ＥＦＤＭＡ）を利用し得る。一般に、変調シンボルは、ＯＦＤＭでは周波数ドメインにおいて、およびＳＣ−ＦＤＭＡでは時間ドメインにおいて送られる。
【００１７】
[0029]本明細書における教示は、様々な有線またはワイヤレス装置（例えば、ノード）に組み込まれ得る（例えば、様々な有線またはワイヤレス装置内で実装される、または様々な有線またはワイヤレス装置によって実行される）。いくつかの態様では、本明細書における教示にしたがって実装されるワイヤレスノードは、アクセスポイントまたはアクセス端末を備え得る。
【００１８】
[0030]アクセスポイント（「ＡＰ」）は、ノードＢ、無線ネットワークコントローラ（「ＲＮＣ」）、進化型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の専門用語を備え得る、これらとして実装され得る、またはこれらとして知られ得る。
【００１９】
[0031]アクセス端末（「ＡＴ」）は、加入者局、加入者ユニット、モバイル局、遠隔局、遠隔端末、ユーザ端末、ユーザエージェント、ユーザデバイス、ユーザ機器、ユーザ局、または何らかの他の専門用語を備え得る、これらとして実装され得る、またはこれらとして知られ得る。いくつかの実装では、アクセス端末は、セルラ電話、コードレス電話、セッション開始プロトコル（「ＳＩＰ」）電話、ワイヤレスローカルループ（「ＷＬＬ」）局、パーソナルデジタルアシスタント（「ＰＤＡ」）、ワイヤレス接続能力を有するハンドヘルドデバイス、局（「ＳＴＡ」）、またはワイヤレスモデムに接続された何らかの他の適した処理デバイスを備え得る。したがって、本明細書で教示される１つまたは複数の態様は、電話（例えば、セルラ電話またはスマートフォン）、コンピュータ（例えば、ラップトップ）、ポータブル通信デバイス、ポータブルコンピューティングデバイス（例えば、携帯情報端末）、エンターテイメントデバイス（例えば、音楽または映像デバイス、または衛星ラジオ）、全地球測位システムデバイス、または、ワイヤレス媒体またはワイヤード媒体を介して通信するように構成されている任意の他の適したデバイスに組み込まれ得る。いくつかの態様では、ノードは、ワイヤレスノードである。そのようなワイヤレスノードは、例えば、ワイヤードまたはワイヤレス通信リンクを介した、ネットワーク（例えば、インターネットまたはセルラネットワークのような広域ネットワーク）のための接続、またはネットワークまでの接続を提供し得る。
【００２０】
[0032]以下の説明を参照して、アクセスポイントとユーザデバイスとの間の通信のみが許可されないだけでなく、それぞれのユーザデバイス間のダイレクト（ピアツーピア）通信が許可されないことが理解されるだろう。さらに、デバイス（例えば、アクセスポイントまたはユーザデバイス）は、様々な条件に従ってユーザデバイスとアクセスポイントとの間のその行動を変化させ得る。また、１つの物理デバイスは、例えば、異なるチャネル上、異なる時間スロット上、またはその両方で複数の役割：ユーザデバイスおよびアクセスポイント、複数のユーザデバイス、複数のアクセスポイントを果たし得る。
【００２１】
[0033]図１は、本開示のある特定の態様に従って、実例的なワイヤレス通信ネットワーク１００のブロック図を例示する。通信ネットワーク１００は、アクセスポイント１０２と、バックボーンネットワーク１０４と、レガシーユーザデバイス１０６と、新規プロトコルユーザデバイス１１０とを備える。
【００２２】
[0034]ワイヤレスローカルエリアネットワーク（ＬＡＮ）アプリケーションのために構成される、アクセスポイント１０２は、ユーザデバイス１０６と１１０との間のデータ通信を容易にし得る。アクセスポイント１０２は、バックボーンネットワーク１０４に結合されたデバイスとユーザデバイス１０６および１１０のうちの任意の１つまたは複数との間のデータ通信をさらに容易にし得る。
【００２３】
[0035]この例では、アクセスポイント１０２およびレガシーユーザデバイス１０６のデータは、レガシープロトコルを使用して互いの間で通信する。レガシープロトコルの１つの例は、米国電気電子学会（ＩＥＥＥ）８０２．１１ａｄを含む。このプロトコルに従って、アクセスポイント１０２とレガシーユーザデバイス１０６との間のデータ通信は、８０２．１１ａｄプロトコルに適合するデータフレームの送信を介して達成される。本明細書でさらに議論されるように、８０２．１１ａｄデータフレームは、ショートトレーニングフィールド（Ｌ−ＳＴＦ）シーケンスおよびチャネル推定フィールド（Ｌ−ＣＥＦ）シーケンスと、ヘッダ（Ｌ−Ｈｅａｄｅｒ）と、ペイロードデータと、オプションのビームフォーミングトレーニングフィールドとから成るプリアンブルを含む。
【００２４】
[0036]Ｌ−ＳＴＦシーケンスは、ＳＴＦシーケンスの終わりを知らせるために、複数の連結されたゴーレイシーケンス（Ｇａ128）の後にネガティブゴーレイシーケンス（−Ｇａ128）を含む。Ｌ−ＳＴＦシーケンスは、フレームの残りを正確に受信するための、その自動利得制御（ＡＧＣ）、タイミング、および周波数セットアップをセットアップしているときに受信機を支援し得る。
【００２５】
[0037]単一キャリア（ＳＣ）送信モードの場合では、Ｌ−ＣＥＦは、（以下の連結されたゴーレイシーケンス（−Ｇｂ128、−Ｇａ128、Ｇｂ128、−Ｇａ128）から成る）Ｇｕ512シーケンスの後に（以下の連結されたゴーレイシーケンス（−Ｇｂ128、Ｇａ128、−Ｇｂ128、−Ｇａ128）から成る）Ｇｖ512シーケンスが続き、最後に（−Ｇｂ128と同じ）Ｇｖ128シーケンスが付いているシーケンスとを含む。直交周波数分割多重（ＯＦＤＭ）送信モードの場合では、Ｌ−ＣＥＦは、Ｇｖ512シーケンスの後にＧｕ512シーケンスが続き、最後にＧｖ128シーケンスが付いているシーケンスを含む。Ｌ−ＣＥＦは、データフレームが送信されるチャネルの伝達関数または周波数応答を推定しているときに受信機を支援し得る。
【００２６】
[0038]８０２．１１ａｄデータフレームにおけるＬ−Ｈｅａｄｅｒは、フレームに関する情報を含む。このような情報は、スクランブラー開始フィールドを含み、それは、データのホワイトニング目的のためにヘッダおよびペイロードデータの残りに適用されるスクランブリングのためのシードを指定する。Ｌ−Ｈｅａｄｅｒはまた、フレームのデータペイロード部分を送信するために使用される１２個の定義された変調およびコーディングスキーム（ＭＣＳ）の中から１つを示すためにＭＣＳフィールドを含む。Ｌ−Ｈｅａｄｅｒは、オクテットにおけるデータペイロードの長さを示すために長さフィールドを含む。Ｌ−Ｈｅａｄｅｒはまた、フレームの終わりでオプションのビームフォーミングトレーニングシーケンスの長さを示すためにトレーニング長さフィールドを含む。追加として、Ｌ−Ｈｅａｄｅｒは、オプションのビームフォーミングフィールドが送信または受信に関連するかどうかを示すためにパケットタイプフィールドを含む。さらに、Ｌ−Ｈｅａｄｅｒは、ヘッダビットにわたる巡回冗長コード（ＣＲＣ）（例えば、ＣＲＣ−３２）チェックサムを示すためにヘッダチェックサム（ＨＣＳ）フィールドを含む。
【００２７】
[0039]図１を再び参照すると、レガシーユーザデバイス１０６は、完全な８０２．１１ａｄデータフレームを復号することが出来る。現在進展中のＩＥＥＥ８０２．１１ａｙのような、新規基準またはプロトコルのために後に採用され得る、本明細書で開示される新規フレームは、いくつかの下位互換性特徴を提供する。本明細書で詳細に議論されるように、新規フレームは、８０２．１１ａｄのプリアンブル（Ｌ−ＳＴＦおよびＬ−ＣＥＦ）およびＬ−Ｈｅａｄｅｒを含むが、提案された新規プロトコルに関する追加の部分も含む。その結果、レガシーユーザデバイス１０６は、新規フレームのＬ−ＳＴＦ、Ｌ−ＣＥＦ、およびＬ−Ｈｅａｄｅｒを復号するように構成されるが、新規フレームの残りの部分を復号するようには構成されない。レガシーユーザデバイス１０６は、レガシーユーザデバイスと新規プロトコルデバイスとの両方が送信のために同じチャネルを使用するような、送信衝突回避の目的のために新規フレームの長さを決定するするようネットワーク割り振りベクトル（ＮＡＶ）を計算するために新規フレームのＬ−Ｈｅａｄｅｒの長さフィールド中のデータを復号し得る。
【００２８】
[0040]新規プロトコルユーザデバイス１１０は、新規フレームのいくつかまたはすべての特徴が現在進展中の８０２．１１ａｙプロトコルのために採用され得る、新規データフレームを使用してアクセスポイント１０２と通信することができる。本明細書でさらに議論されるように、新規データフレームは、レガシーのＬ−ＳＴＦ、Ｌ−ＣＥＦ、およびＬ−Ｈｅａｄｅｒフィールドを含む。レガシーフィールドに加えて、新規フレームは、拡張指向性マルチギガビット（ＥＤＭＧ）Ｈｅａｄｅｒをさらに備える。本明細書でさらに詳細に議論されるように、ＥＤＭＧ  Ｈｅａｄｅｒは、新規フレームのための様々な属性を示すために複数のフィールドを備える。このような属性は、ペイロードデータ長さ、ＥＤＭＧ  Ｈｅａｄｅｒに付加された低密度パリティチェック（ＬＤＰＣ）データブロックの数、空間ストリームの数、ボンデッドチャネルの数、ボンデッドチャネルの最も左（最低周波数）のチャネル、新規フレームのデータペイロードのための変調コーディングスキーム（ＭＣＳ）、および他の情報を含む。上で述べたように、ＥＤＭＧ  Ｈｅａｄｅｒは、新規フレームのデータペイロード部分ではないペイロードデータと共にさらに付加され得る。ショートメッセージについて、全体のペイロードデータは、ＥＤＭＧ  Ｈｅａｄｅｒに付加され、その結果、新規フレームの「区分」データペイロード部分を送信するための必要性を回避し得、それは、フレームに重要なオーバーヘッドを加える。
【００２９】
[0041]新規データフレームは、より高いデータ変調スキーム、チャネルボンディング、および多入力多出力（ＭＩＭＯ）アンテナ構成を介する改善された空間送信を採用することによってデータスループットを改善する追加の特徴を提供するように構成される。たとえば、レガシー８０２．１１ａｄプロトコルは、ＢＰＳＫ、ＱＰＳＫ、および１６ＱＡＭの利用可能な変調スキームを含む。新規プロトコルに従って、６４ＱＡＭ、６４ＡＰＳＫ、１２８ＡＰＳＫ、２５６ＱＡＭ、および２５６ＡＰＳＫのようなより高い変調スキームが利用可能である。追加として、複数のチャネルは、データスループットを増大させるためにボンドされ（bonded）得る。さらに、そのようなボンデッドチャネルは、ＭＩＭＯアンテナ構成を使用して複数の空間送信経由で送信され得る。
【００３０】
[0042]図２は、アクセスポイント（一般に、第１のワイヤレスノード）とユーザデバイス２５０（一般に、第２のワイヤレスノード）を含むワイヤレス通信ネットワーク２００のブロックを例示する。アクセスポイント２１０は、ダウンリンクでは送信エンティティであり、アップリンクでは受信エンティティである。ユーザデバイス２５０は、アップリンクでは送信エンティティであり、ダウンリンクでは受信エンティティである。本明細書で使用するような「送信エンティティ」は、ワイヤレスチャネルを介してデータを送信することが可能な、独立して動作する装置またはデバイスであり、「受信エンティティ」は、ワイヤレスチャネルを介してデータを受信することが可能な、独立して動作する装置またはデバイスである。
【００３１】
[0043]アクセスポイント２１０は、代替としてユーザデバイスであり、ユーザデバイス２５０は、代替としてアクセスポイントであり得ることを理解されたい。
【００３２】
[0044]送信データについて、アクセスポイント２１０は、送信データプロセッサ２２０と、フレームビルダ２２２と送信プロセッサ２２４と、複数のトランシーバ２２６−１から２２６−Ｎと、複数のアンテナ２３０−１から２３０−Ｎとを備える。アクセスポイント２１０はまた、アクセスポイント２１０の動作を制御するためのコントローラ２３４を備える。
【００３３】
[0045]動作において、送信データプロセッサ２２０は、データソース２１５からデータ（例えば、データビット）を受信し、送信のためにデータを処理する。例えば、送信データプロセッサ２２０は、符号化データにデータを符号化し、データシンボルに符号化データを変調し得る。送信データプロセッサ２２０は、異なる変調およびコーディングスキーム（ＭＣＳ）をサポートし得る。例えば、送信データプロセッサ２２０は、複数の異なるコーディングレートのうちの任意の１つでデータを（例えば、低密度パリティチェック（ＬＤＰＣ）符号化を使用して）符号化し得る。また、送信データプロセッサ２２０は、ＢＰＳＫ、ＱＰＳＫ、１６ＱＡＭ、６４ＱＡＭ、６４ＡＰＳＫ、１２８ＡＰＳＫ、２５６ＱＡＭ、および２５６ＡＰＳＫを含むがこれらに限定されない、複数の異なる変調スキームのうちの任意の１つを使用して符号化データを変調し得る。
【００３４】
[0046]ある態様では、コントローラ２３４は、（例えば、ダウンリンクのチャネル条件に基づいて）どの変調およびコーディングスキーム（ＭＣＳ）を使用するかを指定するコマンドを送信データプロセッサ２２０に送り得、送信データプロセッサ２２０は、指定されたＭＣＳに従ってデータソース２１５からのデータを符号化および変調し得る。送信データプロセッサ２２０は、データスクランブリングおよび／または他の処理のようなデータ上での追加の処理を実行し得ることが認識されるべきである。送信データプロセッサ２２０は、フレームビルダ２２２にデータシンボルを出力する。
【００３５】
[0047]フレームビルダ２２２は、（パケットとも呼ばれる）フレームを構築し、フレームのペイロードデータ中にデータシンボルを挿入する。フレームは、レガシープリアンブル（例えば、Ｌ−ＳＴＦおよびＬ−ＣＥＦ）、レガシーＬ−Ｈｅａｄｅｒ、ＥＤＭＧ  Ｈｅａｄｅｒ、新規プロトコルプリアンブル（例えば、ＥＤＭＧ  ＳＴＦ−Ａ、ＥＤＭＧ  ＳＴＦ−Ｂ、およびＥＤＭＧ  ＳＴＦ−ＣＥＦ）、データペイロード、およびオプションのビームトレーニングシーケンス（ＴＲＮ）を含み得る。レガシープリアンブルは、フレームを受信しているときにユーザデバイスを支援するために、レガシーショートトレーニングフィールド（Ｌ−ＳＴＦ）シーケンスおよびレガシーロングチャネル推定フィールド（Ｌ−ＣＥＦ）を含み得る。Ｌ−ＨｅａｄｅｒおよびＥＤＭＧ  Ｈｅａｄｅｒは、データを符号化および変調するために使用されるＭＣＳおよびデータの長さのようなペイロードにおけるデータに関する情報を含み得る。この情報は、ユーザデバイス２５０がデータを復調し復号することを可能にし得る。新規プロトコルプリアンブルフィールド、ＥＤＭＧ  ＳＴＦ−Ａ、ＥＤＭＧ  ＳＴＦ−Ｂ、およびＥＤＭＧ  ＣＥＦは、そのフロントエンドの自動利得制御（ＡＧＣ）において受信機を支援し、高速フーリエ変換（ＦＦＴ）中にサンプルを入力するためのタイミングオフセットをセットアップし、フレームが受信されたチャネルの周波数応答を推定する。ペイロード中のデータは、複数のブロックの間で分割され、各ブロックは、位相トラッキングで受信機を支援するためにガードインターバル（ＧＩ）およびデータの一部を含み得る。フレームビルダ２２２は、送信プロセッサ２２４にフレームを出力する。
【００３６】
[0048]送信プロセッサ２２４は、ダウンリンク上で送信のためのフレームを処理する。例えば、送信プロセッサ２２４は、直交周波数分割多重（ＯＦＤＭ）送信モードのような異なる送信モードをサポートし得る。この例では、コントローラ２３４は、どの送信モードを使用するかを指定するコマンドを送信プロセッサ２２４に送り得、送信プロセッサ２２４は、指定された送信モードに従って送信のためのフレームを処理し得る。送信プロセッサ２２４は、ダウンリンク信号の周波数構成があるスペクトル要求を満たすことができるようフレームにスペクトルマスクを適用し得る。
【００３７】
[0049]ある態様では、送信プロセッサ２２４は、多入力多出力（ＭＩＭＯ）送信をサポートし得る。これらの態様では、アクセスポイント２１０は、複数のアンテナ２３０−１から２３０−Ｎと、複数のトランシーバ２２６−１から２２６−Ｎ（例えば、各アンテナに対して１つ）とを含み得る。送信プロセッサ２２４は、入来フレーム上で空間処理を実行し、複数のアンテナのための複数の送信ストリームを提供し得る。トランシーバ２２６−１から２２６−Ｎは、それぞれ、アンテナ２３０−１から２３０Ｎを介して送信のための区別できる空間的に異なる送信信号を生成するために、それぞれの送信フレームストリームを受信し、処理する（例えば、アナログに変換し、増幅し、フィルタ処理し、周波数アップコンバートする）。
【００３８】
[0050]送信データについて、ユーザデバイス２５０は、送信データプロセッサ２６０と、フレームビルダ２６２と、送信プロセッサ２６４と、複数のトランシーバ２６６−１から２６６−Ｎと、複数のアンテナ２７０−１から２７０−Ｎ（例えば、トランシーバごとに１つのアンテナ）とを備える。ユーザデバイス２５０は、アップリンク上でアクセスポイント２１０にデータを送信する、および／または（ピアツーピア通信のために）別のユーザデバイスにデータを送信し得る。ユーザデバイス２５０はまた、ユーザデバイス２５０の動作を制御するためのコントローラ２７４を備える。
【００３９】
[0051]動作において、送信データプロセッサ２６０は、データソース２５５からデータ（例えば、データビット）を受信し、送信のためにデータを処理する（例えば、符号化し変調する）。送信データプロセッサ２６０は、異なるＭＣＳをサポートし得る。例えば、送信データプロセッサ２６０は、複数のコーディングレートのうちの任意の１つで（例えば、ＬＤＰＣ符号化を使用して）データを符号化し、ＢＰＳＫ、ＱＰＳＫ、１６ＱＡＭ、６４ＱＡＭ、６４ＡＰＳＫ、１２８ＡＰＳＫ、２５６ＱＡＭ、および２５６ＡＰＳＫを含むがこれらに限定されない、複数の異なる変調スキームのうちの任意の１つを使用して符号化データを変調し得る。ある態様では、コントローラ２７４は、（例えば、アップリングのチャネル条件に基づいて）どのＭＣＳを使用するかを指定するコマンドを送信データプロセッサ２６０に送り得、送信データプロセッサ２６０は、指定されたＭＣＳに従ってデータソース２５５からのデータを符号化および変調し得る。送信データプロセッサ２６０は、データ上での追加の処理を実行し得ることが認識されるべきである。送信データプロセッサ２６０は、フレームビルダ２６２にデータシンボルを出力する。
【００４０】
[0052]フレームビルダ２６２は、フレームを構築し、フレームのペイロードデータ中に受信データシンボルを挿入する。フレームは、レガシープリアンブル（Ｌ−ＳＴＦおよびＬ−ＣＥＦ）、レガシーＬ−Ｈｅａｄｅｒ、ＥＤＭＧ  Ｈｅａｄｅｒ、新規プロトコルプリアンブル（ＥＤＭＧ  ＳＴＦ−Ａ、ＥＤＭＧ  ＳＴＦ−Ｂ、およびＥＤＭＧ  ＳＴＦ−ＣＥＦ）、データペイロード、およびオプションのビームトレーニングシーケンス（ＴＲＮ）を含み得る。レガシーおよび新規プロトコルプリアンブルは、フレームを受信しているアクセスポイント２１０および／または他のユーザデバイスを支援する。Ｌ−ＨｅａｄｅｒおよびＥＤＭＧ  Ｈｅａｄｅｒは、データを符号化および変調するために使用されるＭＣＳおよびデータの長さのようなペイロードにおけるデータに関する情報を含み得る。ペイロード中のデータは、複数のブロックの間で分割され、各ブロックは、位相トラッキングでアクセスポイントおよび／または他のユーザデバイスを支援するガードインターバル（ＧＩ）およびデータの一部を含み得る。フレームビルダ２６２は、送信プロセッサ２６４にフレームを出力する。
【００４１】
[0053]送信プロセッサ２６４は、送信のためのフレームを処理する。例えば、送信プロセッサ２６４は、ＯＦＤＭ送信モードおよび  ＷＢ  ＳＣ送信モードのような異なる送信モードをサポートし得る。この例では、コントローラ２７４は、どの送信モードを使用するかを指定するコマンドを送信プロセッサ２６４に送り得、送信プロセッサ２６４は、指定された送信モードに従って送信のためのフレームを処理し得る。送信プロセッサ２６４は、アップリング信号の周波数構成があるスペクトル要求を満たすことができるようフレームにスペクトルマスクを適用し得る。
【００４２】
[0054]トランシーバ２６６−１から２６６−Ｍは、１つまたは複数のアンテナ２７０−１から２７０−Ｍを介した送信のために送信プロセッサ２６４の出力を受信し処理する（例えば、アナログに変換し、増幅し、フィルタ処理し、周波数アップコンバートする）。例えば、トランシーバ２６６−１から２６６−Ｍは、６０ＧＨｚ範囲における周波数を有する送信信号に送信プロセッサ２６４の出力をアップコンバートし得る。
【００４３】
[0055]ある態様では、送信プロセッサ２６４は、多入力多出力（ＭＩＭＯ）送信をサポートし得る。これらの態様では、ユーザデバイス２５０は、複数のアンテナ２７０−１から２７０−Ｍと、複数のトランシーバ２６６−１から２６６−Ｍ（例えば、各アンテナに対して１つ）とを含み得る。送信プロセッサ２６４は、入来フレーム上で空間処理を実行し、複数のアンテナ２７０−１から２７０−Ｍのための複数の送信フレームストリームを提供し得る。トランシーバ２６６−１から２６６−Ｍは、区別できる空間的に異なる送信信号を生成するために、それぞれの送信フレームストリームを受信し、処理する（例えば、アナログに変換し、増幅し、フィルタ処理し、周波数アップコンバートする）。
【００４４】
[0056]データを受信することについて、アクセスポイント２１０は、受信プロセッサ２４２および受信データプロセッサ２４４を備える。動作において、トランシーバ２２６−１から２２６−Ｎは、（例えば、ユーザデバイス２５０から）信号を受信し、受信信号を空間的に処理する（例えば、周波数ダウンコンバートし、増幅し、フィルタ処理し、デジタルに変換する）。
【００４５】
[0057]受信プロセッサ２４２は、トランシーバ２２６−１から２２６−Ｎの出力を受信し、データシンボルを復元するために出力を処理する。例えば、アクセスポイント２１０は、フレーム中で（例えばユーザデバイス２５０から）データを受信し得る。この例では、受信プロセッサ２４２は、フレームのプリアンブルにおけるレガシーＬ−ＳＴＦを使用してフレームの開始を検出し得る。受信プロセッサ２４２はまた、自動利得制御（ＡＧＣ）調整のためにＬ−ＳＴＦおよび／またはＥＤＭＧ  ＳＴＦ−Ａを使用し得る。受信プロセッサ２４２はまた、処理のためにＦＦＴ中に受信信号のサンプルを入力するための適切な時間ウィンドウを設定および維持するためにＥＤＭＧ  ＳＴＦ−Ｂを使用し得る。受信プロセッサ２４２はまた、（フレームのレガシーＬ−ＣＥＦおよび／または新規の適切なＥＤＭＧ  ＣＥＦフィールドを使用して）チャネル推定を実行し、チャネル推定に基づいて受信信号上でチャネル等化を実行し得る。
【００４６】
[0058]さらに、受信プロセッサ２４２は、ペイロード中のガードインターバル（ＧＩ）を使用して位相雑音を推定し、推定された位相雑音に基づいて受信信号中の位相雑音を低減し得る。位相雑音は、周波数変換のために使用される、ユーザデバイス２５０における局部発振からの雑音および／またはアクセスポイント２１０における局部発振器からの雑音に起因し得る。位相雑音はまた、チャネルからの雑音を含み得る。受信プロセッサ２４２はまた、フレームのヘッダから情報（例えば、ＭＣＳスキーム）を復元し、コントローラ２３４に情報を送り得る。チャネル等化および／または位相雑音低減を実行した後、受信プロセッサ２４２は、フレームからデータシンボルを復元し、更なる処理のために受信データプロセッサ２４４に復元したデータシンボルを出力し得る。
【００４７】
[0059]受信データプロセッサ２４４は、受信プロセッサ２４２からデータシンボル、およびコントローラ２３４から対応するＭＳＣスキームのインジケーションを受信する。受信データプロセッサ２４４は、示されたＭＳＣスキームに従ってデータを復元するためにデータシンボルを変調し、復号し、記憶および／またはさらなる処理のためにデータシンク２４６に復元されたデータ（例えば、データビット）を出力し得る。
【００４８】
[0060]上で議論されるように、ユーザデバイス２５０は、ＯＦＤＭ送信フレームを使用して送信し得る。この場合、受信プロセッサ２４２は、ＯＦＤＭ送信モードに従って受信信号を処理し得る。また、上で議論されるように、送信プロセッサ２６４は、多入力多出力（ＭＩＭＯ）送信をサポートし得る。この場合、アクセスポイント２１０は、複数のアンテナ２３０−１から２３０−Ｎと、複数のトランシーバ２２６−１から２２６−Ｎ（例えば、各アンテナに対して１つ）とを含む。各トランシーバは、それぞれのアンテナから信号を受信および処理する（例えば、周波数ダウンコンバートし、増幅し、フィルタ処理し、周波数アップコンバートする）。受信プロセッサ２４２は、データシンボルを復元するために、トランシーバ２２６−１から２２６−Ｎの出力上で空間処理を実行し得る。
【００４９】
[0061]データを受信することについて、ユーザデバイス２５０は、受信プロセッサ２８２および受信データプロセッサ２８４を備える。動作において、トランシーバ２６６−１から２６６−Ｍは、それぞれのアンテナ２７０−１から２７０−Ｍを介して（例えば、ユーザデバイス２７０から）信号を受信し、受信信号を処理する（例えば、周波数ダウンコンバートし、増幅し、フィルタ処理し、デジタルに変換する）。
【００５０】
[0062]受信プロセッサ２８２は、トランシーバ２６６−１から２６６−Ｍの出力を受信し、データシンボルを復元するために出力を処理する。例えば、ユーザデバイス２５０は、上で議論したように、フレームにおいてデータを（例えば、アクセスポイント２１０または別のユーザデバイスから）受信し得る。この例では、受信プロセッサ２８２は、フレームのプリアンブル中のレガシーＬ−ＳＴＦを使用してフレームの開始を検出し得る。受信プロセッサ２８２は、レガシーＬ−ＳＴＦおよび／またはＥＤＭＧ  ＳＴＦ−Ａを使用して自動利得制御（ＡＧＣ）を実行し得る。受信機プロセッサ２８２はまた、処理のためにＦＦＴ中に受信信号のサンプルを入力するための適切な時間ウィンドウを設定および維持するためにＥＤＭＧ  ＳＴＦ−Ｂを使用し得る。受信プロセッサ２８２はまた、（レガシーＬ−ＣＥＦおよび／またはフレームの新規の適切なＥＤＭＧ  ＣＥＦを使用して）チャネル推定を実行し、チャネル推定に基づいて受信信号上でチャネル等化を実行し得る。
【００５１】
[0063]さらに、受信プロセッサ２８２は、ペイロードにおけるガードインターバル（ＧＩ）を使用して位相雑音を推定し、推定された位相雑音に基づいて受信信号における位相雑音を低減し得る。受信プロセッサ２８２はまた、フレームのヘッダから情報（例えば、ＭＣＳスキーム）を復元し、コントローラ２７４に情報を送り得る。チャネル等化および／または位相雑音低減を実行した後、受信２８２は、フレームからデータシンボルを復元し、更なる処理のために受信データプロセッサ２８４に復元したデータシンボルを出力し得る。
【００５２】
[0064]受信データプロセッサ２８４は、受信プロセッサ２８２からデータシンボル、およびコントローラ２７４から対応するＭＳＣスキームのインジケーションを受信する。受信データプロセッサ２８４は、示されたＭＳＣスキームに従ってデータを復元するためにデータシンボルを変調し、復号し、記憶および／またはさらなる処理のためにデータシンク２８６に復元されたデータ（例えば、データビット）を出力し得る。
【００５３】
[0065]上で議論されるように、アクセスポイント２１０または別のユーザデバイスは、ＯＦＤＭ送信モードを使用してデータを送信し得る。この場合、受信プロセッサ２８２は、ＯＦＤＭ送信モードに従って受信信号を処理し得る。また、上で議論されるように、送信プロセッサ２２４は、多入力多出力（ＭＩＭＯ）送信をサポートし得る。この場合、ユーザデバイス２５０は、複数のアンテナと、複数のトランシーバ（例えば、各アンテナに対して１つ）とを含み得る。各トランシーバは、それぞれのアンテナから信号を受信および処理する（例えば、周波数ダウンコンバートし、増幅し、フィルタ処理し、周波数アップコンバートする）。受信プロセッサ２８２は、データシンボルを復元するために、トランシーバの出力上で空間処理を実行し得る。
【００５４】
[0066]図２に示されるように、アクセスポイント２１０はまた、コントローラ２３４に結合されたメモリ２３６を備える。メモリ２３６は、コントローラ２３４によって実行されると、コントローラ２３４に、本明細書で説明される動作のうちの１つまたは複数を実行させる命令を記憶し得る。同様に、ユーザデバイス２５０はまた、コントローラ２７４に結合されるメモリ２７６を備える。メモリ２７６は、コントローラ２７４によって実行されると、コントローラ２７４に、本明細書で説明される動作のうちの１つまたは複数を実行させる命令を記憶し得る。  
拡張フレームに共通するフレームフォーマット
【００５５】
[0067]図３Ａは、本開示のある特定の態様に従って、実例的なフレームまたはフレーム部分３００の図を例示する。本明細書で説明されるように、本明細書で説明されるフレームフォーマットのすべては、レガシー（８０２．１１ａｄ）フィールド：Ｌ−ＳＴＦ、Ｌ−ＣＥＦ、およびＬ−Ｈｅａｄｅｒから開始する。これらのフィールドは、レガシーユーザデバイスおよび新規プロトコルデバイス（例えば、アクセスポイントおよびユーザデバイス）によって復号可能であり得る。レガシーフィールドの後、送信は、新規プロトコル（例えば、「ＮＧ６０」としても知られる、現在進展中の８０２．１１ａｙ）の一部であり得る１つまたは複数の様々なフィールドを含む。フレームまたはフレーム部分３００の新規プロトコルオプションは、オプションとして添付されるペイロードデータと共に拡張ディレクショナルマルチギガビット（ＥＤＭＧ）Ｈｅａｄｅｒから開始する。レガシーデバイスは、ＥＤＭＧ  Ｈｅａｄｅｒを復号することが出来ないが、新規プロトコルデバイスは、ＥＤＭＧ  Ｈｅａｄｅｒを復号することが出来る。
【００５６】
[0068]図に従って、ｘ−または水平軸は、時間を表し、ｙ−または垂直軸は、周波数を表す。レガシー（例えば、８０２．１１ａｄ）プロトコル後方互換性の目的のために、フレーム３００のレガシーＬ−ＳＴＦは、１．１６マイクロ秒（μｓ）の持続時間を有し、レガシーＬ−ＣＥＦ部分は、０．７３μｓの持続時間を有し、レガシーＬ−Ｈｅａｄｅｒは、０．５８μｓの持続時間を有し得る。ＥＤＭＧ  Ｈｅａｄｅｒは、０．２９μｓまたはそれ以上の持続時間を有し得る。フレーム３００が完全なフレームである（フレーム部分でない）場合では、フレーム３００は、周波数レガシーチャネルを介して送信され、ＥＤＭＧ  Ｈｅａｄｅｒに添付されたペイロードデータを含み得る。このような構成は、送信のためのオーバーヘッドを消費し得る、新規フレームフォーマットに従う別個のペイロードデータを必要としないので、ショートメッセージのために有益であり得る。
【００５７】
[0069]レガシーＬ−Ｈｅａｄｅｒは、様々なパラメータを指定し、範囲内にあるすべての局（例えば、レガシーデバイス、新規プロトコルデバイス、およびアクセスポイント）によって復号され得る。これらの局は、それらがメッセージを受信するためにまたは送信するより前に待機しているときにリッスンする。レガシーＬ−Ｈｅａｄｅｒは、データ送信において使用される変調コーディングスキーム（ＭＣＳ）および送信されるデータの量を指定する。局は、ネットワーク割り振りベクトル（ＮＡＶ）を更新するために、本明細書で説明される新規フレーム（例えば、Ｌ−ＳＴＦ、Ｌ−ＣＥＳ、Ｌ−Ｈｅａｄｅｒ、ＥＤＭＧ  Ｈｅａｄｅｒ、（もし含むならば）ＥＤＭＧ  ＳＴＦ−Ａ、（もし含むならば）ＥＤＭＧ  ＳＴＦ−Ｂ、（もし含むならば）ＥＤＭＧ  ＣＥＦ、および（もし含むならば）ペイロードデータを含むが、ＴＲＮフィールドを除く）のうちの任意のものの全体の持続時間の長さを計算するためにこれら２つの値を使用する。これは、たとえそれらがデータそれ自体を復号することができなくとも、またはたとえそれらがメッセージの意図された受信機でなくとも、媒体が別のデバイス（例えば、アクセスポイントまたはユーザデバイス）によって使用されることになることを知るのを可能にするメカニズムである。ＮＡＶの使用は、送信された信号衝突を避けるメカニズムのうちの１つである。
【００５８】
[0070]レガシー８０２．１１ａｄフレームフォーマットでは、データは、サイズがコードレートに従う、低密度パリティチェック（ＬＤＰＣ）ブロック中に置かれ、その後、固定長さブロック（例えば、６７２ビット）に符号化される。結果は、連結され、その後、選択されたＭＣＳ（すなわち変調）に従って高速フーリエ変換（ＦＦＴ）ブロック（変調シンボルのブロック）に分けられる。受信機で、処理は、逆にされる。低データＭＣＳでは、１つのＬＤＰＣブロックが１つまたは複数のＦＦＴブロックを要求することになる一方、高データＭＣＳでは、１つのＦＦＴブロックが１つのＬＤＰＣブロックより多くをホストし得ることに注意されたい。この議論は、より詳細に本明細書において説明されるように、ＥＤＭＧ  Ｈｅａｄｅｒに添付されるＬＤＰＣデータの配置に関する。
【００５９】
[0071]図３Ｂは、本開示のある特定の態様に従って、実例的なフレームのＥＤＭＧ  Ｈｅａｄｅｒ３５０またはフレーム部分３００を例示する。ＥＤＭＧ  Ｈｅａｄｅｒは、送信フレームを受信し復号することが可能な受信機よって使用される送信フレームパラメータ（ＭＣＳ、データ長さ、モード、等）を指定する。（目的局ではない）他の局がＥＤＭＧ  Ｈｅａｄｅｒを変調する必要はない。従って、ＥＤＭＧ  Ｈｅａｄｅｒおよび添付されたデータは、目的局に適した高いＭＣＳで送信されることができる。
【００６０】
[0072]EDMG Ｈｅａｄｅｒ３５０は、以下を備える：（１）ペイロードデータがＥＤＭＧ  Ｈｅａｄｅｒに添付されるまたは別個のペイロードデータ部分中にあるかどうかに関わらず、全ての並列チャネル中のオクテットにおいてペイロードデータの長さを指定する２４ビットを含み得る、ペイロードデータ長さフィールド；（２）ＥＤＭＧ  Ｈｅａｄｅｒに添付されるＬＤＰＣデータブロックの数を指定する１０ビットを含み得る、ＬＤＰＣブロックのＥＤＭＧ  Ｈｅａｄｅｒ数。値がゼロ（０）であるとき、ＥＤＭＧ  Ｈｅａｄｅｒにおいてデータの１つ（１）のＬＤＰＣブロックがあることを意味する；（３）送信されている空間ストリームの数（例えば、１から１６）を表す４ビットを含み得る、空間ストリームフィールド；（４）ボンデッドチャネルの数（例えば、１つ（１）から（８）の８０２．１１ａｄ周波数チャネル（および８０２．１１ａｄにおいて利用可能でない追加のチャネル））を指定する３ビットを含み得る、チャネルフィールド；および（５）ボンデッドチャネルのうちの第１のチャネルのオフセットを指定する３ビットを含み得る、チャネルオフセット。言い換えれば、チャネルオフセットは、ボンデッドチャネル間の最低周波数チャネルを識別する。第１のチャネルがすべての利用可能なチャネルの間で最低の周波数チャネルであるとき、または１つのみのチャネルが使用される（つまりチャネルボンディングされない）とき、この値は、ゼロ（０）に設定される。
【００６１】
[0073]ＥＤＭＧ  Ｈｅａｄｅｒ３５０は、以下をさらに備える：（６）フレームのペイロードデータ部分において使用されるＭＣＳを指定する６ビットを含み得る、１１ａｙ  ＭＣＳフィールド。ＥＤＭＧ  Ｈｅａｄｅｒに添付されたデータがレガシー８０２．１１ａｄ  ＭＣＳのみを使用する（および新規プロトコルに従ってのみ利用可能であるより高いＭＣＳを使用しない）ことに注意されたい。新規プロトコルＭＣＳは、６４ＱＡＭ、６４ＡＰＳＫ、２５６ＱＡＭ、および２５６ＡＰＳＫのような８０２．１１ａｄにおいて利用可能な変調スキームを超えるより高いスループットの変調スキームを含む；（７）ショートまたはロングＧＩ（ガードインターバル）を示す１ビットを含み得る、ＧＩモードフィールド。（８）ショートまたはロングＦＦＴブロックを示す１ビットを含み得る、ＦＦＴモードフィールド。（９）ショートまたはロングＬＤＰＣブロックを示す１ビットを含み得る、ＬＤＰＣモードフィールド。および（１０）設定されたとき、ＭＩＭＯについてのロングチャネル推定シーケンスの使用を示す、１ビットを含み得るロングＣＥＦフィールド；空間ストリームの数が１つの場合では、このビットは予約される。
【００６２】
[0074]ＥＤＭＧ  Ｈｅａｄｅｒ３５０は、以下をさらに備える：（１１）その時点で予約される２６ビットを含み得る、予約ビット。送信機は、その時点で０にそれらを設定すべきである。将来は、これらのビットは、様々な必要性に割り振られ得る；（１２）ベンダーによって使用され、相互運用性を要求しない８つのスペアビットを含み得る、専用ビット。受信機は、それらが何なのかわからない限りこれらのビットを破棄すべきである；および（１３）ＥＤＭＧ  Ｈｅａｄｅｒを合図する１６ビットを含み得る、ＣＲＣフィールド。このフィールドは、受信したＥＤＭＧ  Ｈｅａｄｅｒの正確さを認証するために受信機によって使用されるべきである。（ＣＲＣを除く）すべてのビットは、ＣＲＣを計算するために使用されるだろう。
【００６３】
[0075]ＥＤＭＧ  Ｈｅａｄｅｒ３５０は、正確に同じコンテンツを有する、各々同時に送信されるチャネル上で送られ得る。この複製は、正確な検出の可能性を増大させるために受信機によって使用されることが出来る。受信機は、以下の異なるアルゴリズムを使用し得る：オプション１：受信機は、（最低の性能だが単純な）１つのチャネルのみを復号する；オプション２：受信機は、その時点で１つのチャネルのみを復号する。ＣＲＣがパスする場合、その後追加チャネルのためのＣＲＣ処理を停止する、そうでない場合、追加チャネルのためのＣＲＣ処理を試みる。オプション２は、オプション１より性能でより良くなるが、シリアル処理を要求する；およびオプション３：全てのチャネルを復号し、訂正されたＣＲＣを有するものを選択する。オプション３は、オプション２と同じ性能を有するがより早い。
【００６４】
単一チャネルＯＦＤＭのためのフレームフォーマット
[0076]図４は、本開示のある特定の態様に従って、実例的な単一チャネルＯＦＤＭフレーム４００を例示する。ＯＦＤＭフレーム４００は、後方準拠になるためにプレフィックスとしてレガシー８０２．１１ａｄプリアンブル（Ｌ−ＳＴＦおよびＬ−ＣＥＦ）およびＬ−Ｈｅａｄｅｒを維持するべきである。したがって、フレームＬ−ＳＴＦ、Ｌ−ＣＥＦ、およびＬ−Ｈｅａｄｅｒのレガシー部分は、レガシー８０２．１１ａｄプロトコルに従って動作するデバイスによっても、新規プロトコルに従って動作するデバイスによっても復号可能であり、それは、現在進展中の８０２．１１ａｙプロトコルになることができる。ＥＤＭＧ  Ｈｅａｄｅｒ、ＥＤＭＧ  ＳＴＦ−Ａ、ＥＤＭＧ  ＳＴＦ−Ｂ、ＥＤＭＧ  ＣＥＦ、およびデータペイロードは、新規プロトコルに従って動作するデバイスによって復号可能であるが、８０２．１１ａｄプロトコルに従って動作するデバイスによって復号不能である。
【００６５】
[0077]単一チャネルＯＦＤＭフレーム４００の場合では、ＥＤＭＧ  ＳＴＦ−Ａは、そのフレームエンドコンポーネント（例えば、それぞれ電力増幅器（ＰＡ）および低雑音増幅器ＬＮＡ）の自動利得制御（ＡＧＣ）におけるフレームの送信機および／または受信機を支援するように構成される。ＥＤＭＧ  ＳＴＦ−ＡがレガシーＬ−ＳＴＦと同じ周波数チャネルを介して送信されるので、ＥＤＭＧ  ＳＴＦ−Ａは、送信機および／または受信機がレガシーＬ−ＳＴＦを使用するＡＧＣを実行し得るときにオプションになり得る。ＥＤＭＧ  ＳＴＦ−Ｂは、処理のためにＦＦＴ中に受信信号のサンプルを入力するための適切な時間ウィンドウを設定および維持するように受信機を支援するように構成される。同様に、ＥＤＭＧ  ＳＴＦ−ＢがレガシーＬ−ＳＴＦと同じ周波数チャネルを介して送信されるので、ＥＤＭＧ  ＳＴＦ−Ｂは、受信機がレガシーＬ−ＳＴＦを使用して前述のタイミング動作を実行し得るときにオプションになり得る。ＥＤＭＧ  ＣＥＦは、フレーム４００が受信されるチャネルのインパルス応答を推定するとき、およびチャネル推定に基づいて受信信号上で等化を実行するとき受信機を支援するように構成される。同様に、ＥＤＭＧ  ＣＥＦがレガシーＬ−ＣＥＦと同じ周波数チャネルを介して送信されるので、ＥＤＭＧ  ＣＥＦは、受信機がレガシーＬ−ＣＥＦを使用して前述のチャネル推定を実行し得るときにオプションになり得る。
【００６６】
[0078]単一チャネルは、３３６個のデータサブキャリアの８０２．１１ａｄセットを維持し得る。チャネルスペーシングは、４２０個のサブキャリアに設定され得る。代替として、チャネルスペーシングは、４１８個のサブキャリアに設定され得る。  
ＥＤＭＧ  ＳＴＦ−Ａ
【００６７】
[0079]上で議論したように、ＥＤＭＧ  ＳＴＦ−Ａは、送信機のフロントエンド（例えば、電力増幅器（ＰＡ））の自動利得制御（ＡＧＣ）を実行するために送信機によって使用されるように、そして、受信機のフロントエンド（例えば、低雑音増幅器（ＬＮＡ））でＡＧＣを実行するために受信機によって使用されるように構成される。開示の態様に従って、ＥＤＭＧ  ＳＴＦ−Ａは、対応するフレームのＯＦＤＭ送信のサブキャリアを介して送信される周波数領域疑似ランダムバイナリシーケンス（ＰＲＢＳ）データとして構成される。
【００６８】
[0080]周波数領域ＰＲＢＳデータを含むように、ＥＤＭＧ  ＳＴＦ−Ａを構成することの目的は、（例えば、周波数領域ＰＲＢＳデータの逆高速フーリエ変換（ＩＦＦＴ）を行った後の）対応するＯＦＤＭ送信がデータペイロードのＯＦＤＭ送信のより多くを代表するピーク対平均電力比（ＰＡＰＲ）であるＰＡＰＲを有することである。したがって、送信機でＡＧＣを実行するために周波数領域ＰＲＢＳデータを使用することは、ペイロードデータを送信するときに望ましい線形領域中で動作するために、電力増幅器（ＰＡ）の構成を容易にする。これは、送信機で電力効率を改善し、受信機でペイロードデータの信号品質を改善する。同様に、受信機でＡＧＣを実行するために周波数領域ＰＲＢＳデータを使用することは、低雑音増幅器（ＬＮＡ）によって受信信号のひずみを最小化するためにＬＮＡの構成を容易にする。
【００６９】
[0081]ゴーレイシーケンスのような、パイロットは、特に、低ＰＡＰＲを有するように構成され、それ故、ペイロードデータのＰＡＰＲの良い典型ではない。従って、パイロットに基づいてＡＧＣを実行することは、送信機電力増幅器および受信機ＬＮＡがあまりに高い利得で設定されるという結果をもたらし得る。結果として、電力増幅器および／またはＬＮＡがデータを増幅しているとき、それらが望まれない非線形領域で動作することが大いに起こり得、それは、送信され受信された信号をひずませるという結果をもたらし得る。
【００７０】
[0082]ＥＤＭＧ  ＳＴＦ−Ａの周波数領域ＰＲＢＳデータは、ＯＦＤＭ送信の１つまたは複数のＯＦＤＭシンボル間隔の間に非ゼロサブキャリアを介して並列に送信され得る。ＥＤＭＧ  ＳＴＦ−Ａの周波数領域ＰＲＢＳデータは、ＭＩＭＯ送信のための空間Ｑ行列を使用して空間的に事前コード化され、低減されたＰＡＰＲのための回転γ行列を介して事前にコード化され得る。加えて、サイクリックプレフィックス（ＣＰ）は、シンボル間の遷移を滑らかにするために、対応する時間領域（ＩＦＦＴ）シンボルおよびウィンドウイング（windowing）に適用され得る。周波数領域ＰＲＢＳデータは、１６個の直交振幅変調（ＱＡＭ）または変調の他のタイプを使用して変調され得る。周波数領域ＰＲＢＳデータは、受信機によって前もって既知である。
【００７１】
[0083]ＭＩＭＯ送信について、第１の送信チェーンサブフレームに属する周波数領域ＰＲＢＳデータは、対応するフレームの送信および受信の間の意図的でないビームフォーミングの可能性を抑えるまたは低減するために第２の送信チェーンサブフレームにおいて時間アラインされた手法で送信される別の周波数領域ＰＲＢＳデータと低い相互相関を有するように構成され得る。これは、互いに関連する両方の送信チェーンサブフレームにおける周波数領域ＰＲＢＳデータの送信を時間オフセットする（つまり、サイクリック遅延またはシフトする）必要性を取り除く。サイクリック遅延またはシフトは、チャネルに関連付けられた遅延分散を占めるのに十分な長さではないので、望まれず、それは、受信機でマルチパス信号を復号する際に誤りにつながり得る。
【００７２】
[0084]周波数領域ＰＲＢＳデータは、特定の原始多項式に基づいて生成され得る。例えば、使用される特定の原始多項式は、ボンデッドチャネルの数および送信チェーンサブフレームの数に基づき得る。例えば、以下では、単一チャネル（ＣＢ＝１）、様々なチャネルボンディング構成（ＣＢ＝２（２つのチャネルがボンドされる）、ＣＢ＝３（３つのチャネルがボンドされる）、および（ＣＢ＝４（４つのチャネルがボンドされる）のために使用され得る特定の原始多項式の例を提供する：  
ＣＢ＝１：          ｘ9＋ｘ4＋ｘ0 
ＣＢ＝２：          ｘ10＋ｘ3＋ｘ0 
ＣＢ＝３：          ｘ11＋ｘ2＋ｘ0 
ＣＢ＝４：          ｘ11＋ｘ2＋ｘ0 
これらの特定の原始多項式は、単なる例であり、様々なチャネルボンディング構成のために他のものが使用され得ることが理解されるだろう。
【００７３】
[0085]図１１は、本開示のある特定の態様に従って、様々な送信チェーンサブフレームおよびチャネルボンディング構成のための周波数領域ＰＲＢＳデータを生成するために使用される原始多項式のための実例的なシーズのテーブルを例示する。最も左の列は、ゼロ（０）から１１までの送信チャネルインデックスを表し、インデックスゼロ（０）は、単一送信チェーンサブフレームを表し、インデックス１１は、１２個の送信チェーンサブフレームを表す。送信チェーンインデックス列の右側に、チャネルボンディング構成ＣＢ＝１、ＣＢ＝２、ＣＢ＝３、ＣＢ＝４を表す４つの列がある。
【００７４】
[0086]特定の送信チェーンインデックスおよび特定のチャネルボンディング構成に対応するテーブル中の各エントリは、特定の原始多項式のための特定のシーズを表す。例えば、送信チェーンインデックス０およびチャネルボンディングＣＢ＝１について、シードは、原始多項式ｘ9＋ｘ4＋ｘ0に対して３である。別の例で、送信チェーンインデックス４およびチャネルボンディングＣＢ＝2について、シードは、原始多項式ｘ10＋ｘ3＋ｘ0に対して５１である。別の例で、送信チェーンインデックス８およびチャネルボンディングＣＢ＝３について、シードは、原始多項式ｘ11＋ｘ2＋ｘ0に対して２３０である。別の例で、送信チェーンインデックス１１およびチャネルボンディングＣＢ＝４について、シードは、原始多項式ｘ11＋ｘ2＋ｘ0に対して６５７である。チャネルボンディング構成ＣＢ＝３について特定の原始多項式がチャネルボンディング構成ＣＢ＝４のためのと同じであることに注意されたい。従って、ＣＢ＝３およびＣＢ＝４構成のための各々の行におけるシーズは、異なるべきである。図１１のテーブルにおける特定のシーズは、単なる例であることを理解されたい。  
ＥＤＭＧ  ＳＴＦ−Ｂ
【００７５】
[0087]ＥＤＭＧ  ＳＴＦ−Ｂは、受信信号の対応する周波数領域サンプルを生成するために、並列に処理するために、高速フーリエ変換（ＦＦＴ）中に入力するための受信信号のサンプルのウィンドウの選択のためのタイミング制御において受信機を支援するように構成される。ＥＤＭＧ  ＳＴＦ−Ｂは、単一チャネル送信毎に実質的に１つのＯＦＤＭシンボル間隔の長さを有する時間領域シーケンスとして構成される。例として、時間領域シーケンスは、ゴーレイシーケンスとして構成され得る。時間領域シーケンスは、受信機によって前もって既知である。時間領域シーケンスは、受信機がシーケンスの開始およびシーケンスの終わりを決定することを可能にする。時間領域シーケンスの長さが１つのＯＦＤＭシンボル間隔であるように構成されるので、受信機は、時間領域シーケンス間隔の次の各ＯＦＤＭシンボル間隔のための続くＦＦＴ時間ウィンドウを正確に設定することができる。
【００７６】
[0088]ＭＩＭＯアプリケーションについて、直交時間領域シーケンスのペアは、それぞれ、送信チェーンサブフレームの各ペアにおいて時間アラインされた手法で送信される。これは、データサブフレームのペアが並列してＦＦＴ処理に従うように、受信ＯＦＤＭデータサブフレームのペアのための対応するＦＦＴ入力サンプルウィンドウを設定するために時間領域シーケンスを区別することを受信機が可能にする。直交時間領域シーケンスの各々が異なるチャネル入力応答（ＣＩＲ）に従うので、各送信チェーンサブフレームのＣＩＲは、対応するＦＦＴサンプルウィンドウを設定するときに受信機によって考慮される。
【００７７】
[0089]本明細書にさらに詳細に議論されることになるように、３つ（３）の送信チェーンサブフレームを含むフレームの場合では、送信チェーンサブフレームのうちの２つのための直交時間領域シーケンスのペアが１つのＯＦＤＭシンボル間隔において送られ、単一時間領域シーケンスは、別のＯＦＤＭシンボル間隔において送られる。４つ（４）の送信チェーンサブフレームの場合では、送信チェーンサブフレームのうちの２つのための直交時間領域シーケンスのペアが１つのＯＦＤＭシンボル間隔において送られ、直交時間領域シーケンスの別のペアが別のＯＦＤＭシンボル間隔において送られる。
【００７８】
[0090]時間領域シーケンスの長さは、各サブフレームにおけるボンデッドチャネルの数に比例し得る。例として、１つの（１）（例えば、単一チャネル）チャネルボンディングについて、時間領域シーケンス基準Ｓｇは、ゴーレイシーケンスの次の連結されたゴーレイシーケンスおよびゴーレイシーケンスの部分（短縮された）ブロック中に構成され得る：  
Ｓｇ＝｛Ｇａ１２８，Ｇｂ１２８，Ｇａ１２８，Ｇｂ１２８（１：４３）｝  
ここで、Ｇｂ１２８（１：４３）は、Ｇｂ１２８シーケンスブロックのうちの第１の４３複素要素である。
【００７９】
[0091]２つ（２）（ＣＢ＝２）のチャネルボンディングについて、時間領域シーケンス基準Ｓｇは、ゴーレイシーケンスの次の連結されたゴーレイシーケンスおよびゴーレイシーケンスの部分（短縮された）ブロック中に構成され得る：  
Ｓｇ＝｛Ｇａ２５６，Ｇｂ２５６，Ｇａ２５６，Ｇｂ２５６（１：８６）｝  
ここで、Ｇｂ１２８（１：８６）は、Ｇｂ２５６シーケンスブロックのうちの第１の８６複素要素である。
【００８０】
[0092]３つ（ＣＢ＝３）のチャネルボンディングについて、時間領域シーケンス基準Ｓｇは、ゴーレイシーケンスの次の連結されたゴーレイシーケンス中に構成され得る：  
Ｓｇ＝｛Ｇａ２５６，Ｇｂ２５６，Ｇａ２５６，Ｇｂ２５６，Ｇａ２５６｝
【００８１】
[0093]４つ（ＣＢ＝４）のチャネルボンディングについて、時間領域シーケンス基準Ｓｇは、ゴーレイシーケンスの次の連結されたゴーレイシーケンスおよびゴーレイシーケンスの部分（短縮された）ブロック中に構成され得る：  
Ｓｇ＝｛Ｇａ５１２，Ｇｂ５１２，Ｇａ５１２，Ｇｂ５１２（１：１７１）｝  
ここで、Ｇｂ５１２（１：１７１）は、Ｇｂ５１２シーケンスブロックのうちの第１の１７１複素要素である。
【００８２】
[0094]下記は、ＥＤＭＧ  ＳＴＦ−Ｂフィールドのために使用され得る直交ゴーレイシーケンスのペアの例を提供する：
【００８３】
【数１】
2019512923.tif 000003
【００８４】
ここで、ｎは、シーケンスの要素インデックスであり、
【００８５】
【数２】
2019512923.tif 000004
【００８６】
は、共役要素回転子であり、ｊ・ｃｏｎｊは、複素共役演算である。より詳細に本明細書において議論されるように、直交シーケンスＳｇ１（ｎ）およびＳｇ２（ｎ）は、それぞれ、送信チェーンサブフレームのペアにおけるＯＦＤＭシンボル間隔の全体の持続時間の間に時間アラインされた手法で送信される。単一送信チェーンサブフレームについて（または送信チェーンフレームの奇数からなるフレームの非ペアの送信チェーンサブフレームについて）Ｓｇ１（ｎ）またはＳｇ２（ｎ）のいずれかは、ＯＦＤＭシンボル間隔の全体の持続時間の間に送信される。
【００８７】
[0095]シーケンスＳｇ１（ｎ）およびＳｇ２（ｎ）の各々がＯＦＤＭシンボル間隔の全体の持続時間を占有するために、シーケンスは、例えば、スクエアルートレイズドコサイン（ＳＲＲＣ）アップサンプリング処理によってアップサンプリングされ得る。例えば、２．６４ＧＨｚの周波数で１つ（ＣＢ＝１）のチャネルボンディングについて、シーケンスはＳＲＲＣによって６４０個のサンプルにアップサンプリングされ得る。例えば、５．２８ＧＨｚの周波数で２つ（ＣＢ＝２）のチャネルボンディングについて、シーケンスはＳＲＲＣによって１２８０個のサンプルにアップサンプリングされ得る。例えば、７．９２ＧＨｚの周波数で３つ（ＣＢ＝３）のチャネルボンディングについて、シーケンスはＳＲＲＣによって１９２０個のサンプルにアップサンプリングされ得る。例えば、１０．５６ＧＨｚの周波数で４つ（ＣＢ＝４）のチャネルボンディングについて、シーケンスはＳＲＲＣによって２５６０個のサンプルにアップサンプリングされ得る。各シーケンスの送信電力は、フレームまたはサブフレームの送信電力の公称（nominal）（平均）のような、特定の電力レベルであるように構成され得る。  
ＥＤＭＧ  ＣＥＦ
【００８８】
[0096]ＥＤＭＧ  ＣＥＦは、各送信チェーンサブフレームのためのチャネル推定および対応する等化を実行するように受信機を支援するように構成される。ＥＤＭＧ  ＣＥＦは、それぞれ、ＯＦＤＭ送信の非ゼロサブキャリアを介して送信される周波数領域パイロットのセット（受信機によって前もって知られるシンボル）として構成され得る。各パイロットシンボルは、
【００８９】
【数３】
2019512923.tif 000005
【００９０】
のいずれかであり得る。周波数領域パイロットのセットは、単一チャネルのための特定のしきい値でまたは未満で（例えば、４ｄＢでまたは未満のような）ＰＡＰＲを用いて（ＩＦＦＴを実行した後）ＯＦＤＭ送信を生成するように構成され得る。これは、電力増幅器（ＰＡ）の圧縮または非線形性に起因して周波数領域パイロットのひずみを最小化するために、送信機ＰＡのより多くの線形領域で周波数領域パイロットの送信を容易にする。周波数領域パイロットは、低減されたＰＡＰＲのための回転γ行列を使用して処理され、ＩＦＦＴの後の各シンボルのためのサイクリックプレフィックス（チャネルボンディング毎に１２０個のアンプル（＝１２８＊ＣＢ））を含むように処理され、隣接した時間領域シンボルの間の送信を平滑化するようにサイクリックプレフィックスの付加の後にウィンドウイングし得る。
【００９１】
[0097]（１つの送信チェーンサブフレームより多くの）ＭＩＭＯアプリケーションについて、２つ以上の送信チェーンサブフレームのためのＥＤＭＧ  ＣＥＦは、時間アラインされた手法で送信される（つまり、ＥＤＭＧ  ＣＥＦの送信の間のサイクリック遅延またはシフトがない）。ＥＤＭＧ  ＣＥＦの周波数領域パイロットのセットは、ＮSTS,total（空間ストリームの合計）によって、およびＮST（非ゼロサブキャリアの数）によってＮTX（送信チェーンサブフレームの数）の次元で空間Ｑ行列処理に従わされ得る。加えて、ＥＤＭＧ  ＣＥＦの周波数領域パイロットの各セットは、受信機が送信チェーンサブフレームのＥＤＭＧ  ＣＥＦを区別することを可能にするためにＰ行列を使用してシンボルダイバーシティ処理毎に従わされ得る。２つ、３つ、および４つの送信チェーンサブフレームのためのＰ行列の例は、以下のようになる：
【００９２】
【数４】
2019512923.tif 000006
【００９３】
Ｐ行列の列は、送信チェーンサブフレームを表し、Ｐ行列の行は、ＯＦＤＭシンボル間隔次元を表す。Ｐ行列は、サブキャリア基準毎に並列にすべての周波数領域パイロット上で動作し得る。
【００９４】
[0098]送信されるサブキャリア毎に送信される周波数領域パイロットシンボルの数は、空間ストリームＮSTSMAXの合計数に依存し得る。例えば、送信されるパイロットシンボルの数は、１、２、３、４、６、８、および１２であり得る。特に、パイロットシンボルの数は、空間ストリームＮSTSMAXの合計数と同じまたは（シンボルの次の利用可能な数により）より多くなり得る。例えば、パイロットシンボルの数は、ＮSTSMAX＝４に対して４つ（４）である。パイロットシンボルの数は、ＮSTSMAX＝５に対して６つ（６）である。チャネルボンディングについてボンデッドチャネルは、ボンドされた２つのチャネルの間のギャップ中に挿入される１つまたは複数の周波数領域パイロットで単一チャネルのように見えるべきである。
【００９５】
[0099]周波数領域パイロットは、１つのチャネルボンディング（ＣＢ＝１）について低ＰＡＰＲのための経験的に決定されたシーケンスに基づく。他のチャネルボンディングの場合について周波数領域シーケンスは、チャネル間の周波数ギャップの全てを埋めるために、複製および経験的に決定された追加のパイロットによるものであり得る。１より多くのチャネルボンディング（ＣＢ＞１）のための複製は、ＰＡＰＲを低減するために回転γ行列を介して周波数領域パイロットを処理することを含む。下記は、様々なボンディングの場合のための例を提供する：
【００９６】
[00100]単一チャネル（ＣＢ＝１）について、周波数領域パイロットは、以下のように構成され得る：  
｛左，  ０，０，０，  右｝  
ここで、左は、１７７個のパイロットの最低周波数側のシーケンスであり、０，０，０は、ヌルサブキャリアであり、右は、１７７個のパイロットのより高い周波数側のシーケンスである；ここで、左シーケンスは、結果として生じるＰＡＰＲが最小化されるまたは望まれる低値に設定されることができるように右シーケンスと異なるように構成され得る。
【００９７】
[00101]２つ（ＣＢ＝2）のチャネルボンディングについて、周波数領域パイロットは、以下のように構成され得る：  
｛左・γ1,2，３Ｐ，右・γ1,2，３０Ｐ，  ０，０，０，３０Ｐ，左・γ2,2，３Ｐ，右・γ2,2｝  
ここで、左・γ1,2は、γ1,2行列によって回転される、ＣＢ＝１の場合における１７７個のパイロットの同じ左シーケンスであり、３Ｐは、３つのパイロットであり、右・γ1,2は、γ1,2行列によって回転される、ＣＢ＝１の場合にあるような１７７個のパイロットの同じ右シーケンスであり、３０Ｐは、３０個のパイロットのセットであり、０，０，０は、ヌルサブキャリアであり、３０Ｐは、３０個のパイロットの別のセットであり、左・γ2,2は、γ2,2行列によって回転される、ＣＢ＝１の場合における１７７個のパイロットの同じ左シーケンスであり、３Ｐは、３つのパイロットであり、右・γ2,2は、γ2,2行列によって回転されるＣＢ＝１の場合にあるような１７７個のパイロットの同じ右シーケンスである。
【００９８】
[00102]左３０パイロット、ヌルサブキャリア０，０，０、および右３０パイロットがギャップ周波数と一致するボンデッドチャネルの部分中に位置されることに注意されたい。また、３０パイロットのセットの両方は、同じである必要はないし、３パイロットのセットの両方が同じである必要もない。これらのパイロットは、所望されるようなＰＡＰＲを設定するように最適化される。
【００９９】
[00103]３つ（ＣＢ＝３）のチャネルボンディングについて、周波数領域パイロットは、以下のように構成され得る：  
｛左・γ1,3，３Ｐ，右・γ1,3，６３Ｐ，左・γ2,3  ０，０，０，右・γ2,3，６３Ｐ，左・γ3,3，３Ｐ，右・γ3,3｝  
ここで、左・γ1,3は、γ1,3行列によって回転される、ＣＢ＝１の場合における１７７個のパイロットの同じ左シーケンスであり、３Ｐは、３つのパイロットであり、右・γ1,3は、γ1,3行列によって回転される、ＣＢ＝１の場合にあるような１７７個のパイロットの同じ右シーケンスであり、６３Ｐは、６３個のパイロットのセットであり、左・γ2,3は、γ2,3行列によって回転される、ＣＢ＝１の場合における１７７個のパイロットの同じ左シーケンスであり、０，０，０は、ヌルサブキャリアであり、右・γ2,3は、γ2,3行列によって回転される、ＣＢ＝１の場合にあるような１７７個のパイロットの同じ右シーケンスであり、６３Ｐは、６３個のパイロットの別のセットであり、左・γ3,3は、γ3,3行列によって回転される、ＣＢ＝１の場合における１７７個のパイロットの同じ左シーケンスであり、３Ｐは、３つのパイロットであり、右・γ3,3は、γ3,3行列によって回転される、ＣＢ＝１の場合にあるような１７７個のパイロットの同じ右シーケンスである。
【０１００】
[00104]より低い周波数側上の６３個のパイロットおよびより高い周波数側上の６３個のパイロットは、ギャップの周波数帯域と一致する。また、６３パイロットのセットの両方は、同じである必要はないし、３パイロットのセットの両方が同じである必要もない。これらのパイロットは、所望されるようなＰＡＰＲを設定するように最適化される。
【０１０１】
[00105]４つ（ＣＢ＝４）のチャネルボンディングについて、周波数領域パイロットは、以下のように構成され得る：  
｛左・γ1,4，３Ｐ，右・γ1,4，６３Ｐ，左・γ2,4，  ３Ｐ，右・γ2,4，３０Ｐ，０，０，０，３０Ｐ，左・γ3,4，３Ｐ，右・γ3,4，６３Ｐ，左・γ4,4，３Ｐ，右・γ4,4｝  
ここで、左・γ1,4は、γ1,4行列によって回転される、ＣＢ＝１の場合における１７７個のパイロットの同じ左シーケンスであり、３Ｐは、３つのパイロットであり、右・γ1,4は、γ1,4行列によって回転される、ＣＢ＝１の場合にあるような１７７個のパイロットの同じ右シーケンスであり、６３Ｐは、６３個のパイロットのセットであり、左・γ2,4は、γ2,4行列によって回転される、ＣＢ＝１の場合における１７７個のパイロットの同じ左シーケンスであり、３Ｐは、３つのパイロットであり、右・γ2,4は、γ2,4行列によって回転される、ＣＢ＝１の場合にあるような１７７個のパイロットの同じ左シーケンスであり、３０Ｐは、３０個のパイロットのセットであり、０，０，０は、ヌルサブキャリアであり、３０Ｐは、３０個のパイロットの別のセットであり、左・γ3,4は、γ3,4行列によって回転される、ＣＢ＝１の場合における１７７個のパイロットの同じ左シーケンスであり、３Ｐは、３個のパイロットであり、右・γ3,4は、γ3,4行列によって回転される、ＣＢ＝１の場合における１７７個のパイロットの同じ右シーケンスであり、６３Ｐは、６３個パイロットの別のセットであり、左・γ4,4は、γ4,4行列によって回転される、ＣＢ＝１の場合における１７７個のパイロットの同じ左シーケンスであり、３Ｐは、３個のパイロットであり、右・γ4,4は、γ4,4行列によって回転される、ＣＢ＝１の場合における１７７個のパイロットの同じ右シーケンスである。
【０１０２】
[00106]より低い周波数側上の第１の６３Ｐは、より低い周波数ギャップと一致し、３０Ｐ、０００、３０Ｐは、中間周波数ギャップと一致し、より高い周波数側上の第２の６３Ｐは、ギャップのより高い周波数帯域と一致する。また、６３パイロットのセットの両方は、同じである必要はないし、３０パイロットのセットの両方は、同じである必要はないし、３パイロットの４つのセットすべてが同じである必要もない。これらのパイロットは、所望されるようなＰＡＰＲを設定するように最適化される。
【０１０３】
[00107]上の例は、チャネルスペーシングがチャネル毎に４２０個のサブキャリアに設定され場合に適用される。４１８個のサブキャリアのチャネルスペーシングについて、上の例における３０Ｐおよび６３Ｐをそれぞれ２９Ｐおよび６１Ｐにそれぞれ置き換える。
【０１０４】
[00108]これまでに議論されるように、単一チャネル（ＣＢ＝１）について、周波数領域パイロットは、４ｄＢまたはそれ未満の所望のＰＡＰＲでＯＦＤＭ送信を生成するように構成され得る。２つ（ＣＢ＝２）のチャネルボンディングについて、周波数領域パイロットは、５．５ｄＢまたはそれ未満の所望のＰＡＰＲでＯＦＤＭ送信を生成するように構成され得る。３つ（ＣＢ＝３）のチャネルボンディングについて、周波数領域パイロットは、７．５ｄＢまたはそれ未満の所望のＰＡＰＲでＯＦＤＭ送信を生成するように構成され得る。４つ（ＣＢ＝４）のチャネルボンディングについて、周波数領域パイロットは、８．５ｄＢまたはそれ未満の所望のＰＡＰＲでＯＦＤＭ送信を生成するように構成され得る。  
パッドフィールド
【０１０５】
[00109]実例的なフレームに関連して本明細書にさらに議論されるように、送信チェーンサブフレームにおける、レガシープリアンブル（Ｌ−ＳＴＦおよびＬ−ＣＥＦ）、レガシーヘッダ（Ｌ−Ｈｅａｄｅｒ）、およびＥＤＭＧ  Ｈｅａｄｅｒは、時間オフセットΔＴによって互いからオフセット（サイクリック遅延またはシフトされる）。第１の送信チェーンサブフレームのためのＬ−ＳＴＦ、Ｌ−ＣＥＦ、Ｌ−Ｈｅａｄｅｒ、およびＥＤＭＧ  Ｈｅａｄｅｒは、時刻ｔ0で送信され、第２の送信チェーンサブフレームのためのＬ−ＳＴＦ、Ｌ−ＣＥＦ、Ｌ−Ｈｅａｄｅｒ、およびＥＤＭＧ  Ｈｅａｄｅｒは、時刻ｔ0＋ΔＴで送信され得る。第３の送信チェーンサブフレームのためのＬ−ＳＴＦ、Ｌ−ＣＥＦ、Ｌ−Ｈｅａｄｅｒ、およびＥＤＭＧ  Ｈｅａｄｅｒは、時刻ｔ0＋Δ２Ｔで送信され得る。これを行うための理由は、それぞれの送信チェーンサブフレームのこれらの部分の送信の間の意図していないビームフォーミングを防止するためにである。
【０１０６】
[00110]しかしながら、これまでに議論されるように、送信チェーンサブフレームのそれぞれのＥＤＭＧ  ＳＴＦ−Ａは、時間アラインされた手法（つまり、サイクリックシフト無し）で送信される；送信チェーンサブフレームのそれぞれのＥＤＭＧ  ＳＴＦ−Ｂは、時間アラインされた手法（つまり、サイクリックシフト無し）で送信される；送信チェーンサブフレームのそれぞれのＥＤＭＧ  ＣＥＦは、時間アラインされた手法（つまり、サイクリックシフト無し）で送信される。それ故、ＥＤＭＧ  ＳＴＦ−Ａ、ＥＤＭＧ  ＳＴＦ−Ｂ、およびＥＤＭＧ  ＣＥＦの時間アラインメントを達成するためにパッドは、この部分と、Ｌ−ＳＴＦ、Ｌ−ＣＥＦ、Ｌ−Ｈｅａｄｅｒ、およびＥＤＭＧ  Ｈｅａｄｅｒ部分との間に挿入される。パッドフィールドの長さは、その後に送信される各送信チェーンサブフレームについて減少する。１つの例では、パッドフィールドは、レガシー８０２．１１ａｄプロトコルにおいて指定される単一キャリア単一チャネルガードインターバル（ＧＩ）に類似するように構成され得る。例えば、パッドフィールドは、パッドフィールドのために要求される長さに基づいて切断され得る長さを持つゴーレイシーケンスを備え得る。
【０１０７】
[00111]下記は、上で説明されたような、ＥＤＭＧ  ＳＴＦ−Ａ、ＥＤＭＧ  ＳＴＦ−Ｂ、ＥＤＭＧ  ＣＥＦフィールドを使用する様々なフレームを説明する。
【０１０８】
[00112]図４は、本開示のある特定の態様に従って、実例的な単一チャネルフレーム４００を例示する。示されるように、ｘ−または水平軸は、送信時間（左が前で右が後）を表し、ｙ−または垂直軸は、送信チャネル周波数を表す。フレーム４００は、レガシープロトコル（例えば、８０２．１１ａｄ）に従って動作するアクセスポイントおよびユーザデバイスによって復号可能であり得るレガシープリアンブルおよびヘッダフィールド（Ｌ−ＳＴＦ、Ｌ−ＣＥＦ、およびＬ−Ｈｅａｄｅｒ）を備える。
【０１０９】
[00113]これまでに議論されるように、これは、周波数チャネルが利用可能であるときを決定するためにフレーム４００の長さをレガシーデバイスが決定するように、レガシーデバイスがネットワーク割り振りベクトル（ＮＡＶ）を計算するために新規フレーム４００のこの部分を復号するために行う。新規プロトコル（例えば、現在進展中の８０２．１１ａｙ）に従って動作する新規プロトコルデバイス（アクセスポイントおよびユーザデバイス）はまた、フレーム４００のレガシー部分（Ｌ−ＳＴＦ、Ｌ−ＣＥＦ、およびＬ−Ｈｅａｄｅｒ）を復号することができる。
【０１１０】
[00114]フレーム４００は、ＥＤＭＧ  Ｈｅａｄｅｒと、ＥＤＭＧ  ＳＴＦ−Ａ、ＥＤＭＧ  ＳＴＦ−Ｂ、またはＥＤＭＧ  ＣＥＦフィールドのうちの少なくとも１つと、データペイロードとを備える。示されないが、フレーム４００（本明細書で説明される他のフレーム５００、６００、７００、８００、９００、および１０００）は、送信および／または受信ビームフォーミング目的のためにデータペイロードの後に送信されるビームトレーニングフィールドを含み得る。新規プロトコルに従って動作するデバイス（アクセスポイントおよびユーザデバイス）は、ＥＤＭＧ  Ｈｅａｄｅｒと、ＥＤＭＧ  ＳＴＦ−Ａ、ＥＤＭＧ  ＳＴＦ−Ｂ、またはＥＤＭＧ  ＣＥＦフィールドのうちの任意のものと、データペイロードとを復号し得る。しかしながら、これらのフィールドは、レガシープロトコルに従って動作するデバイスによって復号不能である。
【０１１１】
[00115]フレームの様々なフィールド（Ｌ−ＳＴＦと、Ｌ−ＣＥＦと、Ｌ−Ｈｅａｄｅｒと、ＥＤＭＧ  Ｈｅａｄｅｒと、ＥＤＭＧ  ＳＴＦ−Ａ、ＥＤＭＧ  ＳＴＦ−Ｂ、またはＥＤＭＧ  ＣＥＦのうちの少なくとも１つと、データペイロードと）は、その時間順序において同じ周波数チャネル（例えば、単一８０２．１１ａｄ周波数チャネル）を介して送信される。単一チャネルフレーム４００について、ＥＤＭＧ  ＣＥＦは、受信機がチャネル推定を実行するためにＬ−ＣＥＦを使用するとき、オプションになり得る。同様に、ＥＤＭＧ  ＳＴＦ−Ａは、送信機および／または受信機が自動利得制御（ＡＧＣ）を実行するためにＬ−ＳＴＦを使用するとき、オプションになり得る。同様に、ＥＤＭＧ  ＳＴＦ−Ｂは、受信機がＦＦＴ処理を実行するための入力サンプルウィンドウをセットアップするためにＬ−ＳＴＦを使用し得るときオプションになり得る（しかしながら、より望ましい）。
【０１１２】
[00116]図５は、本開示のある特定の態様に従って、実例的なチャネルボンデッドフレーム５００を例示する。この例では、フレーム５００は、２つのチャネルボンデッドフレームの例である。再度、ｘ−または水平軸は、送信時間（左が前で右が後）を表し、ｙ−または垂直軸は、送信チャネル周波数を表す。
【０１１３】
[00117]特に、フレーム５００は、特に、フレーム５００は、第１の周波数チャネル（Ｌ−ＳＴＦ  ＣＨ１、Ｌ−ＣＥＳ  ＣＨ１、およびＬ−Ｈｅａｄｅｒ  ＣＨ１）を介する送信についてのレガシー部分と、第２の周波数チャネル（Ｌ−ＳＴＦ  ＣＨ２、Ｌ−ＣＥＳ  ＣＨ２、およびＬ−Ｈｅａｄｅｒ  ＣＨ２）を介する送信についてのレガシー部分とを備える。例示されるように、Ｌ−ＳＴＦ  ＣＨ１およびＬ−ＳＴＦ  ＣＨ２は、実質的に時間アラインされた手法（実質的に同じ開始時間、終了時間、および同じ長さを共に有する）で送信される。同様に、Ｌ−ＣＥＦ  ＣＨ１およびＬ−ＣＥＦ  ＣＨ２は、実質的に時間アラインされた手法で送信される。そして、Ｌ−Ｈｅａｄｅｒ  ＣＥＦ  ＣＨ１およびＬ−Ｈｅａｄｅｒ  ＣＨ２は、実質的に時間アラインされた手法で送信される。例示されるように、第１の周波数チャネル（ＣＨ１）と、第２の周波数チャネル（ＣＨ２）との間に周波数ギャップがある。再び、これらのレガシー部分は、レガシーデバイスおよび新規プロトコルデバイスの両方によって復号可能であり得る。
【０１１４】
[00118]フレーム５００は、第１の周波数チャネルＣＨ１を介する送信についてのＥＤＭＧ  Ｈｅａｄｅｒ  ＣＨ１および第２の周波数チャネルＣＨ２を介する送信についてのＥＤＭＧ  Ｈｅａｄｅｒ  ＣＨ２をさらに備える。ＥＤＭＧ  Ｈｅａｄｅｒ  ＣＨ１およびＥＤＭＧ  Ｈｅａｄｅｒ  ＣＨ２は、時間アラインされた手法で送信のために構成される。ＥＤＭＧ  ＳＴＦ−Ａ、ＥＤＭＧ  ＳＴＦ−Ｂ、ＥＤＭＧ  ＣＥＦ、およびデータペイロードフィールドは、第１の周波数チャネル（ＣＨ１）の少なくとも一部および第２の周波数チャネル（ＣＨ２）の少なくとも一部を含むボンデッドチャネル（ＣＨ１＋ＣＨ２）を介して送信される。ボンデッドチャネルはまた、第１の周波数チャネルＣＨ１と第２の周波数チャネルＣＨ２との周波数ギャップを含む。ボンデッドチャネル（ＣＨ１＋ＣＨ２）はまた、単一チャネルに類似するように（フレーム４００のように）構成され得る。従って、ボンデッドチャネル（ＣＨ１＋ＣＨ２）におけるギャップ周波数は、ＥＤＭＧ  ＳＴＦ−Ａ、ＥＤＭＧ  ＣＥＦ、およびデータペイロードのシンボル、およびＥＤＭＧ  ＳＴＦ−Ｂの時間領域シーケンスを送信するために使用され得る。新規プロトコルに従って動作するデバイス（アクセスポイントおよびユーザデバイス）は、ＥＤＭＧ  Ｈｅａｄｅｒ  ＣＨ１およびＥＤＭＧ  Ｈｅａｄｅｒ  ＣＨ２と、ボンデッドチャネル（ＣＨ１＋ＣＨ２）のＥＤＭＧ  ＳＴＦ−Ａ、ＥＤＭＧ  ＳＴＦ−Ｂ、またはＥＤＭＧ  ＣＥＦフィールドのうちの任意のものと、ボンデッドチャネル（ＣＨ１＋ＣＨ２）のペイロードデータとを復号し得る。しかしながら、これらのフィールドは、レガシープロトコルに従って動作するデバイスによって復号不能である。
【０１１５】
[00119]図６は、本開示の別の態様に従って、実例的な２つの送信チェーンサブフレームＭＩＭＯフレーム６００を例示する。ＭＩＭＯフレーム６００は、レガシー部分Ｌ−ＳＴＦ  ＴＸ−１、Ｌ−ＣＥＦ  ＴＸ−１、およびＬ−Ｈｅａｄｅｒ  ＴＸ−１を含む第１の送信チェーンサブフレームを備える。第１の送信チェーンサブフレームは、新規プロトコル部分ＥＤＭＧ  Ｈｅａｄｅｒ  ＴＸ−１、ＰＡＤ  ＴＸ−１、  ＥＤＭＧ  ＳＴＦ−Ａ  ＴＸ−１、ＥＤＭＧ  ＳＴＦ−Ｂ  ＴＸ−１、ＥＤＭＧ  ＣＥＦ  ＴＸ−１、およびデータペイロードＴＸ−１を含む。同様に、ＭＩＭＯフレーム６００は、レガシー部分Ｌ−ＳＴＦ  ＴＸ−２、Ｌ−ＣＥＦ  ＴＸ−２、およびＬ−Ｈｅａｄｅｒ  ＴＸ−２を含む第２の送信チェーンサブフレームを備える。第２の送信チェーンサブフレームは、新規プロトコル部分ＥＤＭＧ  Ｈｅａｄｅｒ  ＴＸ−２、ＰＡＤ  ＴＸ−２、  ＥＤＭＧ  ＳＴＦ−Ａ  ＴＸ−２、ＥＤＭＧ  ＳＴＦ−Ｂ  ＴＸ−２、ＥＤＭＧ  ＣＥＦ  ＴＸ−２、およびデータペイロードＴＸ−２を含む。
【０１１６】
[00120]送信機および／または受信機での意図していないビームフォーミングを防止するために、第２の送信チェーンサブフレームのＬ−ＳＴＦ  ＴＸ−２  Ｌ−ＣＥＦ  ＴＸ−２、Ｌ−Ｈｅａｄｅｒ  ＴＸ−２、ＥＤＭＧ  Ｈｅａｄｅｒ  ＴＸ−２、ＰＡＤ  ＴＸ−２は、第１の送信チェーンサブフレームのＬ−ＳＴＦ  ＴＸ−１  Ｌ−ＣＥＦ  ＴＸ−１、Ｌ−Ｈｅａｄｅｒ  ＴＸ−１、ＥＤＭＧ  Ｈｅａｄｅｒ  ＴＸ−１、ＰＡＤ  ＴＸ−１の送信に関して時間オフセットΔＴだけ遅延され得る（つまり、２つの送信チェーンの対応するフィールドの開始および終了が時間オフセット手法で送信される）。
【０１１７】
[00121]第１および第２の送信チェーンサブフレームの残りのそれぞれの部分は、実質的に時間アラインされた手法で送信される。例えば、ＥＤＭＧ  ＳＴＦ−Ａ  ＴＸ−１およびＥＤＭＧ  ＳＴＦ−Ａ  ＴＸ−２は、実質的に時間アラインされた手法で送信される。ＥＤＭＧ  ＳＴＦ−Ｂ  ＴＸ−１およびＥＤＭＧ  ＳＴＦ−Ｂ  ＴＸ−２は、実質的に時間アラインされた手法で送信される。ＥＤＭＧ  ＣＥＦ  ＴＸ−１およびＥＤＭＧ  ＣＥＦ  ＴＸ−２は、実質的に時間アラインされた手法で送信される。そして、ＥＤＭＧペイロードＴＸ−１およびＥＤＭＧペイロードＴＸ−２は、実質的に時間アラインされた手法で送信される。
【０１１８】
[00122]例示されるように、ＰＡＤ  ＴＸ−１の長さは、ＰＡＤ  ＴＸ−２の長さより長い。従って、ＰＡＤ  ＴＸ−１およびＴＸ−２は、Ｌ−ＳＴＦ、Ｌ−ＣＥＦ、Ｌ−Ｈｅａｄｅｒ、およびＥＤＭＧ  Ｈｅａｄｅｒの時間オフセット部分と、ＥＤＭＧ  ＳＴＦ−Ａ、ＥＤＭＧ  ＳＴＦ−Ｂ、ＥＤＭＧ  ＣＥＦ、およびデータペイロードの時間アラインされた部分との間のインターフェースを提供する。前に議論されたように、ＰＡＤ  ＴＸ−１は、第１の長さのガードインターバル（ＧＩ）を含み、ＰＡＤ  ＴＸ−２は、第２の長さのガードインターバル（ＧＩ）を含み、ここで、第１の長さは、第２の長さより大きい。また、前に議論されたように、ＰＡＤ  ＴＸ−１のガードインターバルは、第１の長さを持つゴーレイシーケンスに基づき、ＰＡＤ  ＴＸ−２のガードインターバルは、第２の長さを持つゴーレイシーケンスに基づき、第１の長さは、第２の長さより大きい。
【０１１９】
[00123]ＥＤＭＧ  ＳＴＦ−Ａ  ＴＸ−１の周波数領域ＰＲＢＳデータは、特定の原始多項式についての第１の特定のシードに基づき、ＥＤＭＧ  ＳＴＦ−Ａ  ＴＸ−２のＰＲＢＳの周波数領域は、同じ特定の原始多項式についての第２の特定のシードに基づき得る（図１１を参照）。ＥＤＭＧ  ＳＴＦ−Ａ  ＴＸ−１の周波数領域ＰＲＢＳデータは、ＥＤＭＧ  ＳＴＦ−Ａ  ＴＸ−２の周波数領域ＰＲＢＳと低い相互相関を有する。従って、送信機および受信機は、独立したＡＧＣが第１および第２のサブフレームＴＸ−１およびＴＸ−２の両方のために実行されるために、ＥＤＭＧ  ＳＴＦ−Ａ  ＴＸ−１およびＥＤＭＧ  ＳＴＦ−Ａ  ＴＸ−２の両方の周波数領域ＰＲＢＳデータについて区別することができる。
【０１２０】
[00124]ＥＤＭＧ  ＳＴＦ−Ｂ  ＴＸ−１の時間領域シーケンスは、上で説明したＳｇ１（ｎ）（ショートについて「Ｓｇ１」）に基づき、ＥＤＭＧ  ＳＴＦ−Ｂ  ＴＸ−２は、上で説明したＳｇ２（ｎ）（ショートについて「Ｓｇ２」）に基づき得る。シーケンスＳｇ１およびＳｇ２の両方は、互いに直交する。従って、受信機は、第１および第２の送信チェーンサブフレームＴＸ−１およびＴＸ−２から受信したサンプルの実質的に並列なＦＦＴ処理を実行するための入力サンプルウィンドウを独立して設定するためにシーケンスＳｇ１およびＳｇ２を区別することができる。
【０１２１】
[00125]ＥＤＭＧ  ＴＸ−１およびＥＤＭＧ  ＣＥＦ  ＴＸ−２の周波数領域パイロットは、周波数領域パイロットの間のシンボルダイバーシティを提供するように、上で議論されたようにＰ行列によって処理されている。従って、受信機は、受信した第１および第２のサブフレームＴＸ−１およびＴＸ−２について独立したチャネル推定および等化を実行するために、ＥＤＭＧ  ＣＥＦ  ＴＸ−１およびＥＤＭＧ  ＣＥＦ  ＴＸ−２の周波数領域パイロットを区別することができる。
【０１２２】
[00126]図７は、本開示の別の態様に従って、実例的な３つの送信チェーンサブフレームＭＩＭＯフレーム７００を例示する。ＭＩＭＯフレーム７００は、レガシー部分Ｌ−ＳＴＦ  ＴＸ−１、Ｌ−ＣＥＦ  ＴＸ−１、およびＬ−Ｈｅａｄｅｒ  ＴＸ−１を含む第１の送信チェーンサブフレームを備える。第１の送信チェーンサブフレームは、新規プロトコル部分ＥＤＭＧ  Ｈｅａｄｅｒ  ＴＸ−１、ＰＡＤ  ＴＸ−１、  ＥＤＭＧ  ＳＴＦ−Ａ  ＴＸ−１、ＥＤＭＧ  ＳＴＦ−Ｂ  ＴＸ−１、ＥＤＭＧ  ＣＥＦ  ＴＸ−１、およびデータペイロードＴＸ−１を含む。同様に、ＭＩＭＯフレーム７００は、レガシー部分Ｌ−ＳＴＦ  ＴＸ−２、Ｌ−ＣＥＦ  ＴＸ−２、およびＬ−Ｈｅａｄｅｒ  ＴＸ−２を含む第２の送信チェーンサブフレームを備える。第２の送信チェーンサブフレームは、新規プロトコル部分ＥＤＭＧ  Ｈｅａｄｅｒ  ＴＸ−２、ＰＡＤ  ＴＸ−２、  ＥＤＭＧ  ＳＴＦ−Ａ  ＴＸ−２、ＥＤＭＧ  ＳＴＦ−Ｂ  ＴＸ−２、ＥＤＭＧ  ＣＥＦ  ＴＸ−２、およびデータペイロードＴＸ−２を含む。また、ＭＩＭＯフレーム７００は、レガシー部分Ｌ−ＳＴＦ  ＴＸ−３、Ｌ−ＣＥＦ  ＴＸ−３、およびＬ−Ｈｅａｄｅｒ  ＴＸ−２を含む第３の送信チェーンサブフレームを備える。第３の送信チェーンサブフレームは、新規プロトコル部分ＥＤＭＧ  Ｈｅａｄｅｒ  ＴＸ−３、ＰＡＤ  ＴＸ−３、  ＥＤＭＧ  ＳＴＦ−Ａ  ＴＸ−３、ＥＤＭＧ  ＳＴＦ−Ｂ  ＴＸ−３、ＥＤＭＧ  ＣＥＦ  ＴＸ−３、およびデータペイロードＴＸ−３をさらに含む。
【０１２３】
[00127]送信機および／または受信機での意図していないビームフォーミングを防止するために、第２の送信チェーンサブフレームのＬ−ＳＴＦ  ＴＸ−２  Ｌ−ＣＥＦ  ＴＸ−２、Ｌ−Ｈｅａｄｅｒ  ＴＸ−２、ＥＤＭＧ  Ｈｅａｄｅｒ  ＴＸ−２、ＰＡＤ  ＴＸ−２は、第１の送信チェーンサブフレームのＬ−ＳＴＦ  ＴＸ−１  Ｌ−ＣＥＦ  ＴＸ−１、Ｌ−Ｈｅａｄｅｒ  ＴＸ−１、ＥＤＭＧ  Ｈｅａｄｅｒ  ＴＸ−１、ＰＡＤ  ＴＸ−１の送信に関して時間オフセットΔＴだけ遅延され得る。そして、第３の送信チェーンサブフレームのＬ−ＳＴＦ  ＴＸ−３  Ｌ−ＣＥＦ  ＴＸ−３、Ｌ−Ｈｅａｄｅｒ  ＴＸ−３、ＥＤＭＧ  Ｈｅａｄｅｒ  ＴＸ−３、ＰＡＤ  ＴＸ−３は、第２の送信チェーンサブフレームのＬ−ＳＴＦ  ＴＸ−２  Ｌ−ＣＥＦ  ＴＸ−２、Ｌ−Ｈｅａｄｅｒ  ＴＸ−２、ＥＤＭＧ  Ｈｅａｄｅｒ  ＴＸ−２、ＰＡＤ  ＴＸ−２の送信に関して時間オフセットΔＴだけ遅延され得る。
【０１２４】
[00128]第１、第２、および第３の送信チェーンサブフレームの残りのそれぞれの部分は、以下で注意されるような２〜３の例外を持って、実質的に時間アラインされた手法で送信される。例えば、ＥＤＭＧ  ＳＴＦ−Ａ  ＴＸ−１、ＥＤＭＧ  ＳＴＦ−Ａ  ＴＸ−２、およびＥＤＭＧ  ＳＴＦ−Ａ  ＴＸ−３は、実質的に時間アラインされた手法で送信される。ＥＤＭＧ  ＳＴＦ−Ｂ  ＴＸ−１およびＥＤＭＧ  ＳＴＦ−Ｂ  ＴＸ−２は、第１のＯＦＤＭシンボル間隔において実質的に時間アラインされた手法で送信される。第３の送信チェーンサブフレームは、第１のＯＦＤＭシンボル間隔の間の無送信（no transmission）（空）のために構成される。ＥＤＭＧ  ＳＴＦ−Ｂ  ＴＸ−３は、第２のＯＦＤＭシンボル間隔の間に送信される。第１および第２の送信チェーンサブフレームは、第２のＯＦＤＭシンボル間隔の間の無送信（空）のために構成される。ＥＤＭＧ  ＣＥＦ  ＴＸ−１、ＥＤＭＧ  ＣＥＦ  ＴＸ−２、およびＥＤＭＧ  ＣＥＦ  ＴＸ−３は、実質的に時間アラインされた手法で送信される。そして、データペイロードＴＸ−１、データペイロードＴＸ−２、およびデータペイロードＴＸ−３は、実質的に時間アラインされた手法で送信される。
【０１２５】
[00129]例示されるようにＰＡＤ  ＴＸ−１の長さは、ＰＡＤ  ＴＸ−２の長さより大きく、それは、次にＰＡＤ  ＴＸ−３の長さより大きい。従って、ＰＡＤ  ＴＸ−１、ＴＸ−２、およびＴＸ−３は、時間オフセット部分のＬ−ＳＴＦ、Ｌ−ＣＥＦ、Ｌ−Ｈｅａｄｅｒ、およびＥＤＭＧ  Ｈｅａｄｅｒと、時間アラインされた部分のＥＤＭＧ  ＳＴＦ−Ａ、ＥＤＭＧ  ＳＴＦ−Ｂ、ＥＤＭＧ  ＣＥＦ、およびデータペイロードとの間のインターフェースを提供する。ＰＡＤ  ＴＸ−１は、第１の長さのガードインターバルは、（ＧＩ）を含み、ＰＡＤ  ＴＸ−２は、第２の長さのガードインターバル（ＧＩ）を含み、ＰＡＤ  ＴＸ−３は、第３の長さのガードインターバル（ＧＩ）を含み、ここで、第１の長さは、第２の長さより大きく、第２の長さは、第３の長さより大きい。また、前に議論されたように、ＰＡＤ  ＴＸ−１のガードインターバルは、第１の長さを持つゴーレイシーケンスに基づき、ＰＡＤ  ＴＸ−２のガードインターバルは、第２の長さを持つゴーレイシーケンスに基づき、ＰＡＤ  ＴＸ−３のガードインターバルは、第３の長さを持つゴーレイシーケンスに基づき、第１の長さは、第２の長さより大きく、第２の長さは、第３の長さより大きい。
【０１２６】
[00130]ＥＤＭＧ  ＳＴＦ−Ａ  ＴＸ−１の周波数領域ＰＲＢＳデータは、特定の原始多項式について第１の特定のシードに基づき、ＥＤＭＧ  ＳＴＦ−Ａ  ＴＸ−２の周波数領域ＰＲＢＳデータは、同じ特定の原始多項式について第２の特定のシードに基づき、ＥＤＭＧ  ＳＴＦ−Ａ  ＴＸ−３のＰＲＢＳの周波数領域は、同じ特定の原始多項式についての第３の特定のシードに基づき得る（図１１を参照）。従って、送信機および受信機は、独立してＡＧＣが第１、第２、および第３のサブフレームＴＸ−１、ＴＸ−２、およびＴＸ−３のために実行されるように、ＥＤＭＧ  ＳＴＦ−Ａ  ＴＸ−１、ＥＤＭＧ  ＳＴＦ−Ａ  ＴＸ−２、およびＥＤＭＧ  ＳＴＦ−Ａ  ＴＸ−３の周波数領域ＰＲＢＳデータについて区別することができる。
【０１２７】
[00131]ＥＤＭＧ  ＳＴＦ−Ｂ  ＴＸ−１の時間領域シーケンスは、上で説明したＳｇ１（ｎ）に基づき、ＥＤＭＧ  ＳＴＦ−Ｂ  ＴＸ−２は、上で説明したＳｇ２（ｎ）に基づき得る。シーケンスＳｇ１およびＳｇ２の両方は、互いに直交する。従って、受信機は、第１および第２の送信チェーンサブフレームＴＸ−１およびＴＸ−２から受信したサンプルの実質的に並列なＦＦＴ処理を実行するための受信したサンプルウィンドウを独立して設定するために、シーケンスＳｇ１およびＳｇ２を区別することができる。ＥＤＭＧ  ＳＴＦ−Ｂ  ＴＸ−３は、Ｓｇ１（図７に示されるような）またはＳｇ２シーケンスの何れかに基づき得る。
【０１２８】
[00132]ＥＤＭＧ  ＴＸ−１、ＥＤＭＧ  ＣＥＦ  ＴＸ−２、およびＥＤＭＧ  ＣＥＦ  ＴＸ−３の周波数領域パイロットは、周波数領域パイロットの間のシンボルダイバーシティを提供するように、上で議論されたように３Ｘ３Ｐ行列によって処理されている。従って、受信機は、受信した第１、第２、第３のサブフレームＴＸ−１、ＴＸ−２、およびＴＸ−３について独立したチャネル推定および等化を実行するために、ＥＤＭＧ  ＣＥＦ  ＴＸ−１、ＥＤＭＧ  ＣＥＦ  ＴＸ−２、およびＥＤＭＧ  ＣＥＦ  ＴＸ−３の周波数領域パイロットを区別することができる。
【０１２９】
[00133]図８は、本開示の別の態様に従って、実例的な４つの送信チェーンＭＩＭＯフレーム８００を例示する。ＭＩＭＯフレーム８００は、レガシー部分Ｌ−ＳＴＦ  ＴＸ−１、Ｌ−ＣＥＦ  ＴＸ−１、およびＬ−Ｈｅａｄｅｒ  ＴＸ−１、および新規プロトコル部分ＥＤＭＧ  Ｈｅａｄｅｒ  ＴＸ−１、ＰＡＤ  ＴＸ−１、  ＥＤＭＧ  ＳＴＦ−Ａ  ＴＸ−１、ＥＤＭＧ  ＳＴＦ−Ｂ  ＴＸ−１、ＥＤＭＧ  ＣＥＦ  ＴＸ−１、およびデータペイロードＴＸ−１を含む第１の送信チェーンサブフレームを備える。ＭＩＭＯフレーム７００は、レガシー部分Ｌ−ＳＴＦ  ＴＸ−２、Ｌ−ＣＥＦ  ＴＸ−２、およびＬ−Ｈｅａｄｅｒ  ＴＸ−２、および新規プロトコル部分ＥＤＭＧ  Ｈｅａｄｅｒ  ＴＸ−２、ＰＡＤ  ＴＸ−２、  ＥＤＭＧ  ＳＴＦ−Ａ  ＴＸ−２、ＥＤＭＧ  ＳＴＦ−Ｂ  ＴＸ−２、ＥＤＭＧ  ＣＥＦ  ＴＸ−２、およびデータペイロードＴＸ−２を含む第２の送信チェーンサブフレームをさらに備える。
【０１３０】
[00134]ＭＩＭＯフレーム８００は、レガシー部分Ｌ−ＳＴＦ  ＴＸ−３、Ｌ−ＣＥＦ  ＴＸ−３、およびＬ−Ｈｅａｄｅｒ  ＴＸ−３、および新規プロトコル部分ＥＤＭＧ  Ｈｅａｄｅｒ  ＴＸ−３、ＰＡＤ  ＴＸ−３、  ＥＤＭＧ  ＳＴＦ−Ａ  ＴＸ−３、ＥＤＭＧ  ＳＴＦ−Ｂ  ＴＸ−３、ＥＤＭＧ  ＣＥＦ  ＴＸ−３、およびデータペイロードＴＸ−３を含む第３の送信チェーンサブフレームを備える。ＭＩＭＯフレーム８００は、レガシー部分Ｌ−ＳＴＦ  ＴＸ−４、Ｌ−ＣＥＦ  ＴＸ−４、およびＬ−Ｈｅａｄｅｒ  ＴＸ−４、および新規プロトコル部分ＥＤＭＧ  Ｈｅａｄｅｒ  ＴＸ−４、ＰＡＤ  ＴＸ−４、  ＥＤＭＧ  ＳＴＦ−Ａ  ＴＸ−４、ＥＤＭＧ  ＳＴＦ−Ｂ  ＴＸ−４、ＥＤＭＧ  ＣＥＦ  ＴＸ−４、およびデータペイロードＴＸ−４を含む第４の送信チェーンサブフレームをさらに備える。
【０１３１】
[00135]送信機および／または受信機での意図していないビームフォーミングを防止するために、第２の送信チェーンサブフレームのＬ−ＳＴＦ  ＴＸ−２  Ｌ−ＣＥＦ  ＴＸ−２、Ｌ−Ｈｅａｄｅｒ  ＴＸ−２、ＥＤＭＧ  Ｈｅａｄｅｒ  ＴＸ−２、ＰＡＤ  ＴＸ−２は、第１の送信チェーンサブフレームのＬ−ＳＴＦ  ＴＸ−１  Ｌ−ＣＥＦ  ＴＸ−１、Ｌ−Ｈｅａｄｅｒ  ＴＸ−１、ＥＤＭＧ  Ｈｅａｄｅｒ  ＴＸ−１、ＰＡＤ  ＴＸ−１の送信に関して時間オフセットΔＴだけ遅延され得る。そして、第３の送信チェーンサブフレームのＬ−ＳＴＦ  ＴＸ−３  Ｌ−ＣＥＦ  ＴＸ−３、Ｌ−Ｈｅａｄｅｒ  ＴＸ−３、ＥＤＭＧ  Ｈｅａｄｅｒ  ＴＸ−３、ＰＡＤ  ＴＸ−３は、第２の送信チェーンサブフレームのＬ−ＳＴＦ  ＴＸ−２  Ｌ−ＣＥＦ  ＴＸ−２、Ｌ−Ｈｅａｄｅｒ  ＴＸ−２、ＥＤＭＧ  Ｈｅａｄｅｒ  ＴＸ−２、ＰＡＤ  ＴＸ−２の送信に関して時間オフセットΔＴだけ遅延され得る。第４の送信チェーンサブフレームのＬ−ＳＴＦ  ＴＸ−４  Ｌ−ＣＥＦ  ＴＸ−３、Ｌ−Ｈｅａｄｅｒ  ＴＸ−４、ＥＤＭＧ  Ｈｅａｄｅｒ  ＴＸ−４、ＰＡＤ  ＴＸ−４は、第３の送信チェーンサブフレームのＬ−ＳＴＦ  ＴＸ−３  Ｌ−ＣＥＦ  ＴＸ−３、Ｌ−Ｈｅａｄｅｒ  ＴＸ−３、ＥＤＭＧ  Ｈｅａｄｅｒ  ＴＸ−３、ＰＡＤ  ＴＸ−３の送信に関して時間オフセットΔＴだけ遅延され得る。
【０１３２】
[00136]第１、第２、および第３の送信チェーンサブフレームの残りのそれぞれの部分は、以下で注意されるような２〜３の例外を持って、実質的に時間アラインされた手法で送信される。例えば、ＥＤＭＧ  ＳＴＦ−Ａ  ＴＸ−１、ＥＤＭＧ  ＳＴＦ−Ａ  ＴＸ−２、ＥＤＭＧ  ＳＴＦ−Ａ  ＴＸ−３、およびＥＤＭＧ  ＳＴＦ−Ａ  ＴＸ−３は、実質的に時間アラインされた手法で送信される。ＥＤＭＧ  ＳＴＦ−Ｂ  ＴＸ−１およびＥＤＭＧ  ＳＴＦ−Ｂ  ＴＸ−２は、第１のＯＦＤＭシンボル間隔において実質的に時間アラインされた手法で送信される。第３および第４の送信チェーンサブフレームは、第１のＯＦＤＭシンボル間隔の間の無送信（空）のために構成される。ＥＤＭＧ  ＳＴＦ−Ｂ  ＴＸ−３およびＥＤＭＧ  ＳＴＦ−Ｂ  ＴＸ−４は、第２のＯＦＤＭシンボル間隔の間に送信される。第１および第２の送信チェーンサブフレームは、第２のＯＦＤＭシンボル間隔の間の無送信（空）のために構成される。ＥＤＭＧ  ＣＥＦ  ＴＸ−１、ＥＤＭＧ  ＣＥＦ  ＴＸ−２、ＥＤＭＧ  ＣＥＦ  ＴＸ−３、およびＥＤＭＧ  ＣＥＦ  ＴＸ−４は、実質的に時間アラインされた手法で送信される。そして、データペイロードＴＸ−１、データペイロードＴＸ−２、データペイロードＴＸ−３、およびデータペイロードＴＸ−４は、実質的に時間アラインされた手法で送信される。
【０１３３】
[00137]例示されるようにＰＡＤ  ＴＸ−１の長さは、ＰＡＤ  ＴＸ−２の長さより大きく、それは、次にＰＡＤ  ＴＸ−３の長さより大きく、それは、次にＰＡＤ  ＴＸ−３の長さより大きい。従って、ＰＡＤ  ＴＸ−１、ＴＸ−２、ＴＸ−３、およびＴＸ-4は、Ｌ−ＳＴＦ、Ｌ−ＣＥＦ、Ｌ−Ｈｅａｄｅｒ、およびＥＤＭＧ  Ｈｅａｄｅｒの時間オフセット部分と、ＥＤＭＧ  ＳＴＦ−Ａ、ＥＤＭＧ  ＳＴＦ−Ｂ、ＥＤＭＧ  ＣＥＦ、およびデータペイロードの時間アラインされた部分との間のインターフェースを提供する。ＰＡＤ  ＴＸ−１、ＴＸ−２、ＴＸ−３，およびＴＸ０４は、それぞれ第１、第２、第３および第４の長さのガードインターバル（ＧＩ）をそれぞれ含み、そこで、第１の長さは、第２の長さより大きく、第２の長さは、第３の長さより大きく、第３の長さは、第４の長さより大きい。また、前に議論されたように、ＰＡＤ  ＴＸ−１、ＴＸ−２、ＴＸ−３、およびＴＸ−４のガードインターバル（ＧＩ）は、それぞれ、減少順の第１、第２、第３、第４の長さのそれぞれのゴーレイシーケンスに基づき得る。
【０１３４】
[00138]ＥＤＭＧ  ＳＴＦ−Ａ  ＴＸ−１の周波数領域ＰＲＢＳデータは、特定の原始多項式について第１の特定のシードに基づき、ＥＤＭＧ  ＳＴＦ−Ａ  ＴＸ−２の周波数領域ＰＲＢＳデータは、同じ特定の原始多項式について第２の特定のシードに基づき、ＥＤＭＧ  ＳＴＦ−Ａ  ＴＸ−３の周波数領域ＰＲＢＳデータは、同じ特定の原始多項式について第３の特定のシードに基づき、ＥＤＭＧ  ＳＴＦ−Ａ  ＴＸ−４のＰＲＢＳの周波数領域は、同じ特定の原始多項式についての第４の特定のシードに基づき得る（図１１を参照）。従って、送信機および受信機は、独立してＡＧＣが第１、第２、第３、および第４のサブフレームＴＸ−１、ＴＸ−２、ＴＸ−３、およびＴＸ−４のために実行されるように、ＥＤＭＧ  ＳＴＦ−Ａ  ＴＸ−１、ＥＤＭＧ  ＳＴＦ−Ａ  ＴＸ−２、ＥＤＭＧ  ＳＴＦ−Ａ  ＴＸ−３、およびＥＤＭＧ  ＳＴＦ−Ａ  ＴＸ−４の周波数領域ＰＲＢＳデータについて区別することができる。
【０１３５】
[00139]ＥＤＭＧ  ＳＴＦ−Ｂ  ＴＸ−１の時間領域シーケンスは、上で説明したＳｇ１（ｎ）に基づき、ＥＤＭＧ  ＳＴＦ−Ｂ  ＴＸ−２は、上で説明したＳｇ２（ｎ）に基づき得る。シーケンスＳｇ１およびＳｇ２の両方は、互いに直交する。従って、受信機は、第１および第２の送信チェーンサブフレームＴＸ−１およびＴＸ−２から受信したサンプルの実質的に並列なＦＦＴ処理を実行するための受信したサンプルウィンドウを独立して設定するシーケンスＳｇ１およびＳｇ２を区別することができる。ＥＤＭＧ  ＳＴＦ−Ｂ  ＴＸ−３の時間領域シーケンスは、上で説明したＳｇ１（ｎ）に基づき、ＥＤＭＧ  ＳＴＦ−Ｂ  ＴＸ−４は、上で説明したＳｇ２（ｎ）に基づき得る。シーケンスＳｇ１およびＳｇ２の両方は、互いに直交する。従って、受信機は、第３および第４の送信チェーンサブフレームＴＸ−３およびＴＸ−４から受信したサンプルの実質的に並列なＦＦＴ処理を実行するための受信したサンプルウィンドウを独立して設定するために、シーケンスＳｇ１およびＳｇ２を区別することができる。
【０１３６】
[00140]ＥＤＭＧ  ＴＸ−１、ＥＤＭＧ  ＣＥＦ  ＴＸ−２、ＥＤＭＧ  ＣＥＦ  ＴＸ−３、およびＥＤＭＧ  ＣＥＦ  ＴＸ−４の周波数領域パイロットは、周波数領域パイロットの間のシンボルダイバーシティを提供するように、上で議論されたように４Ｘ４Ｐ行列によって処理されている。従って、受信機は、受信した送信サブフレームＴＸ−１、ＴＸ−２、ＴＸ−３、およびＴＸ−４について独立したチャネル推定および等化を実行するために、ＥＤＭＧ  ＣＥＦ  ＴＸ−１、ＥＤＭＧ  ＣＥＦ  ＴＸ−２、ＥＤＭＧ  ＣＥＦ  ＴＸ−３、およびＥＤＭＧ  ＣＥＦ  ＴＸ−４の周波数領域パイロットを区別することができる。
【０１３７】
[00141]図９は、本開示の別の態様に従って、実例的な６つの送信チェーンＭＩＭＯフレーム９００を例示する。ＭＩＭＯフレーム９００は、４つの送信チェーンＭＩＭＯフレーム８００のそれと類似するが、追加の２つの送信チャネルサブフレームＴＸ−５およびＴＸ−６（ＭＩＭＯフレーム８００を形成するためにＭＩＭＯフレーム６００に２つの追加の送信チェーンサブフレームを加えているのと類似する）を含む。従って、ＭＩＭＯフレーム９００を構成する詳細は、明白である。
【０１３８】
[00142]注目すべきことについて６つの送信チェーンサブフレームがあるので、３つのＯＦＤＭシンボル間隔は、すべて送信チェーンのＥＤＭＧ  ＳＴＦ−Ｂを送信するように使用される。第１のＯＦＤＭシンボル間隔の間、シーケンスＳｇ１を持つＥＤＭＧ  ＳＴＦ−Ｂ  ＴＸ−１およびシーケンスＳｇ２を持つＥＤＭＧ  ＳＴＦ−Ｂ  ＴＸ２は、実質的に時間アラインされた手法で送信される。第１のＯＦＤＭシンボル間隔の間、送信チェーンサブフレームＴＸ３からＴＸ６は、無送信（空）のために構成される。第２のＯＦＤＭシンボル間隔の間、シーケンスＳｇ１を持つＥＤＭＧ  ＳＴＦ−Ｂ  ＴＸ−３およびシーケンスＳｇ２を持つＥＤＭＧ  ＳＴＦ−Ｂ  ＴＸ４は、実質的に時間アラインされた手法で送信される。第２のＯＦＤＭシンボル間隔の間、送信チェーンサブフレームＴＸ５およびＴＸ６は、無送信（空）のために構成される。第３のＯＦＤＭシンボル間隔の間、シーケンスＳｇ１を持つＥＤＭＧ  ＳＴＦ−Ｂ  ＴＸ−５およびシーケンスＳｇ２を持つＥＤＭＧ  ＳＴＦ−Ｂ  ＴＸ６は、実質的に時間アラインされた手法で送信される。第３のＯＦＤＭシンボル間隔の間、送信チェーンサブフレームＴＸ１からＴＸ４は、無送信（空）のために構成される。
【０１３９】
[00143]ＯＦＤＭフレームは、８、１０、および１２のような、任意の偶数の送信チェーンを含むように構成される。このような場合では、対応するＥＤＭＧ  ＳＴＦ−Ｂを送信するために必要とされるＯＦＤＭシンボル間隔の数は、それぞれ、４、５、および６である。同様に、ＯＦＤＭフレームは、５、７、９、および１１のような、任意の奇数の送信チェーンを含むように構成される。このような場合では、対応するＥＤＭＧ  ＳＴＦ−Ｂを送信するために必要とされるＯＦＤＭシンボル間隔の数は、それぞれ、３、４、５、および７である。
【０１４０】
[00144]図１０は、本開示のある特定の態様に従って、実例的な２つの送信チェーンおよび２つのチャネルボンデッドＭＩＭＯフレーム１０００を例示する。ＭＩＭＯフレーム１０００は、それぞれ、ＥＤＭＧ  Ｈｅａｄｅｒ  Ｃｈ１とＥＤＭＧ  Ｈｅａｄｅｒ  ＣＨ２との間の送信時間および対応するボンデッドチャネルに位置している２つのＰＡＤ  ＣＨ１およびＣＨ２があるという例外を持つ、フレーム５００のそれに類似するように構成され得る、第１の送信チェーンサブフレームＴＸ−１を備える。
【０１４１】
[00145]ＭＩＭＯフレーム１０００は、それぞれ、ＥＤＭＧ  Ｈｅａｄｅｒ  ＣＨ１とＥＤＭＧ  Ｈｅａｄｅｒ  ＣＨ２との間の送信時間および対応するボンデッドチャネルに位置している２つのＰＡＤ  ＣＨ１およびＣＨ２があるというおなじ例外を持つ、フレーム５００のそれに類似するように構成され得る、第２の送信チェーンサブフレームＴＸ-2を備える。加えて、第２の送信チェーンＴＸ−２のＬ−ＳＴＦ、Ｌ−ＣＥＦ、Ｌ−Ｈｅａｄｅｒ、ＥＤＭＧ  Ｈｅａｄｅｒ、ＰＡＤは、第１の送信チェーンサブフレームＬ−ＳＴＦ、Ｌ−ＣＥＦ、Ｌ−Ｈｅａｄｅｒ、ＥＤＭＧ  Ｈｅａｄｅｒ、ＰＡＤの送信に関して時間オフセットΔＴだけ遅延されるように構成される。
【０１４２】
[00146]第１の送信チェーンＴＸ−１のＥＤＭＧ  ＳＴＦ−Ａ、ＥＤＭＧ  ＳＴＦ−Ｂ、ＥＤＭＧ  ＣＥＦ、およびデータペイロードは、第２の送信チェーンサブフレームＴＸ−２のＥＤＭＧ  ＳＴＦ−Ａ、ＥＤＭＧ  ＳＴＦ−Ｂ、ＥＤＭＧ  ＣＥＦ、およびデータペイロードと時間アラインされた手法で送信される。従って、前に議論されたように、第１の送信チェーンサブフレームＴＸ−１のための長さＰＡＤは、第２の送信チェーンサブフレームＴＸ−２のＰＡＤの長さより大きい。
【０１４３】
[00147]図１２は、本開示のある特定の態様に従って、実例的なデバイス１２００を例示する。デバイス１２００は、本明細書に説明される動作のうちの１つまたは複数を実行するアクセスポイントまたはユーザデバイスにおいて動作するように構成され得る。デバイス１２００は、処理システム１２２０、および処理システム１２２０に結合されるメモリ１２１０を含み得る。メモリ１２１０は、処理システム１２２０によって実行されると、処理システム１２２０に、本明細書で説明される動作のうちの１つまたは複数を実行させる命令を記憶し得る。処理システム１２２０の実例的なインプリメンテーションは以下で提供される。デバイス１２００はまた、処理システム１２２０に結合される送信機／受信機インターフェース１２３０を備える。インターフェース１２３０（例えば、インターフェースバス）は、以下にさらに説明されるように、無線周波数（ＲＦ）フロントエンド（例えば、トランシーバ２２６−１から２２６−Ｎまたは２６６−１から２６６−Ｍ）に処理システムをインターフェースするように構成され得る。
【０１４４】
[00148]ある態様では、処理システム１２２０は、以下：本明細書で説明される動作の１つまたは複数を実行するための、送信データプロセッサ（例えば、送信データプロセッサ２２０または２６０）、フレームバッファ（例えば、フレームバッファ２２２または２６２）、送信プロセッサ（例えば、送信プロセッサ２２４または２６４）、および／またはコントローラ（例えば、コントローラ２３４または２７４）のうちの１つまたは複数を含み得る。これらの態様では、処理システム１２２０は、フレームを生成し、（アクセスポイントまたはユーザデバイスに）ワイヤレス送信のためのインターフェースを介してＲＦフロントエンド（例えば、トランシーバ２２６−１から２２６−Ｎまたは２６６−１から２６６−Ｍ）にフレームを出力し得る。
【０１４５】
[00149]ある態様では、処理システム１２２０は、以下：本明細書で説明される動作の１つまたは複数を実行するための、受信プロセッサ（例えば、受信プロセッサ２４２または２８２）、受信データプロセッサ（例えば、受信データプロセッサ２４４または２８４）、および／またはコントローラ（例えば、コントローラ２３４または２７４）のうちの１つまたは複数を含み得る。これらの態様では、処理システム１２２０は、上で議論した態様のうちの任意の１つまたは複数に従って、ＲＦフロントエンド（例えば、トランシーバ２２６−１から２２６−Ｎまたは２６６−１から２６６−Ｍ）からフレームを受信し、フレームを処理し得る。
【０１４６】
[00150]ユーザデバイスの場合では、デバイス１２００は、処理システム１２２０に結合されるユーザインターフェース１２４０を含み得る。ユーザインターフェース１２４０は、ユーザ（キーパッド、マウス、ジョイスティック、等）からデータを受信し、処理システム１２２０にデータを提供するように構成され得る。ユーザインターフェース１２４０はまた、処理システム１２２０からユーザにデータを出力するように構成され得る。この場合では、データは、ユーザに出力する前に追加の処理を受け得る。アクセスポイント２１０の場合では、ユーザインターフェース１２４０は、除外され得る。
【０１４７】
[00151]上述された方法の様々な動作は、対応する機能を実行することが可能な任意の好適な手段によって実行され得る。手段は、これらに限定されないが、回路、特定用途向け集積回路（ＡＳＩＣ）、または、プロセッサを含む、様々なハードウェアならびに／あるいは（１つまたは複数の）ソフトウェアのコンポーネントおよび／または（１つまたは複数の）モジュールを含み得る。一般に、図で例示される動作が存在する場合、それらの動作は、同様の参照番号を持つ対応する同等の（counterpart）ミーンズプラスファンクションコンポーネントを有し得る。
【０１４８】
[00152]例えば、生成するための手段またはフレームを構成するための手段のいくつかの例は、処理システム１２２０、フレームビルダ２２２、およびフレームビルダ２６２を含む。送信のためのフレームを出力するための手段のいくつかの例は、送信／受信インターフェース１２３０、送信プロセッサ２２４、および送信プロセッサ２６４を含む。
【０１４９】
[00153]いくつかの場合では、フレームを実際に送信するのではなく、デバイスは、送信のためにフレームを出力するためのインターフェース（出力するための手段）を有し得る。たとえば、プロセッサは、送信のために無線周波数（ＲＦ）フロントエンドに、バスインターフェースを介して、フレームを出力し得る。同様に、フレームを実際に受信するのではなく、デバイスは、別のデバイスから受信されたフレームを取得するためのインターフェース（取得するための手段）を有し得る。たとえば、プロセッサは、受信のためにＲＦフロントエンドから、バスインターフェースを介して、フレームを取得（または受信）し得る。
【０１５０】
[00154]本明細書で使用される場合、「決定すること」という用語は、幅広いアクションを包含する。たとえば、「決定する」は、計算する、コンピューティングする、処理する、導出する、調査する、検索する（たとえば、表、データベース、または別のデータ構造を検索する）、確定する等を含み得る。また、「決定する」は、受信する（たとえば、情報を受信する）、アクセスする（たとえば、メモリにおけるデータにアクセスする）等を含み得る。また、「決定する」は、解消する、選択する、選ぶ、確立する等を含み得る。
【０１５１】
[00155]本明細書で使用される場合、項目のリスト「のうちの少なくとも１つ」を指すフレーズは、単一のメンバを含む、それらの項目の任意の組合せを指す。例として、「ａ、ｂ、またはｃ：のうちの少なくとも１つ」は、ａ、ｂ、ｃ、ａ−ｂ、ａ−ｃ、ｂ−ｃ、およびａ−ｂ−ｃと、ならびに同様の要素の倍数との任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）をカバーするように意図されている。
【０１５２】
[00156]本開示に関連して説明される様々な例示の論理ブロック、モジュールおよび回路は、ここに説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス（ＰＬＤ）、ディスクリートゲートまたはトランジスタ論理、ディスクリートハードウェアコンポーネント、あるいはそれらの任意の組み合わせを用いてインプリメントまたは実行され得る。汎用プロセッサはマイクロプロセッサであり得るが、その代わりに、プロセッサは、あらゆる商業的に利用可能なプロセッサ、コントローラ、マイクロコントローラ、またはステートマシンであり得る。プロセッサはまた、コンピューティングデバイスの組合せ、たとえば、ＤＳＰおよびマイクロプロセッサの組合せ、複数のマイクロプロセッサ、ＤＳＰコアと連結した１つまたは複数のマイクロプロセッサ、またはあらゆる他のそのような構成、としてもインプリメントされ得る。
【０１５３】
[00157]本明細書で説明されるように処理は、上で議論されるような任意のデジタル手段およびまたは任意のアナログ手段あるいは回路によって実行され得る。
【０１５４】
[00158]本開示に関連して説明されたアルゴリズムまたは方法のステップは、ハードウェアにおいて直接的に、プロセッサによって実行されるソフトウェアモジュールにおいて、またはその２つの組合せで、具現化され得る。ソフトウェアモジュールは、当該技術分野で知られているあらゆる形態の記憶媒体に存在し得る。使用されうる記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ等を含む。ソフトウェアモジュールは、単一の命令または多くの命令を備え得、いくつかの異なるコードセグメントにわたって、異なるプログラム間で、および複数の記憶媒体中で、分配され得る。記憶媒体は、プロセッサが記憶媒体から情報を読み取りうるように、および記憶媒体に情報を書き込みうるように、プロセッサに結合され得る。代わりとして、記憶媒体はプロセッサに不可欠あり得る。
【０１５５】
[00159]本明細書で開示された方法は、説明された方法を達成するための１つ又は複数のステップ又はアクションを備える。方法のステップおよび／またはアクションは、請求項の範囲から逸脱することなく互いに置き換えられ得る。言い換えると、ステップまたは動きの特定の順序が指定されていない限り、特定のステップおよび／または動きの順序および／または使用は、請求項の範囲から逸脱することなく変更され得る。
【０１５６】
[00160]説明された機能は、ハードウェア、ソフトウェア、ファームウェア、またはこれらの任意の組合せにおいてインプリメントされ得る。ハードウェアにおいて実行される場合、例となるハードウェア構成は、ワイヤレスノードにおいて処理システムを備え得る。処理システムは、バスアーキテクチャで実装され得る。バスは、処理システムの特定のアプリケーションおよび全設計制約に依存して、あらゆる数の相互接続するバスおよびブリッジを含み得る。バスは、プロセッサ、機械可読媒体、およびバスインターフェースを含む様々な回路を互いにリンクさせ得る。バスインターフェースは、ネットワークアダプタを、特に、バスを介して処理システムに接続するために使用され得る。ネットワークアダプタは、ＰＨＹレイヤの信号処理機能をインプリメントするために使用され得る。ユーザデバイス１０６および１２０（図１参照）のうちの任意の場合において、ユーザインターフェース（例えば、キーパッド、ディスプレイ、マウス、ジョイスティック、等）もまた、バスに接続され得る。バスはまた、タイミングソース、周辺機器、電圧レギュレータ、電力管理回路、および同様のものといった、様々な他の回路をリンクさせ得るが、これらは、当該技術において周知であるので、これ以上説明されないであろう。
【０１５７】
[00161]プロセッサは、バスの管理と、機械可読媒体上に記憶されたソフトウェアの実行を含む汎用処理と、を担い得る。プロセッサは、１つまたは複数の汎用および／または専用プロセッサで実装されうる。例は、マイクロプロセッサ、マイクロコントローラ、ＤＳＰプロセッサ、およびソフトウェアを実行しうる他の回路を含む。ソフトウェアは、ソフトウェア、ファームウェア、ミドルウェア、マイクロコード、ハードウェア記述言語、または他の形で称されるかどうかに関わらず、命令、データ、またはそれらのあらゆる組合せを意味するように広く解釈されるものとする。機械可読媒体は、例として、ＲＡＭ（ランダムアクセスメモリ）、フラッシュメモリ、ＲＯＭ（読み取り専用メモリ）、ＰＲＯＭ（プログラマブル読み取り専用メモリ）、ＥＰＲＯＭ（消去可能なプログラマブル読み取り専用メモリ）、ＥＥＰＲＯＭ（電気的に消去可能なプログラマブル読み取り専用メモリ）、レジスタ、磁気ディスク、光学ディスク、ハードドライブ、またはあらゆる他の適した記憶媒体、あるいはそれらのあらゆる組合せを含みうる。機械可読媒体は、コンピュータプログラム製品において具現化され得る。コンピュータプログラム製品は、パッケージ材料を備え得る。
【０１５８】
[00162]ハードウェアインプリメンテーションにおいて、機械可読媒体は、プロセッサとは別個の処理システムの一部であり得る。しかしながら、当業者が容易に認識することになるように、機械可読媒体、またはそのいずれの部分も、処理システムの外部にあることがある。例として、機械可読媒体は、伝送回線、データによって変調されたキャリア波、および／またはワイヤレスノードとは別個のコンピュータ製品を含み得、それら全てが、バスインターフェースを通じてプロセッサによってアクセスされ得る。代わりとして、または加えて、機械可読媒体、またはそのいずれの部分も、キャッシュおよび／または汎用レジスタファイルが用いられうるような場合、プロセッサに統合され得る。
【０１５９】
[00163]処理システムは、プロセッサ機能を提供する１つまたは複数のマイクロプロセッサ、および機械可読媒体の少なくとも一部分を提供する外部メモリを有し、すべてが外部バスアーキテクチャを通して他のサポート回路と共にリンクされている、汎用処理システムとして構成され得る。代わりとして、処理システムは、プロセッサ、バスインターフェース、アクセス端末の場合では）ユーザインターフェース、サポート回路、および単一のチップに統合された機械可読媒体の少なくとも一部分をもつＡＳＩＣ（特定用途向け集積回路）で、あるいは１つまたは複数のＦＰＧＡ（フィールドプログラマブルゲートアレイ）、ＰＬＤ（プログラマブル論理デバイス）、コントローラ、ステートマシン、ゲート論理回路、ディスクリートハードウェアコンポーネント、もしくは何らかの他の適した回路、または本開示全体を通じて説明されている様々な機能を実行しうる回路のあらゆる組合せで、インプリメントされ得る。当業者は、特定のアプリケーションおよびシステム全体に課された全設計制約に依存して、処理システムについて説明された機能をどのように実行することが最善かを認めるだろう。
【０１６０】
[00164]機械可読媒体は、多くのソフトウェアモジュールを備え得る。ソフトウェアモジュールは、プロセッサによって実行されるときに、様々な機能を処理システムに行わせる命令を含む。ソフトウェアモジュールは、送信モジュールおよび受信モジュールを含むことができる。各ソフトウェアモジュールは、単一の記憶デバイスに内在しうる、または、複数の記憶デバイスにわたって分散され得る。例として、ソフトウェアモジュールは、トリガイベントが生じたときに、ハードドライブからＲＡＭにロードされ得る。ソフトウェアモジュールの実行中、プロセッサは、アクセススピードを増加させるために、命令のうちのいくつかをキャッシュにロードし得る。その後、１つまたは複数のキャッシュラインが、プロセッサによる実行のために汎用レジスタファイルにロードされ得る。下記においてソフトウェアモジュールの機能を称するとき、そのような機能は、そのソフトウェアモジュールから命令が実行するときにプロセッサによってインプリメントされるということが理解されるであろう。
【０１６１】
[00165]ソフトウェアにおいてインプリメントされる場合、これら機能は、コンピュータ可読媒体上の１つまたは複数の命令またはコードとして、記憶または送信され得る。コンピュータ可読媒体は、ある場所から別の場所へのコンピュータプログラムの転送を容易にするあらゆる媒体を含む通信媒体およびコンピュータ記憶媒体の両方を含む。記憶媒体は、コンピュータによってアクセスされうるあらゆる利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光学ディスクストレージ、磁気ディスクストレージまたは他の磁気記憶デバイス、あるいは命令またはデータ構造の形態で所望のプログラムコードを運ぶ、または記憶するために使用されうる、およびコンピュータによってアクセスされうるあらゆる他の媒体を備え得る。また、あらゆる接続手段がコンピュータ可読媒体と適当に名付けられる。たとえば、ソフトウェアが、ウェブサイトから、サーバから、あるいは同軸ケーブル、光ファイバケーブル、ツイストペア、デジタル加入者線（ＤＳＬ）、または赤外線や、無線や、マイクロ波のようなワイヤレス技術を使用する他の遠隔ソースから送信された場合、同軸ケーブル、光ファイバケーブル、ツイストペア、ＤＳＬ、または赤外線や、無線や、マイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイディスク（disc）を含み、ここで、ディスク（disk）が通常、磁気的にデータを再生する一方で、ディスク（disc）は、レーザーを用いて光学的にデータを再生する。したがって、いくつかの態様では、コンピュータ可読媒体は、非一時的なコンピュータ可読媒体（たとえば、有体媒体）を備え得る。加えて、他の態様では、コンピュータ可読媒体は、一時的なコンピュータ可読媒体（たとえば、信号）を備え得る。上記の組合せもまた、コンピュータ可読媒体の範囲内に含まれるべきである。
【０１６２】
[00166]したがって、ある特定の態様は、本明細書に提示された動作を行うためのコンピュータプログラム製品を備え得る。たとえば、このようなコンピュータプログラム製品は、命令を記憶（および／または符号化）しているコンピュータ可読媒体を備え得、該命令は、本明細書で説明された動作を実行するように１つまたは複数のプロセッサによって実行可能である。ある特定の態様では、コンピュータプログラム製品は、パッケージ材料を含みうる。
【０１６３】
[00167]さらに、本明細書で説明された方法および技法を行うためのモジュールおよび／または他の適切な手段が、ダウンロードされ得ること、および／または、そうでなければ、適用可能な場合、ユーザ端末および／または基地局によって取得され得ることが理解されるべきである。例えば、そのようなデバイスは、本明細書で説明される方法を実行するための手段の転送を容易にするためにサーバに結合され得る。代わりとして、本明細書で説明される様々な方法は、記憶手段（例えば、ＲＡＭ、ＲＯＭ、コンパクトディスク（ＣＤ）またはフロッピーディスクのような物理記憶媒体、等）を介して、ユーザ端末および／または基地局が、デバイスに記憶手段を結合または提供する際に様々な方法を取得し得るように、提供され得る。さらに、本明細書で説明される方法および技法をデバイスに提供するための任意の他の適した技法が、利用され得る。
【０１６４】
[00168]特許請求の範囲が、上に例示されたまさにその構成およびコンポーネントに限定されないことが理解されるべきである。請求項の範囲から逸脱することなく、上で説明された方法および装置の、配列、動作、および詳細において、様々な変更、変化、およびバリエーションが行われ得る。
【図１】
2019512923.tif 000007
【図２】
2019512923.tif 000008
【図３Ａ】
2019512923.tif 000009
【図３Ｂ】
2019512923.tif 000010
【図４】
2019512923.tif 000011
【図５】
2019512923.tif 000012
【図６】
2019512923.tif 000013
【図７】
2019512923.tif 000014
【図８】
2019512923.tif 000015
【図９】
2019512923.tif 000016
【図１０】
2019512923.tif 000017
【図１１】
2019512923.tif 000018
【図１２】
2019512923.tif 000019
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
第１の部分および第２の部分を備えるフレームを生成することを行うように構成される処理システム、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能であり、
前記処理システムは、前記第１および第２の部分を備える第１のサブフレームを含むように前記フレームを生成すること、ここにおいて、前記処理システムは、第３の部分および第４の部分を備える第２のサブフレームを含むように前記フレームを生成することを行うように構成され、前記第３の部分は、前記第１のプロトコルに従って動作する前記第１のデバイスによって復号可能であり、前記第４の部分は、前記第１のデバイスによって復号不能であり、前記第３および第４の部分は、前記第２のプロトコルに従って動作する前記第２のデバイスによって復号可能であり、
前記処理システムは、
第１のＯＦＤＭ送信のサブキャリアの第１のセットを介する送信のために構成される周波数領域ＰＲＢＳデータの第１のセットを含むように前記第２の部分を構成することと、
第２のＯＦＤＭ送信のサブキャリアの第２のセットを介する送信のために構成される周波数領域ＰＲＢＳデータの第２のセットを含むように前記第４の部分を構成することと
を行うように構成され、前記処理システムは、
特定の原始多項式のための第１のシードに基づいて前記周波数領域ＰＲＢＳデータの第１のセットを生成することと、
前記特定の原始多項式のための第２のシードに基づいて前記周波数領域ＰＲＢＳデータの第２のセットを生成することと
を行うように構成される、と、
送信のための前記フレームを出力することを行うように構成されたインターフェース、ここにおいて、前記インターフェースは、実質的に時間アラインされた手法での送信のための前記周波数領域ＰＲＢＳデータの第１および第２のセットを出力するように構成される、と
を備える、装置。
【請求項２】
前記処理システムは、ＯＦＤＭ送信のサブキャリアを介する送信のための周波数領域疑似ランダムバイナリシーケンス（ＰＲＢＳ）データを含むように、前記第２の部分を構成することを行うように構成される、
請求項１に記載の装置。
【請求項３】
前記処理システムは、特定の原始多項式のための特定のシードに基づいて前記ＰＲＢＳデータを生成することを行うように構成される、
請求項２に記載の装置。
【請求項４】
前記処理システムは、時間領域シーケンスを含むように前記第２の部分を構成することを行うように構成される、
請求項１に記載の装置。
【請求項５】
前記処理システムは、ゴーレイシーケンスを含むように前記時間領域シーケンスを構成することを行うように構成される、
請求項４に記載の装置。
【請求項６】
前記処理システムは、ＯＦＤＭ送信のサブキャリアを介する送信のための周波数領域パイロットのシーケンスを含むように、前記第２の部分を構成することを行うように構成される、
請求項１に記載の装置。
【請求項７】
前記処理システムは、特定のしきい値でまたはそれ未満で、ピーク対平均電力比（ＰＡＰＲ）を持つ前記ＯＦＤＭ送信を生成するように前記周波数領域パイロットのシーケンスを構成することを行うように構成される、
請求項６に記載の装置。
【請求項８】
前記処理システムは、
前記第２のデバイスで自動利得制御（ＡＧＣ）を容易にするように構成される第１のフィールドと、
前記第２のデバイスで高速フーリエ変換（ＦＦＴ）中に前記フレームのＯＦＤＭ送信のサンプルを入力するためのタイミング制御を容易にするように構成される第２のフィールドと、
前記第２のデバイスで受信した前記フレームに関連付けられたチャネル推定を容易にするように構成される第３のフィールドと
を含むように前記第２の部分を構成することを行うように構成される、請求項１に記載の装置。
【請求項９】
前記処理システムは、
前記ＯＦＤＭ送信のサブキャリアを介する送信ためのの周波数領域ＰＲＢＳデータを含むように前記第１のフィールドを構成することと、
時間領域シーケンスを含むように前記第２のフィールドを構成することと、
前記ＯＦＤＭ送信のサブキャリアを介する送信のための周波数領域パイロットのシーケンスを含むように第３のフィールドを構成することと
を行うように構成される、請求項８に記載の装置。
【請求項１０】
前記インターフェースは、実質的に時間アラインされた手法での送信のための前記第２の部分および前記第４の部分を出力するように構成される、
請求項１に記載の装置。
【請求項１１】
前記インターフェースは、時間オフセット手法での送信のための前記第１の部分および第３の部分を出力するように構成される、
請求項１に記載の装置。
【請求項１２】
前記処理システムは、
第１の時間領域シーケンスを含むように前記第２の部分を構成することと、
第２の時間領域シーケンスを含むように前記第４の部分を構成すること、ここにおいて、前記第１の時間領域シーケンスは、前記第２の時間領域シーケンスに直交である、と
を行うように構成され、
前記インターフェースは、実質的に時間アラインされた手法での送信のための前記第１および第２の時間領域シーケンスを出力するように構成される、
請求項１に記載の装置。
【請求項１３】
前記処理システムは、
第１のＯＦＤＭ送信のサブキャリアの第１のセットを介する送信のための周波数領域パイロットの第１のシーケンスを含むように前記第２の部分を構成することと、
第２のＯＦＤＭ送信のサブキャリアの第２のセットを介する送信のための周波数領域パイロットの第２のシーケンスを含むように前記第４の部分を構成することと
を行うように構成され、
前記インターフェースは、実質的に時間アラインされた手法での送信のための前記周波数領域パイロットの第１および第２のシーケンスを出力するように構成される、
請求項１に記載の装置。
【請求項１４】
前記処理システムは、前記第１の部分と前記第２の部分との間の時間に位置している第１のパッドフィールドを含むように前記第１のサブフレームを構成することを行うように構成され、前記処理システムは、前記第３の部分と前記第４の部分との間の時間に位置している第２のパッドフィールドを含むように前記第２のサブフレームを構成することを行うように構成され、前記第１のパッドフィールドの長さは、前記第２のパッドフィールドの長さより大きい、
請求項１に記載の装置。
【請求項１５】
前記処理システムは、第１のゴーレイシーケンスを含むように前記第１のパッドフィールドを構成することと、第２のゴーレイシーケンスを含むように前記第２のパッドフィールドを構成することとを行うように構成される、
請求項１４に記載の装置。
【請求項１６】
前記処理システムは、前記第１および第２の部分を備える第１のサブフレームを含むように前記フレームを生成することを行うように構成され、前記処理システムは、
第３の部分および第４の部分を備える第２のサブフレームと
第５の部分および第６の部分を備える第３のサブフレームと
を含むように前記フレームを生成することを行うように構成される、請求項１に記載の装置。
【請求項１７】
前記処理システムは、
第１の時間領域シーケンスを含むように前記第２の部分を構成することと、
前記第１の時間領域シーケンスに直交する第２の時間領域シーケンスを含むように前記第４の部分を構成することと、
第３の時間領域シーケンスを含むように前記第６の部分を構成することと
を行うように構成される請求項１６に記載の装置。
【請求項１８】
前記インターフェースは、第１のＯＦＤＭシンボル間隔の間に時間アラインされた手法での送信のための前記第１および第２の時間領域シーケンスを出力するように構成され、前記インターフェースは、第２のＯＦＤＭシンボル間隔の間の送信のための前記第３の時間領域シーケンスを出力するように構成される、
請求項１７に記載の装置。
【請求項１９】
前記処理システムは、
前記インターフェースが前記第２のＯＦＤＭシンボル間隔の間の送信ために前記第１および第２のサブフレームから出力を生み出さないように前記第１および第２のサブフレームを構成することと、
前記インターフェースが前記第１のＯＦＤＭシンボル間隔の間の送信のために前記第３のサブフレームから出力を生み出さないように前記第３の送信サブフレームを構成することを行うように構成される、
請求項１８に記載の装置。
【請求項２０】
前記処理システムは、前記第１および第２の部分を備える第１のサブフレームを含むように前記フレームを生成することを行うように構成され、前記処理システムは、
第３の部分および第４の部分を備える第２のサブフレームと
第５の部分および第６の部分を備える第３のサブフレームと、
第７の部分および第８の部分を備える第４のサブフレームと
を含むように前記フレームを生成することを行うように構成される、請求項１に記載の装置。
【請求項２１】
前記処理システムは、
第１の時間領域シーケンスを含むように前記第２の部分を構成することと、
前記第１の時間領域シーケンスに直交する第２の時間領域シーケンスを含むように前記第４の部分を構成すること、ここにおいて、前記インターフェースは、前記第１のＯＦＤＭシンボル間隔の間に時間アラインされた手法での送信のための前記第１の時間領域シーケンスおよび第２の時間領域シーケンスを出力するように構成される、と、
第３の時間領域シーケンスを含むように前記第６の部分を構成することと、
前記第３の時間領域シーケンスに直交する第４の時間領域シーケンスを含むように前記第８の部分を構成すること、ここにおいて、前記インターフェースは、第２のＯＦＤＭシンボル間隔の間に時間アラインされた手法での送信のための前記第３の時間領域シーケンスおよび前記第４の時間領域シーケンスを出力するように構成される、と
を行うように構成される請求項２０に記載の装置。
【請求項２２】
前記処理システムは、
前記インターフェースが前記第１のシンボル間隔の間の送信ために前記第３および第４のサブフレームから出力を生み出さないように第３および第４のサブフレームを構成することと、
前記インターフェースが前記第２のシンボル間隔の間の送信ために前記第１および第２のサブフレームから出力を生み出さないように前記第１および第２のサブフレームを構成することと
を行うように構成される請求項２１に記載の装置。
【請求項２３】
前記処理システムは、第１の周波数チャネルを介する送信のための前記第１の部分を構成することを行うように構成され、前記処理システムは、前記第１の周波数チャネルから周波数において離れた間隔に置かれた第２の周波数チャネルを介する送信のための第３の部分を含むように前記フレームを生成するように構成され、前記処理システムは、前記第１のデバイスおよび前記第２のデバイスによって復号可能な前記第３の部分を構成することを行うように構成され、前記処理システムは、前記第１の周波数チャネルの少なくとも一部および前記第２の周波数チャネルの少なくとも一部を含むボンデッド周波数チャネルを介する送信のための前記第２の部分を構成することを行うように構成される、
請求項１に記載の装置。
【請求項２４】
前記処理システムは、ＯＦＤＭ送信のサブキャリアを介する送信のための周波数領域疑似ランダムバイナリシーケンス（ＰＲＢＳ）データを含むように、前記第２の部分を構成することを行うように構成される、
請求項２３に記載の装置。
【請求項２５】
前記処理システムは、時間領域シーケンスを含むように前記第２の部分を構成することを行うように構成される、
請求項２３に記載の装置。
【請求項２６】
前記処理システムは、ＯＦＤＭ送信のサブキャリアを介する送信のための周波数領域パイロットのシーケンスを含むように、前記第２の部分を構成することを行うように構成される、
請求項２３に記載の装置。
【請求項２７】
ワイヤレス通信のための方法であって、
第１の部分および第２の部分を備えるフレームを生成すること、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能であり、
前記フレームを生成することは、前記第１および第２の部分を備える第１のサブフレームを生成することと、第３の部分および第４の部分を備える第２のサブフレームを生成することとを備え、前記第３の部分は、前記第１のプロトコルに従って動作する前記第１のデバイスによって復号可能であり、前記第４の部分は、前記第１のデバイスによって復号不能であり、前記第３および第４の部分は、前記第２のプロトコルに従って動作する前記第２のデバイスによって復号可能であり、
前記フレームを生成することは、
第１のＯＦＤＭ送信のサブキャリアの第１のセットを介する送信のために構成される周波数領域ＰＲＢＳデータの第１のセットを含むように前記第２の部分を構成することと、
第２のＯＦＤＭ送信のサブキャリアの第２のセットを介する送信のために構成される周波数領域ＰＲＢＳデータの第２のセットを含むように前記第４の部分を構成することと
を備え、前記フレームを生成することは、
特定の原始多項式のための第１のシードに基づいて前記周波数領域ＰＲＢＳデータの第１のセットを生成することと、
特定の原始多項式のための第２のシードに基づいて前記周波数領域ＰＲＢＳデータの第２のセットを生成することと
を備える、と、
送信のための前記フレームを出力すること、ここにおいて、送信のための前記フレームを出力することは、実質的に時間アラインされた手法での送信のための前記周波数領域ＰＲＢＳデータの第１および第２のセットを出力するように構成される、と
を備える方法。
【請求項２８】
前記フレームは、ＯＦＤＭ送信のサブキャリアを介する送信のための周波数領域疑似ランダムバイナリシーケンス（ＰＲＢＳ）データを含むように、前記第２の部分を構成することを備える、
請求項２７に記載の方法。
【請求項２９】
前記フレームは、特定の原始多項式のための特定のシードに基づいて前記ＰＲＢＳデータを生成することを備える、
請求項２８に記載の方法。
【請求項３０】
前記フレームは、時間領域シーケンスを含むように前記第２の部分を構成することを備える、
請求項２７に記載の方法。
【請求項３１】
前記フレームは、ゴーレイシーケンスを含むように前記時間領域シーケンスを構成することを備える、
請求項３０に記載の方法。
【請求項３２】
前記フレームを生成することは、ＯＦＤＭ送信のサブキャリアを介する送信のための周波数領域パイロットのシーケンスを含むように、前記第２の部分を構成することを備える、
請求項２７に記載の方法。
【請求項３３】
前記フレームを生成することは、特定のしきい値でまたはそれ未満で、ピーク対平均電力比（ＰＡＰＲ）を持つ前記ＯＦＤＭ送信を生成するように前記周波数領域パイロットのシーケンスを構成することを備える、
請求項３２に記載の方法。
【請求項３４】
前記フレームを生成することは、
前記第２のデバイスで自動利得制御（ＡＧＣ）を容易にするように構成される第１のフィールドと、
前記第２のデバイスで高速フーリエ変換（ＦＦＴ）中に前記フレームのＯＦＤＭ送信のサンプルを入力するためのタイミング制御を容易にするように構成される第２のフィールドと、
前記第２のデバイスで受信した前記フレームに関連付けられたチャネル推定を容易にするように構成される第３のフィールドと
を含むように前記第２の部分を構成することを備える、請求項２７に記載の方法。
【請求項３５】
前記フレームを生成することは、
前記ＯＦＤＭ送信のサブキャリアを介する送信ための周波数領域ＰＲＢＳデータを含むように前記第１のフィールドと、
時間領域シーケンスを含むように前記第２のフィールドと、
前記ＯＦＤＭ送信のサブキャリアを介する送信のための周波数領域パイロットのシーケンスを含むように前記第３のフィールドと
を構成することを備える、請求項３４に記載の方法。
【請求項３６】
送信のために前記フレームを出力することは、実質的に時間アラインされた手法での送信のための前記第２の部分および前記第４の部分を出力するように構成される、
請求項２７に記載の方法。
【請求項３７】
送信のために前記フレームを出力することは、時間オフセット手法での送信のための前記第１の部分および前記第３の部分を出力することを備える、
請求項２７に記載の方法。
【請求項３８】
前記フレームを生成することは、
第１の時間領域シーケンスを含むように前記第２の部分を構成することと、
第２の時間領域シーケンスを含むように前記第４の部分を構成すること、ここにおいて、前記第１の時間領域シーケンスは、前記第２の時間領域シーケンスに直交である、と
を備え、
前記インターフェースは、実質的に時間アラインされた手法での送信のための前記第１および第２の時間領域シーケンスを出力するように構成される、
請求項２７に記載の方法。
【請求項３９】
前記フレームを生成することは、
第１のＯＦＤＭ送信のサブキャリアの第１のセットを介する送信のための周波数領域パイロットの第１のシーケンスを含むように前記第２の部分を構成することと、
第２のＯＦＤＭ送信のサブキャリアの第２のセットを介する送信のための周波数領域パイロットの第２のシーケンスを含むように前記第４の部分を構成することと
を備え、
前記インターフェースは、実質的に時間アラインされた手法での送信のための前記周波数領域パイロットの第１および第２のシーケンスを出力するように構成される、
請求項２７に記載の方法。
【請求項４０】
前記フレームを生成することは、前記第１の部分と第２の部分との間の時間に位置している第１のパッドフィールドを含むように前記第１のサブフレームを構成することと、位置している第２のパッドフィールドを含むように前記第２のサブフレームを構成することとを備え、前記第１のパッドフィールドの長さは、前記第２のパッドフィールドの長さより大きく、送信のための前記フレームを出力することは、前記第１の部分と前記第２の部分との間の送信のための前記第１のパッドフィールドを出力することと、前記第３の部分と前記第４の部分との間の送信のための前記第２のパッドフィールドを出力することとを備える、
請求項２７に記載の方法。
【請求項４１】
前記フレームを生成することは、第１のゴーレイシーケンスを含むように前記第１のパッドフィールドを構成することと、第２のゴーレイシーケンスを含むように前記第２のパッドフィールドを構成することとを備える、
請求項４０に記載の方法。
【請求項４２】
前記フレームを生成することは、前記第１および第２の部分を備える第１のサブフレームを含むように前記フレームを生成することと、第３の部分および第４の部分を含むように第２のサブフレームを生成することと、第５の部分および第６の部分を含むように第３のサブフレームを生成することとを備える、
請求項２７に記載の方法。
【請求項４３】
前記フレームを生成することは、
第１の時間領域シーケンスを含むように前記第２の部分を構成することと、
前記第１の時間領域シーケンスに直交する第２の時間領域シーケンスを含むように前記第４の部分を構成することと、
第３の時間領域シーケンスを含むように前記第６の部分を構成することと
を備える、請求項４２に記載の方法。
【請求項４４】
送信のために前記フレームを出力することは、第１のＯＦＤＭシンボル間隔の間に時間アラインされた手法での送信のための前記第１および第２の時間領域シーケンスを出力することと、第２のＯＦＤＭシンボル間隔の間の送信のための前記第３の時間領域シーケンスを出力することとを備える、
請求項４３に記載の方法。
【請求項４５】
前記フレームを生成することは、
前記インターフェースが前記第２のＯＦＤＭシンボル間隔の間の送信ために前記第１および第２のサブフレームから出力を生み出さないように前記第１および第２のサブフレームを構成することと、
前記インターフェースが前記第１のＯＦＤＭシンボル間隔の間の送信のために前記第３のサブフレームから出力を生み出さないように前記第３の送信サブフレームを構成することを備える、
請求項４４に記載の方法。
【請求項４６】
前記フレームを生成することは、
前記第１および第２の部分を備える第１のサブフレームを含むように前記フレームを生成することと、
第３の部分および第４の部分を備える第２のサブフレームを生成することと
第５の部分および第６の部分を備える第３のサブフレームを生成することと、
第７の部分および第８の部分を備える第４のサブフレームを生成することと
を備える、請求項２７に記載の方法。
【請求項４７】
前記フレームを生成することは、
第１の時間領域シーケンスを含むように前記第２の部分を構成することと、
前記第１の時間領域シーケンスに直交する第２の時間領域シーケンスを含むように前記第４の部分を構成すること、ここにおいて、送信のための前記フレームを出力することは、第１のＯＦＤＭシンボル間隔の間に時間アラインされた手法での送信のための前記第１の時間領域シーケンスおよび第２の時間領域シーケンスを出力することを備える、と、
第３の時間領域シーケンスを含むように前記第６の部分を構成することと、
前記第３の時間領域シーケンスに直交する第４の時間領域シーケンスを含むように前記第８の部分を構成すること、ここにおいて、送信のための前記フレームを出力することは、前記第２のＯＦＤＭシンボル間隔の間に時間アラインされた手法での送信のための前記第３の時間領域シーケンスおよび第４の時間領域シーケンスを出力することを備える、と
を備える、請求項４６に記載の方法。
【請求項４８】
前記フレームを生成することは、
前記インターフェースが前記第１のシンボル間隔の間の送信ために前記第３および第４のサブフレームから出力を生み出さないように前記第３および第４のサブフレームを構成することと、
前記インターフェースが前記第２のシンボル間隔の間の送信ために前記第１および第２のサブフレームから出力を生み出さないように前記第１および第２のサブフレームを構成することと
を備える、請求項４７に記載の方法。
【請求項４９】
前記フレームを生成することは、
第１の周波数チャネルを介する送信のための前記第１の部分を構成することと、
前記第１の周波数チャネルから周波数において離れた間隔に置かれた第２の周波数チャネルを介する送信のための第３の部分を含むように前記フレームを生成することと、
前記第１のデバイスおよび前記第２のデバイスによって復号可能な前記第３の部分を構成することと、
前記第１の周波数チャネルの少なくとも一部および前記第２の周波数チャネルの少なくとも一部を含むボンデッド周波数チャネルを介する送信のための前記第２の部分を構成することと
を備える、請求項２７に記載の方法。
【請求項５０】
前記フレームを生成することは、ＯＦＤＭ送信のサブキャリアを介する送信のための周波数領域疑似ランダムバイナリシーケンス（ＰＲＢＳ）データを含むように、前記第２の部分を構成することを備える、
請求項４９に記載の方法。
【請求項５１】
前記フレームを生成することは、時間領域シーケンスを含むように前記第２の部分を構成することを備える、
請求項４９に記載の方法。
【請求項５２】
前記フレームを生成することは、ＯＦＤＭ送信のサブキャリアを介する送信のための周波数領域パイロットのシーケンスを含むように、前記第２の部分を構成することを備える、
請求項４９に記載の方法。
【請求項５３】
ワイヤレス通信のための装置であって、
第１の部分および第２の部分を備えるフレームを生成するための手段、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能であり、
前記フレームを前記生成するための手段は、前記第１および第２の部分を備える第１のサブフレームを生成するための手段と、第３の部分および第４の部分を備える第２のサブフレームを生成するための手段とを備え、前記第３の部分は、前記第１のプロトコルに従って動作する前記第１のデバイスによって復号可能であり、前記第４の部分は、前記第１のデバイスによって復号不能であり、前記第３および第４の部分は、前記第２のプロトコルに従って動作する前記第２のデバイスによって復号可能であり、
前記フレームを前記生成するための手段は、
第１のＯＦＤＭ送信のサブキャリアの第１のセットを介する送信のために構成される周波数領域ＰＲＢＳデータの第１のセットを含むように前記第２の部分を構成するための手段と、
第２のＯＦＤＭ送信のサブキャリアの第２のセットを介する送信のために構成される周波数領域ＰＲＢＳデータの第２のセットを含むように前記第４の部分を構成するための手段と
を備え、前記フレームを前記生成するための手段は、
特定の原始多項式のための第１のシードに基づいて前記周波数領域ＰＲＢＳデータの第１のセットを生成するための手段と、
前記特定の原始多項式のための第２のシードに基づいて前記周波数領域ＰＲＢＳデータの第２のセットを生成するための手段と
を備える、と、
送信のための前記フレームを出力するための手段、ここにおいて、前記送信のための前記フレームを出力するための手段は、実質的に時間アラインされた手法での送信のための前記周波数領域ＰＲＢＳデータの第１および第２のセットを出力するための手段を備える、と
を備える、装置。
【請求項５４】
前記フレームを前記生成するための手段は、ＯＦＤＭ送信のサブキャリアを介する送信のための周波数領域疑似ランダムバイナリシーケンス（ＰＲＢＳ）データを含むように、前記第２の部分を構成するための手段を備える、
請求項５３に記載の装置。
【請求項５５】
前記フレームを前記生成するための手段は、特定の原始多項式のための特定のシードに基づいて前記ＰＲＢＳデータを生成するための手段を備える、
請求項５４に記載の装置。
【請求項５６】
前記フレームを前記生成するための手段は、時間領域シーケンスを含むように前記第２の部分を構成するための手段を備える、
請求項５３に記載の装置。
【請求項５７】
前記フレームを前記生成するための手段は、ゴーレイシーケンスを含むように前記時間領域シーケンスを構成するための手段を備える、
請求項５６に記載の装置。
【請求項５８】
前記フレームを前記生成するための手段は、ＯＦＤＭ送信のサブキャリアを介する送信のための周波数領域パイロットのシーケンスを含むように、前記第２の部分を構成するための手段を備える、
請求項５３に記載の装置。
【請求項５９】
前記フレームを前記生成するための手段は、特定のしきい値でまたはそれ未満で、ピーク対平均電力比（ＰＡＰＲ）を持つ前記ＯＦＤＭ送信を生成するように前記周波数領域パイロットのシーケンスを構成するための手段を備える、
請求項５８に記載の装置。
【請求項６０】
前記フレームを前記生成するための手段は、
前記第２のデバイスで自動利得制御（ＡＧＣ）を容易にするように構成される第１のフィールドと、
前記第２のデバイスで高速フーリエ変換（ＦＦＴ）中に前記フレームのＯＦＤＭ送信のサンプルを入力するためのタイミング制御を容易にするように構成される第２のフィールドと、
前記第２のデバイスで受信した前記フレームに関連付けられたチャネル推定を容易にするように構成される第３のフィールドと
を含むように前記第２の部分を構成するための手段を備える、請求項５３に記載の装置。
【請求項６１】
前記フレームを前記生成するための手段は、
前記ＯＦＤＭ送信のサブキャリアを介する送信ためのの周波数領域ＰＲＢＳデータを含むように前記第１のフィールドを構成するための手段と、
時間領域シーケンスを含むように前記第２のフィールドを構成するための手段と、
前記ＯＦＤＭ送信のサブキャリアを介する送信のための周波数領域パイロットのシーケンスを含むように第３のフィールドを構成するための手段と
を備える、請求項６０に記載の装置。
【請求項６２】
前記送信のために前記フレームを出力するための手段は、実質的に時間アラインされた手法での送信のための前記第２の部分および前記第４の部分を出力するための手段を備える、
請求項５３に記載の装置。
【請求項６３】
前記送信のために前記フレームを出力するための手段は、時間オフセット手法での送信のための前記第１の部分および第３の部分を出力するための手段を備える、
請求項５３に記載の装置。
【請求項６４】
前記フレームを前記生成するための手段は、
第１の時間領域シーケンスを含むように前記第２の部分を構成するための手段と、
第２の時間領域シーケンスを含むように前記第４の部分を構成するための手段、ここにおいて、前記第１の時間領域シーケンスは、前記第２の時間領域シーケンスに直交である、と
を備え、
前記フレームを前記出力するための手段は、実質的に時間アラインされた手法での送信のための前記第１および第２の時間領域シーケンスを出力するための手段を備える、
請求項５３に記載の装置。
【請求項６５】
前記フレームを前記生成するための手段は、
第１のＯＦＤＭ送信のサブキャリアの第１のセットを介する送信のための周波数領域パイロットの第１のシーケンスを含むように前記第２の部分を構成するための手段と、
第２のＯＦＤＭ送信のサブキャリアの第２のセットを介する送信のための周波数領域パイロットの第２のシーケンスを含むように前記第４の部分を構成するための手段と
を備え、
前記フレームを前記出力するための手段は、実質的に時間アラインされた手法での送信のための前記周波数領域パイロットの第１および第２のセットを出力するための手段を備える、
請求項５３に記載の装置。
【請求項６６】
前記フレームを前記生成するための手段は、
前記第１の部分と前記第２の部分との間の時間において位置される第１のパッドフィールドを含むように前記第１のサブフレームを構成するための手段と、
前記第３の部分と第４の部分との間に位置される第２のパッドフィールドを含むように前記第２のサブフレームを構成するための手段、ここにおいて、前記第１のパッドフィールドは、前記第２のパッドフィールドの長さより大きい、
請求項５３に記載の装置。
【請求項６７】
前記フレームを前記生成するための手段は、第１のゴーレイシーケンスを含むように前記第１のパッドフィールドを構成するための手段と、第２のゴーレイシーケンスを含むように前記第２のパッドフィールドを構成するための手段とを備える、
請求項６６に記載の装置。
【請求項６８】
前記フレームを前記生成するための手段は、
前記第１および第２の部分を備える第１のサブフレームを含むように前記フレームを生成するための手段と、
第３の部分および第４の部分を含むように第２のサブフレームを生成するための手段と、
第５の部分および第６の部分を含むように第３のサブフレームを生成するための手段と
を備える請求項５３に記載の装置。
【請求項６９】
前記フレームを前記生成するための手段は、
第１の時間領域シーケンスを含むように前記第２の部分を構成するための手段と、
前記第１の時間領域シーケンスに直交する第２の時間領域シーケンスを含むように前記第４の部分を構成するための手段と、
第３の時間領域シーケンスを含むように前記第６の部分を構成するための手段と
を備える請求項６８に記載の装置。
【請求項７０】
送信のための前記フレームを前記出力するための手段は、
第１のＯＦＤＭシンボル間隔の間に時間アラインされた手法での送信のための前記第１および第２の時間領域シーケンスを出力するための手段と、
第２のＯＦＤＭシンボル間隔の間の送信のための前記第３の時間領域シーケンスを出力するための手段と
を備える、請求項６９に記載の装置。
【請求項７１】
前記フレームを前記生成するための手段は、
前記第１および第２のサブフレームが前記第２のＯＦＤＭシンボル間隔の間の無送信をもたらすように前記第１および第２のサブフレームを構成するための手段と、
前記第３のサブフレームが前記第１のＯＦＤＭシンボル間隔の間の無送信をもたらすように前記第３のサブフレームを構成するための手段と
を備える、請求項７０に記載の装置。
【請求項７２】
前記フレームを前記生成するための手段は、
前記第１および第２の部分を備える第１のサブフレームを含むように前記フレームを生成するための手段と、
第３の部分および第４の部分を備える第２のサブフレームを生成するための手段と、
第５の部分および第６の部分を備える第３のサブフレームを生成するための手段と、
第７の部分および第８の部分を備える第４のサブフレームを生成するための手段と
を備える、請求項５３に記載の装置。
【請求項７３】
前記フレームを前記生成するための手段は、
第１の時間領域シーケンスを含むように前記第２の部分を構成するための手段と、
前記第１の時間領域シーケンスに直交する第２の時間領域シーケンスを含むように前記第４の部分を構成するための手段、ここにおいて、送信のための前記フレームを出力するための手段は、前記第１のＯＦＤＭシンボル間隔の間に時間アラインされた手法での送信のための前記第１の時間領域シーケンスおよび第２の時間領域シーケンスを出力するための手段を備える、と、
第３の時間領域シーケンスを含むように前記第６の部分を構成するための手段と、
前記第３の時間領域シーケンスに直交する第４の時間領域シーケンスを含むように前記第８の部分を構成するための手段、ここにおいて、送信のための前記フレームを出力するための手段は、前記第２のＯＦＤＭシンボル間隔の間に時間アラインされた手法での送信のための前記第３の時間領域シーケンスおよび前記第４の時間領域シーケンスを出力するための手段を備える、と
を備える、請求項７２に記載の装置。
【請求項７４】
前記フレームを前記生成するための手段は、
前記第３および第４のサブフレームが前記第１のシンボル間隔の間の無送信を生み出すように前記第３および第４のサブフレームを構成するための手段と、
前記第１および第２のサブフレームが前記第２のシンボル間隔の間の無送信を生み出すように前記第１および第２のサブフレームを構成するための手段と
を備える、請求項７３に記載の装置。
【請求項７５】
前記フレームを前記生成するための手段は、
第１の周波数チャネルを介する送信のための前記第１の部分を構成するための手段と、
前記第１の周波数チャネルから周波数において離れた間隔に置かれた第２の周波数チャネルを介する送信のための第３の部分を含むように前記フレームを生成するための手段と、
前記第１のデバイスおよび前記第２のデバイスによって復号可能な前記第３の部分を構成するための手段と、
前記第１の周波数チャネルの少なくとも一部および前記第２の周波数チャネルの少なくとも一部を含むボンデッド周波数チャネルを介する送信のための前記第２の部分を構成するための手段と
を備える、請求項５３に記載の装置。
【請求項７６】
前記フレームを前記生成するための手段は、ＯＦＤＭ送信のサブキャリアを介する送信のための周波数領域疑似ランダムバイナリシーケンス（ＰＲＢＳ）データを含むように、前記第２の部分を構成するための手段を備える、
請求項７５に記載の装置。
【請求項７７】
前記フレームを生成するための手段は、時間領域シーケンスを含むように前記第２の部分を構成するための手段を備える、
請求項７５に記載の装置。
【請求項７８】
前記フレームを前記生成するための手段は、ＯＦＤＭ送信のサブキャリアを介する送信のための周波数領域パイロットのシーケンスを含むように、前記第２の部分を構成するための手段を備える、
請求項７５に記載の装置。
【請求項７９】
第１の部分および第２の部分を備えるフレームを生成すること、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能であり、
前記フレームを生成することは、前記第１および第２の部分を備える第１のサブフレームを生成することと、第３の部分および第４の部分を備える第２のサブフレームを生成することとを備え、前記第３の部分は、前記第１のプロトコルに従って動作する前記第１のデバイスによって復号可能であり、前記第４の部分は、前記第１のデバイスによって復号不能であり、前記第３および第４の部分は、前記第２のプロトコルに従って動作する前記第２のデバイスによって復号可能であり、
前記フレームを生成することは、
第１のＯＦＤＭ送信のサブキャリアの第１のセットを介する送信のために構成される周波数領域ＰＲＢＳデータの第１のセットを含むように前記第２の部分を構成することと、
第２のＯＦＤＭ送信のサブキャリアの第２のセットを介する送信のために構成される周波数領域ＰＲＢＳデータの第２のセットを含むように前記第４の部分を構成することと
を備え、前記フレームを生成することは、
特定の原始多項式のための第１のシードに基づいて前記周波数領域ＰＲＢＳデータの第１のセットを生成することと、
特定の原始多項式のための第２のシードに基づいて前記周波数領域ＰＲＢＳデータの第２のセットを生成することと
を備える、と、
送信のための前記フレームを出力すること、ここにおいて、送信のための前記フレームを出力することは、実質的に時間アラインされた手法での送信のための前記周波数領域ＰＲＢＳデータの第１および第２のセットを出力するように構成される、と
を行うためにその上に記憶された命令を有するコンピュータ可読媒体。
【請求項８０】
ワイヤレスノードであって、
少なくとも１つの受信アンテナと、
第１の部分および第２の部分を備えるフレームを生成することを行うように構成される処理システム、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能であり、
前記処理システムは、前記第１および第２の部分を備える第１のサブフレームを含むように前記フレームを生成すること、ここにおいて、前記処理システムは、第３の部分および第４の部分を備える第２のサブフレームを含むように前記フレームを生成することを行うように構成され、前記第３の部分は、前記第１のプロトコルに従って動作する前記第１のデバイスによって復号可能であり、前記第４の部分は、前記第１のデバイスによって復号不能であり、前記第３および第４の部分は、前記第２のプロトコルに従って動作する前記第２のデバイスによって復号可能であり、
前記処理システムは、
第１のＯＦＤＭ送信のサブキャリアの第１のセットを介する送信のために構成される周波数領域ＰＲＢＳデータの第１のセットを含むように前記第２の部分を構成することと、
第２のＯＦＤＭ送信のサブキャリアの第２のセットを介する送信のために構成される周波数領域ＰＲＢＳデータの第２のセットを含むように前記第４の部分を構成することと
を行うように構成され、前記処理システムは、
特定の原始多項式のための第１のシードに基づいて前記周波数領域ＰＲＢＳデータの第１のセットを生成することと、
前記特定の原始多項式のための第２のシードに基づいて前記周波数領域ＰＲＢＳデータの第２のセットを生成することと
を行うように構成される、と、
前記少なくとも１つのアンテナを介する送信のために前記フレームを出力するように構成されたインターフェース、ここにおいて、前記インターフェースは、実質的に時間アラインされた手法での送信のための前記周波数領域ＰＲＢＳデータの第１および第２のセットを出力するように構成される、と
を備える、ワイヤレスノード。
【手続補正２】
【補正対象書類名】明細書
【補正対象項目名】０１６４
【補正方法】変更
【補正の内容】
【０１６４】
[00168]特許請求の範囲が、上に例示されたまさにその構成およびコンポーネントに限定されないことが理解されるべきである。請求項の範囲から逸脱することなく、上で説明された方法および装置の、配列、動作、および詳細において、様々な変更、変化、およびバリエーションが行われ得る。
以下に、本願出願の当初の特許請求の範囲に記載された発明を付記する。
［Ｃ１］
ワイヤレス通信のための装置であって、
第１の部分および第２の部分を備えるフレームを生成することを行うように構成される処理システム、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能である、と、
送信のための前記フレームを出力することを行うように構成されたインターフェースと
を備える、装置。
［Ｃ２］
前記処理システムは、ＯＦＤＭ送信のサブキャリアを介する送信のための周波数領域疑似ランダムバイナリシーケンス（ＰＲＢＳ）データを含むように、前記第２の部分を構成することを行うように構成される、
［Ｃ１］に記載の装置。
［Ｃ３］
前記処理システムは、特定の原始多項式のための特定のシードに基づいて前記ＰＲＢＳデータを生成することを行うように構成される、
［Ｃ２］に記載の装置。
［Ｃ４］
前記処理システムは、時間領域シーケンスを含むように前記第２の部分を構成することを行うように構成される、
［Ｃ１］に記載の装置。
［Ｃ５］
前記処理システムは、ゴーレイシーケンスを含むように前記時間領域シーケンスを構成することを行うように構成される、
［Ｃ４］に記載の装置。
［Ｃ６］
前記処理システムは、ＯＦＤＭ送信のサブキャリアを介する送信のための周波数領域パイロットのシーケンスを含むように、前記第２の部分を構成することを行うように構成される、
［Ｃ１］に記載の装置。
［Ｃ７］
前記処理システムは、特定のしきい値でまたはそれ未満で、ピーク対平均電力比（ＰＡＰＲ）を持つ前記ＯＦＤＭ送信を生成するように前記周波数領域パイロットのシーケンスを構成することを行うように構成される、
［Ｃ６］に記載の装置。
［Ｃ８］
前記処理システムは、
前記第２のデバイスで自動利得制御（ＡＧＣ）を容易にするように構成される第１のフィールドと、
前記第２のデバイスで高速フーリエ変換（ＦＦＴ）中に前記フレームのＯＦＤＭ送信のサンプルを入力するためのタイミング制御を容易にするように構成される第２のフィールドと、
前記第２のデバイスで受信した前記フレームに関連付けられたチャネル推定を容易にするように構成される第３のフィールドと
を含むように前記第２の部分を構成することを行うように構成される、［Ｃ１］に記載の装置。
［Ｃ９］
前記処理システムは、
前記ＯＦＤＭ送信のサブキャリアを介する送信ためのの周波数領域ＰＲＢＳデータを含むように前記第１のフィールドを構成することと、
時間領域シーケンスを含むように前記第２のフィールドを構成することと、
前記ＯＦＤＭ送信のサブキャリアを介する送信のための周波数領域パイロットのシーケンスを含むように第３のフィールドを構成することと
を行うように構成される、［Ｃ８］に記載の装置。
［Ｃ１０］
前記処理システムは、前記第１および第２の部分を備える第１のサブフレームを含むように前記フレームを生成すること、ここにおいて、前記処理システムは、第３の部分および第４の部分を備える第２のサブフレームを含むように前記フレームを生成することを行うように構成され、前記第３の部分は、前記第１のプロトコルに従って動作する前記第１のデバイスによって復号可能であり、前記第４の部分は、前記第１のデバイスによって復号不能であり、前記第３および第４の部分は、前記第２のプロトコルに従って動作する前記第２のデバイスによって復号可能である、
［Ｃ１］に記載の装置。
［Ｃ１１］
前記インターフェースは、実質的に時間アラインされた手法での送信のための前記第２の部分および前記第４の部分を出力するように構成される、
［Ｃ１０］に記載の装置。
［Ｃ１２］
前記インターフェースは、時間オフセット手法での送信のための前記第１の部分および第３の部分を出力するように構成される、
［Ｃ１０］に記載の装置。
［Ｃ１３］
前記処理システムは、
第１のＯＦＤＭ送信のサブキャリアの第１のセットを介する送信のために構成される周波数領域ＰＲＢＳデータの第１のセットを含むように前記第２の部分を構成することと、
第２のＯＦＤＭ送信のサブキャリアの第２のセットを介する送信のために構成される周波数領域ＰＲＢＳデータの第２のセットを含むように前記第４の部分を構成することと
を行うように構成され、
前記インターフェースは、実質的に時間アラインされた手法での送信のための前記周波数領域ＰＲＢＳデータの第１および第２のセットを出力するように構成される、
［Ｃ１０］に記載の装置。
［Ｃ１４］
前記処理システムは、
特定の原始多項式のための第１のシードに基づいて前記周波数領域ＰＲＢＳデータの第１のセットを生成することと、
前記特定の原始多項式のための第２のシードに基づいて前記周波数領域ＰＲＢＳデータの第２のセットを生成することと
を行うように構成される、［Ｃ１３］に記載の装置。
［Ｃ１５］
前記処理システムは、
第１の時間領域シーケンスを含むように前記第２の部分を構成することと、
第２の時間領域シーケンスを含むように前記第４の部分を構成すること、ここにおいて、前記第１の時間領域シーケンスは、前記第２の時間領域シーケンスに直交である、と
を行うように構成され、
前記インターフェースは、実質的に時間アラインされた手法での送信のための前記第１および第２の時間領域シーケンスを出力するように構成される、
［Ｃ１０］に記載の装置。
［Ｃ１６］
前記処理システムは、
第１のＯＦＤＭ送信のサブキャリアの第１のセットを介する送信のための周波数領域パイロットの第１のシーケンスを含むように前記第２の部分を構成することと、
第２のＯＦＤＭ送信のサブキャリアの第２のセットを介する送信のための周波数領域パイロットの第２のシーケンスを含むように前記第４の部分を構成することと
を行うように構成され、
前記インターフェースは、実質的に時間アラインされた手法での送信のための前記周波数領域パイロットの第１および第２のシーケンスを出力するように構成される、
［Ｃ１０］に記載の装置。
［Ｃ１７］
前記処理システムは、前記第１の部分と前記第２の部分との間の時間に位置している第１のパッドフィールドを含むように前記第１のサブフレームを構成することを行うように構成され、前記処理システムは、前記第３の部分と前記第４の部分との間の時間に位置している第２のパッドフィールドを含むように前記第２のサブフレームを構成することを行うように構成され、前記第１のパッドフィールドの長さは、前記第２のパッドフィールドの長さより大きい、
［Ｃ１０］に記載の装置。
［Ｃ１８］
前記処理システムは、第１のゴーレイシーケンスを含むように前記第１のパッドフィールドを構成することと、第２のゴーレイシーケンスを含むように前記第２のパッドフィールドを構成することとを行うように構成される、
［Ｃ１７］に記載の装置。
［Ｃ１９］
前記処理システムは、前記第１および第２の部分を備える第１のサブフレームを含むように前記フレームを生成することを行うように構成され、前記処理システムは、
第３の部分および第４の部分を備える第２のサブフレームと
第５の部分および第６の部分を備える第３のサブフレームと
を含むように前記フレームを生成することを行うように構成される、［Ｃ１］に記載の装置。
［Ｃ２０］
前記処理システムは、
第１の時間領域シーケンスを含むように前記第２の部分を構成することと、
前記第１の時間領域シーケンスに直交する第２の時間領域シーケンスを含むように前記第４の部分を構成することと、
第３の時間領域シーケンスを含むように前記第６の部分を構成することと
を行うように構成される［Ｃ１９］に記載の装置。
［Ｃ２１］
前記インターフェースは、第１のＯＦＤＭシンボル間隔の間に時間アラインされた手法での送信のための前記第１および第２の時間領域シーケンスを出力するように構成され、前記インターフェースは、第２のＯＦＤＭシンボル間隔の間の送信のための前記第３の時間領域シーケンスを出力するように構成される、
［Ｃ２０］に記載の装置。
［Ｃ２２］
前記処理システムは、
前記インターフェースが前記第２のＯＦＤＭシンボル間隔の間の送信ために前記第１および第２のサブフレームから出力を生み出さないように前記第１および第２のサブフレームを構成することと、
前記インターフェースが前記第１のＯＦＤＭシンボル間隔の間の送信のために前記第３のサブフレームから出力を生み出さないように前記第３の送信サブフレームを構成することを行うように構成される、
［Ｃ２１］に記載の装置。
［Ｃ２３］
前記処理システムは、前記第１および第２の部分を備える第１のサブフレームを含むように前記フレームを生成することを行うように構成され、前記処理システムは、
第３の部分および第４の部分を備える第２のサブフレームと
第５の部分および第６の部分を備える第３のサブフレームと、
第７の部分および第８の部分を備える第４のサブフレームと
を含むように前記フレームを生成することを行うように構成される、［Ｃ１］に記載の装置。
［Ｃ２４］
前記処理システムは、
第１の時間領域シーケンスを含むように前記第２の部分を構成することと、
前記第１の時間領域シーケンスに直交する第２の時間領域シーケンスを含むように前記第４の部分を構成すること、ここにおいて、前記インターフェースは、前記第１のＯＦＤＭシンボル間隔の間に時間アラインされた手法での送信のための前記第１の時間領域シーケンスおよび第２の時間領域シーケンスを出力するように構成される、と、
第３の時間領域シーケンスを含むように前記第６の部分を構成することと、
前記第３の時間領域シーケンスに直交する第４の時間領域シーケンスを含むように前記第８の部分を構成すること、ここにおいて、前記インターフェースは、第２のＯＦＤＭシンボル間隔の間に時間アラインされた手法での送信のための前記第３の時間領域シーケンスおよび前記第４の時間領域シーケンスを出力するように構成される、と
を行うように構成される［Ｃ２３］に記載の装置。
［Ｃ２５］
前記処理システムは、
前記インターフェースが前記第１のシンボル間隔の間の送信ために前記第３および第４のサブフレームから出力を生み出さないように第３および第４のサブフレームを構成することと、
前記インターフェースが前記第２のシンボル間隔の間の送信ために前記第１および第２のサブフレームから出力を生み出さないように前記第１および第２のサブフレームを構成することと
を行うように構成される［Ｃ２４］に記載の装置。
［Ｃ２６］
前記処理システムは、第１の周波数チャネルを介する送信のための前記第１の部分を構成することを行うように構成され、前記処理システムは、前記第１の周波数チャネルから周波数において離れた間隔に置かれた第２の周波数チャネルを介する送信のための第３の部分を含むように前記フレームを生成するように構成され、前記処理システムは、前記第１のデバイスおよび前記第２のデバイスによって復号可能な前記第３の部分を構成することを行うように構成され、前記処理システムは、前記第１の周波数チャネルの少なくとも一部および前記第２の周波数チャネルの少なくとも一部を含むボンデッド周波数チャネルを介する送信のための前記第２の部分を構成することを行うように構成される、
［Ｃ１］に記載の装置。
［Ｃ２７］
前記処理システムは、ＯＦＤＭ送信のサブキャリアを介する送信のための周波数領域疑似ランダムバイナリシーケンス（ＰＲＢＳ）データを含むように、前記第２の部分を構成することを行うように構成される、
［Ｃ２６］に記載の装置。
［Ｃ２８］
前記処理システムは、時間領域シーケンスを含むように前記第２の部分を構成することを行うように構成される、
［Ｃ２６］に記載の装置。
［Ｃ２９］
前記処理システムは、ＯＦＤＭ送信のサブキャリアを介する送信のための周波数領域パイロットのシーケンスを含むように、前記第２の部分を構成することを行うように構成される、
［Ｃ２６］に記載の装置。
［Ｃ３０］
ワイヤレス通信のための方法であって、
第１の部分および第２の部分を備えるフレームを生成すること、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能である、と、
送信のための前記フレームを出力することと
を備える方法。
［Ｃ３１］
前記フレームは、ＯＦＤＭ送信のサブキャリアを介する送信のための周波数領域疑似ランダムバイナリシーケンス（ＰＲＢＳ）データを含むように、前記第２の部分を構成することを備える、
［Ｃ３０］に記載の方法。
［Ｃ３２］
前記フレームは、特定の原始多項式のための特定のシードに基づいて前記ＰＲＢＳデータを生成することを備える、
［Ｃ３１］に記載の方法。
［Ｃ３３］
前記フレームは、時間領域シーケンスを含むように前記第２の部分を構成することを備える、
［Ｃ３０］に記載の方法。
［Ｃ３４］
前記フレームは、ゴーレイシーケンスを含むように前記時間領域シーケンスを構成することを備える、
［Ｃ３３］に記載の方法。
［Ｃ３５］
前記フレームを生成することは、ＯＦＤＭ送信のサブキャリアを介する送信のための周波数領域パイロットのシーケンスを含むように、前記第２の部分を構成することを備える、
［Ｃ３０］に記載の方法。
［Ｃ３６］
前記フレームを生成することは、特定のしきい値でまたはそれ未満で、ピーク対平均電力比（ＰＡＰＲ）を持つ前記ＯＦＤＭ送信を生成するように前記周波数領域パイロットのシーケンスを構成することを備える、
［Ｃ３５］に記載の方法。
［Ｃ３７］
前記フレームを生成することは、
前記第２のデバイスで自動利得制御（ＡＧＣ）を容易にするように構成される第１のフィールドと、
前記第２のデバイスで高速フーリエ変換（ＦＦＴ）中に前記フレームのＯＦＤＭ送信のサンプルを入力するためのタイミング制御を容易にするように構成される第２のフィールドと、
前記第２のデバイスで受信した前記フレームに関連付けられたチャネル推定を容易にするように構成される第３のフィールドと
を含むように前記第２の部分を構成することを備える、［Ｃ３０］に記載の方法。
［Ｃ３８］
前記フレームを生成することは、
前記ＯＦＤＭ送信のサブキャリアを介する送信ための周波数領域ＰＲＢＳデータを含むように前記第１のフィールドと、
時間領域シーケンスを含むように前記第２のフィールドと、
前記ＯＦＤＭ送信のサブキャリアを介する送信のための周波数領域パイロットのシーケンスを含むように前記第３のフィールドと
を構成することを備える、［Ｃ３７］に記載の方法。
［Ｃ３９］
前記フレームを生成することは、前記第１および第２の部分を備える第１のサブフレームを生成することと、第３の部分および第４の部分を備える第２のサブフレームを生成することとを備え、前記第３の部分は、前記第１のプロトコルに従って動作する前記第１のデバイスによって復号可能であり、前記第４の部分は、前記第１のデバイスによって復号不能であり、前記第３および第４の部分は、前記第２のプロトコルに従って動作する前記第２のデバイスによって復号可能である、
［Ｃ３０］に記載の方法。
［Ｃ４０］
送信のために前記フレームを出力することは、実質的に時間アラインされた手法での送信のための前記第２の部分および前記第４の部分を出力するように構成される、
［Ｃ３９］に記載の方法。
［Ｃ４１］
送信のために前記フレームを出力することは、時間オフセット手法での送信のための前記第１の部分および前記第３の部分を出力することを備える、
［Ｃ３９］に記載の方法。
［Ｃ４２］
前記フレームを生成することは、
第１のＯＦＤＭ送信のサブキャリアの第１のセットを介する送信のために構成される周波数領域ＰＲＢＳデータの第１のセットを含むように前記第２の部分を構成することと、
第２のＯＦＤＭ送信のサブキャリアの第２のセットを介する送信のために構成される周波数領域ＰＲＢＳデータの第２のセットを含むように前記第４の部分を構成することと
を備え、
送信のための前記フレームを出力することは、実質的に時間アラインされた手法での送信のための前記周波数領域ＰＲＢＳデータの第１および第２のセットを出力するように構成される、
［Ｃ３９］に記載の方法。
［Ｃ４３］
前記フレームを生成することは、
特定の原始多項式のための第１のシードに基づいて前記周波数領域ＰＲＢＳデータの第１のセットを生成することと、
特定の原始多項式のための第２のシードに基づいて前記周波数領域ＰＲＢＳデータの第２のセットを生成することと
を備える、［Ｃ４２］に記載の方法。
［Ｃ４４］
前記フレームを生成することは、
第１の時間領域シーケンスを含むように前記第２の部分を構成することと、
第２の時間領域シーケンスを含むように前記第４の部分を構成すること、ここにおいて、前記第１の時間領域シーケンスは、前記第２の時間領域シーケンスに直交である、と
を備え、
前記インターフェースは、実質的に時間アラインされた手法での送信のための前記第１および第２の時間領域シーケンスを出力するように構成される、
［Ｃ３９］に記載の方法。
［Ｃ４５］
前記フレームを生成することは、
第１のＯＦＤＭ送信のサブキャリアの第１のセットを介する送信のための周波数領域パイロットの第１のシーケンスを含むように前記第２の部分を構成することと、
第２のＯＦＤＭ送信のサブキャリアの第２のセットを介する送信のための周波数領域パイロットの第２のシーケンスを含むように前記第４の部分を構成することと
を備え、
前記インターフェースは、実質的に時間アラインされた手法での送信のための前記周波数領域パイロットの第１および第２のシーケンスを出力するように構成される、
［Ｃ３９］に記載の方法。
［Ｃ４６］
前記フレームを生成することは、前記第１の部分と第２の部分との間の時間に位置している第１のパッドフィールドを含むように前記第１のサブフレームを構成することと、位置している第２のパッドフィールドを含むように前記第２のサブフレームを構成することとを備え、前記第１のパッドフィールドの長さは、前記第２のパッドフィールドの長さより大きく、送信のための前記フレームを出力することは、前記第１の部分と前記第２の部分との間の送信のための前記第１のパッドフィールドを出力することと、前記第３の部分と前記第４の部分との間の送信のための前記第２のパッドフィールドを出力することとを備える、
［Ｃ３９］に記載の方法。
［Ｃ４７］
前記フレームを生成することは、第１のゴーレイシーケンスを含むように前記第１のパッドフィールドを構成することと、第２のゴーレイシーケンスを含むように前記第２のパッドフィールドを構成することとを備える、
［Ｃ４６］に記載の方法。
［Ｃ４８］
前記フレームを生成することは、前記第１および第２の部分を備える第１のサブフレームを含むように前記フレームを生成することと、第３の部分および第４の部分を含むように第２のサブフレームを生成することと、第５の部分および第６の部分を含むように第３のサブフレームを生成することとを備える、
［Ｃ３０］に記載の方法。
［Ｃ４９］
前記フレームを生成することは、
第１の時間領域シーケンスを含むように前記第２の部分を構成することと、
前記第１の時間領域シーケンスに直交する第２の時間領域シーケンスを含むように前記第４の部分を構成することと、
第３の時間領域シーケンスを含むように前記第６の部分を構成することと
を備える、［Ｃ４８］に記載の方法。
［Ｃ５０］
送信のために前記フレームを出力することは、第１のＯＦＤＭシンボル間隔の間に時間アラインされた手法での送信のための前記第１および第２の時間領域シーケンスを出力することと、第２のＯＦＤＭシンボル間隔の間の送信のための前記第３の時間領域シーケンスを出力することとを備える、
［Ｃ４９］に記載の方法。
［Ｃ５１］
前記フレームを生成することは、
前記インターフェースが前記第２のＯＦＤＭシンボル間隔の間の送信ために前記第１および第２のサブフレームから出力を生み出さないように前記第１および第２のサブフレームを構成することと、
前記インターフェースが前記第１のＯＦＤＭシンボル間隔の間の送信のために前記第３のサブフレームから出力を生み出さないように前記第３の送信サブフレームを構成することを備える、
［Ｃ５０］に記載の方法。
［Ｃ５２］
前記フレームを生成することは、
前記第１および第２の部分を備える第１のサブフレームを含むように前記フレームを生成することと、
第３の部分および第４の部分を備える第２のサブフレームを生成することと
第５の部分および第６の部分を備える第３のサブフレームを生成することと、
第７の部分および第８の部分を備える第４のサブフレームを生成することと
を備える、［Ｃ３０］に記載の方法。
［Ｃ５３］
前記フレームを生成することは、
第１の時間領域シーケンスを含むように前記第２の部分を構成することと、
前記第１の時間領域シーケンスに直交する第２の時間領域シーケンスを含むように前記第４の部分を構成すること、ここにおいて、送信のための前記フレームを出力することは、第１のＯＦＤＭシンボル間隔の間に時間アラインされた手法での送信のための前記第１の時間領域シーケンスおよび第２の時間領域シーケンスを出力することを備える、と、
第３の時間領域シーケンスを含むように前記第６の部分を構成することと、
前記第３の時間領域シーケンスに直交する第４の時間領域シーケンスを含むように前記第８の部分を構成すること、ここにおいて、送信のための前記フレームを出力することは、前記第２のＯＦＤＭシンボル間隔の間に時間アラインされた手法での送信のための前記第３の時間領域シーケンスおよび第４の時間領域シーケンスを出力することを備える、と
を備える、［Ｃ５２］に記載の方法。
［Ｃ５４］
前記フレームを生成することは、
前記インターフェースが前記第１のシンボル間隔の間の送信ために前記第３および第４のサブフレームから出力を生み出さないように前記第３および第４のサブフレームを構成することと、
前記インターフェースが前記第２のシンボル間隔の間の送信ために前記第１および第２のサブフレームから出力を生み出さないように前記第１および第２のサブフレームを構成することと
を備える、［Ｃ５３］に記載の方法。
［Ｃ５５］
前記フレームを生成することは、
第１の周波数チャネルを介する送信のための前記第１の部分を構成することと、
前記第１の周波数チャネルから周波数において離れた間隔に置かれた第２の周波数チャネルを介する送信のための第３の部分を含むように前記フレームを生成することと、
前記第１のデバイスおよび前記第２のデバイスによって復号可能な前記第３の部分を構成することと、
前記第１の周波数チャネルの少なくとも一部および前記第２の周波数チャネルの少なくとも一部を含むボンデッド周波数チャネルを介する送信のための前記第２の部分を構成することと
を備える、［Ｃ３０］に記載の方法。
［Ｃ５６］
前記フレームを生成することは、ＯＦＤＭ送信のサブキャリアを介する送信のための周波数領域疑似ランダムバイナリシーケンス（ＰＲＢＳ）データを含むように、前記第２の部分を構成することを備える、
［Ｃ５５］に記載の方法。
［Ｃ５７］
前記フレームを生成することは、時間領域シーケンスを含むように前記第２の部分を構成することを備える、
［Ｃ５５］に記載の方法。
［Ｃ５８］
前記フレームを生成することは、ＯＦＤＭ送信のサブキャリアを介する送信のための周波数領域パイロットのシーケンスを含むように、前記第２の部分を構成することを備える、
［Ｃ５５］に記載の方法。
［Ｃ５９］
ワイヤレス通信のための装置であって、
第１の部分および第２の部分を備えるフレームを生成するための手段、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能である、と、
送信のための前記フレームを出力するための手段と
を備える、装置。
［Ｃ６０］
前記フレームを前記生成するための手段は、ＯＦＤＭ送信のサブキャリアを介する送信のための周波数領域疑似ランダムバイナリシーケンス（ＰＲＢＳ）データを含むように、前記第２の部分を構成するための手段を備える、
［Ｃ５９］に記載の装置。
［Ｃ６１］
前記フレームを前記生成するための手段は、特定の原始多項式のための特定のシードに基づいて前記ＰＲＢＳデータを生成するための手段を備える、
［Ｃ６０］に記載の装置。
［Ｃ６２］
前記フレームを前記生成するための手段は、時間領域シーケンスを含むように前記第２の部分を構成するための手段を備える、
［Ｃ５９］に記載の装置。
［Ｃ６３］
前記フレームを前記生成するための手段は、ゴーレイシーケンスを含むように前記時間領域シーケンスを構成するための手段を備える、
［Ｃ６２］に記載の装置。
［Ｃ６４］
前記フレームを前記生成するための手段は、ＯＦＤＭ送信のサブキャリアを介する送信のための周波数領域パイロットのシーケンスを含むように、前記第２の部分を構成するための手段を備える、
［Ｃ５９］に記載の装置。
［Ｃ６５］
前記フレームを前記生成するための手段は、特定のしきい値でまたはそれ未満で、ピーク対平均電力比（ＰＡＰＲ）を持つ前記ＯＦＤＭ送信を生成するように前記周波数領域パイロットのシーケンスを構成するための手段を備える、
［Ｃ６４］に記載の装置。
［Ｃ６６］
前記フレームを前記生成するための手段は、
前記第２のデバイスで自動利得制御（ＡＧＣ）を容易にするように構成される第１のフィールドと、
前記第２のデバイスで高速フーリエ変換（ＦＦＴ）中に前記フレームのＯＦＤＭ送信のサンプルを入力するためのタイミング制御を容易にするように構成される第２のフィールドと、
前記第２のデバイスで受信した前記フレームに関連付けられたチャネル推定を容易にするように構成される第３のフィールドと
を含むように前記第２の部分を構成するための手段を備える、［Ｃ５９］に記載の装置。
［Ｃ６７］
前記フレームを前記生成するための手段は、
前記ＯＦＤＭ送信のサブキャリアを介する送信ためのの周波数領域ＰＲＢＳデータを含むように前記第１のフィールドを構成するための手段と、
時間領域シーケンスを含むように前記第２のフィールドを構成するための手段と、
前記ＯＦＤＭ送信のサブキャリアを介する送信のための周波数領域パイロットのシーケンスを含むように第３のフィールドを構成するための手段と
を備える、［Ｃ６６］に記載の装置。
［Ｃ６８］
前記フレームを前記生成するための手段は、前記第１および第２の部分を備える第１のサブフレームを生成するための手段と、第３の部分および第４の部分を備える第２のサブフレームを生成するための手段とを備え、前記第３の部分は、前記第１のプロトコルに従って動作する前記第１のデバイスによって復号可能であり、前記第４の部分は、前記第１のデバイスによって復号不能であり、前記第３および第４の部分は、前記第２のプロトコルに従って動作する前記第２のデバイスによって復号可能である、
［Ｃ５９］に記載の装置。
［Ｃ６９］
前記送信のために前記フレームを出力するための手段は、実質的に時間アラインされた手法での送信のための前記第２の部分および前記第４の部分を出力するための手段を備える、
［Ｃ６８］に記載の装置。
［Ｃ７０］
前記送信のために前記フレームを出力するための手段は、時間オフセット手法での送信のための前記第１の部分および第３の部分を出力するための手段を備える、
［Ｃ６８］に記載の装置。
［Ｃ７１］
前記フレームを前記生成するための手段は、
第１のＯＦＤＭ送信のサブキャリアの第１のセットを介する送信のために構成される周波数領域ＰＲＢＳデータの第１のセットを含むように前記第２の部分を構成するための手段と、
第２のＯＦＤＭ送信のサブキャリアの第２のセットを介する送信のために構成される周波数領域ＰＲＢＳデータの第２のセットを含むように前記第４の部分を構成するための手段と
を備え、
前記送信のための前記フレームを出力することは、実質的に時間アラインされた手法での送信のための前記周波数領域ＰＲＢＳデータの第１および第２のセットを出力するように構成される、
［Ｃ６８］に記載の装置。
［Ｃ７２］
前記フレームを前記生成するための手段は、
特定の原始多項式のための第１のシードに基づいて前記周波数領域ＰＲＢＳデータの第１のセットを生成するための手段と、
前記特定の原始多項式のための第２のシードに基づいて前記周波数領域ＰＲＢＳデータの第２のセットを生成するための手段と
を備える、［Ｃ７１］に記載の装置。
［Ｃ７３］
前記フレームを前記生成するための手段は、
第１の時間領域シーケンスを含むように前記第２の部分を構成するための手段と、
第２の時間領域シーケンスを含むように前記第４の部分を構成するための手段、ここにおいて、前記第１の時間領域シーケンスは、前記第２の時間領域シーケンスに直交である、と
を備え、
前記フレームを前記出力するための手段は、実質的に時間アラインされた手法での送信のための前記第１および第２の時間領域シーケンスを出力するための手段を備える、
［Ｃ６８］に記載の装置。
［Ｃ７４］
前記フレームを前記生成するための手段は、
第１のＯＦＤＭ送信のサブキャリアの第１のセットを介する送信のための周波数領域パイロットの第１のシーケンスを含むように前記第２の部分を構成するための手段と、
第２のＯＦＤＭ送信のサブキャリアの第２のセットを介する送信のための周波数領域パイロットの第２のシーケンスを含むように前記第４の部分を構成するための手段と
を備え、
前記フレームを前記出力するための手段は、実質的に時間アラインされた手法での送信のための前記周波数領域パイロットの第１および第２のセットを出力するための手段を備える、
［Ｃ６８］に記載の装置。
［Ｃ７５］
前記フレームを前記生成するための手段は、
前記第１の部分と前記第２の部分との間の時間において位置される第１のパッドフィールドを含むように前記第１のサブフレームを構成するための手段と、
前記第３の部分と第４の部分との間に位置される第２のパッドフィールドを含むように前記第２のサブフレームを構成するための手段、ここにおいて、前記第１のパッドフィールドは、前記第２のパッドフィールドの長さより大きい、
［Ｃ６８］に記載の装置。
［Ｃ７６］
前記フレームを前記生成するための手段は、第１のゴーレイシーケンスを含むように前記第１のパッドフィールドを構成するための手段と、第２のゴーレイシーケンスを含むように前記第２のパッドフィールドを構成するための手段とを備える、
［Ｃ７５］に記載の装置。
［Ｃ７７］
前記フレームを前記生成するための手段は、
前記第１および第２の部分を備える第１のサブフレームを含むように前記フレームを生成するための手段と、
第３の部分および第４の部分を含むように第２のサブフレームを生成するための手段と、
第５の部分および第６の部分を含むように第３のサブフレームを生成するための手段と
を備える［Ｃ５９］に記載の装置。
［Ｃ７８］
前記フレームを前記生成するための手段は、
第１の時間領域シーケンスを含むように前記第２の部分を構成するための手段と、
前記第１の時間領域シーケンスに直交する第２の時間領域シーケンスを含むように前記第４の部分を構成するための手段と、
第３の時間領域シーケンスを含むように前記第６の部分を構成するための手段と
を備える［Ｃ７７］に記載の装置。
［Ｃ７９］
送信のための前記フレームを前記出力するための手段は、
第１のＯＦＤＭシンボル間隔の間に時間アラインされた手法での送信のための前記第１および第２の時間領域シーケンスを出力するための手段と、
第２のＯＦＤＭシンボル間隔の間の送信のための前記第３の時間領域シーケンスを出力するための手段と
を備える、［Ｃ７８］に記載の装置。
［Ｃ８０］
前記フレームを前記生成するための手段は、
前記第１および第２のサブフレームが前記第２のＯＦＤＭシンボル間隔の間の無送信をもたらすように前記第１および第２のサブフレームを構成するための手段と、
前記第３のサブフレームが前記第１のＯＦＤＭシンボル間隔の間の無送信をもたらすように前記第３のサブフレームを構成するための手段と
を備える、［Ｃ７９］に記載の装置。
［Ｃ８１］
前記フレームを前記生成するための手段は、
前記第１および第２の部分を備える第１のサブフレームを含むように前記フレームを生成するための手段と、
第３の部分および第４の部分を備える第２のサブフレームを生成するための手段と、
第５の部分および第６の部分を備える第３のサブフレームを生成するための手段と、
第７の部分および第８の部分を備える第４のサブフレームを生成するための手段と
を備える、［Ｃ５９］に記載の装置。
［Ｃ８２］
前記フレームを前記生成するための手段は、
第１の時間領域シーケンスを含むように前記第２の部分を構成するための手段と、
前記第１の時間領域シーケンスに直交する第２の時間領域シーケンスを含むように前記第４の部分を構成するための手段、ここにおいて、送信のための前記フレームを出力するための手段は、前記第１のＯＦＤＭシンボル間隔の間に時間アラインされた手法での送信のための前記第１の時間領域シーケンスおよび第２の時間領域シーケンスを出力するための手段を備える、と、
第３の時間領域シーケンスを含むように前記第６の部分を構成するための手段と、
前記第３の時間領域シーケンスに直交する第４の時間領域シーケンスを含むように前記第８の部分を構成するための手段、ここにおいて、送信のための前記フレームを出力するための手段は、前記第２のＯＦＤＭシンボル間隔の間に時間アラインされた手法での送信のための前記第３の時間領域シーケンスおよび前記第４の時間領域シーケンスを出力するための手段を備える、と
を備える、［Ｃ８１］に記載の装置。
［Ｃ８３］
前記フレームを前記生成するための手段は、
前記第３および第４のサブフレームが前記第１のシンボル間隔の間の無送信を生み出すように前記第３および第４のサブフレームを構成するための手段と、
前記第１および第２のサブフレームが前記第２のシンボル間隔の間の無送信を生み出すように前記第１および第２のサブフレームを構成するための手段と
を備える、［Ｃ８２］に記載の装置。
［Ｃ８４］
前記フレームを前記生成するための手段は、
第１の周波数チャネルを介する送信のための前記第１の部分を構成するための手段と、
前記第１の周波数チャネルから周波数において離れた間隔に置かれた第２の周波数チャネルを介する送信のための第３の部分を含むように前記フレームを生成するための手段と、
前記第１のデバイスおよび前記第２のデバイスによって復号可能な前記第３の部分を構成するための手段と、
前記第１の周波数チャネルの少なくとも一部および前記第２の周波数チャネルの少なくとも一部を含むボンデッド周波数チャネルを介する送信のための前記第２の部分を構成するための手段と
を備える、［Ｃ５９］に記載の装置。
［Ｃ８５］
前記フレームを前記生成するための手段は、ＯＦＤＭ送信のサブキャリアを介する送信のための周波数領域疑似ランダムバイナリシーケンス（ＰＲＢＳ）データを含むように、前記第２の部分を構成するための手段を備える、
［Ｃ８４］に記載の装置。
［Ｃ８６］
前記フレームを生成するための手段は、時間領域シーケンスを含むように前記第２の部分を構成するための手段を備える、
［Ｃ８４］に記載の装置。
［Ｃ８７］
前記フレームを前記生成するための手段は、ＯＦＤＭ送信のサブキャリアを介する送信のための周波数領域パイロットのシーケンスを含むように、前記第２の部分を構成するための手段を備える、
［Ｃ８４］に記載の装置。
［Ｃ８８］
第１の部分および第２の部分を備えるフレームを生成すること、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能である、と、
送信のための前記フレームを出力することと
を行うためにその上に記憶された命令を有するコンピュータ可読媒体。
［Ｃ８９］
ワイヤレスノードであって、
少なくとも１つの受信アンテナと、
第１の部分および第２の部分を備えるフレームを生成することを行うように構成される処理システム、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能である、と、
前記少なくとも１つのアンテナを介する送信のために前記フレームを出力するように構成されたインターフェースと
を備える、ワイヤレスノード。
【国際調査報告】
2019512923.tif 000020
2019512923.tif 000021
2019512923.tif 000022
2019512923.tif 000023
2019512923.tif 000024
2019512923.tif 000025
2019512923.tif 000026
2019512923.tif 000027